(57)【要約】【課題】  番組の視聴を中断した後に、それまで番組を視聴していた装置とは異なる装置を用いて、中断した箇所から番組の視聴を迅速に再開することができるようにする。【解決手段】  携帯電話機は、使用者の操作に応じてテレビジョン放送の受信を開始すると、放送局を特定可能な情報である放送局特定情報をパーソナルコンピュータ（以下、パソコンと記す。）に送信する。パソコンは、放送局特定情報に基づいて録画を開始する。携帯電話機において、受信チャンネルが切り替えられた場合も、携帯電話機から放送局特定情報を送信し、パソコンは録画対象番組を切り替える。携帯電話機がテレビジョン放送の受信を停止すると、装着されている外部記憶媒体に受信停止時刻を記憶させる。パソコンは、この外部記憶媒体が装着されると受信停止時刻を読み込み、受信停止時刻に対応する箇所から、録画した番組を再生する。【選択図】  図４
2005286761.tif 000002
【特許請求の範囲】
【請求項１】
放送される番組を出力する番組視聴装置と、
放送される番組の録画および再生を行う録画再生装置とを備え、
前記番組視聴装置は、
放送局から放送される番組のデータを受信し、受信したデータに基づいて番組を出力する番組出力手段と、
前記番組を放送している放送局を特定可能な放送局特定情報と、録画開始を指示する旨の情報とを前記録画再生装置に送信する録画開始指示送信手段と、
前記番組出力手段が番組のデータの受信を停止した時刻である受信停止時刻を判定し、当該受信停止時刻の情報を出力する受信停止時刻出力手段とを含み、
前記録画再生装置は、
録画対象となる番組のデータを記憶する番組記憶手段と、
前記録画開始指示送信手段が送信した前記放送局特定情報と前記録画開始を指示する旨の情報とを受信する録画開始指示受信手段と、
前記録画開始指示受信手段が受信した前記録画開始を指示する旨の情報に応じて、前記放送局特定情報によって特定される放送局から放送される番組のデータを受信し、番組のデータを時刻の情報とともに前記番組記憶手段に記憶させることにより録画を行う録画手段と、
前記受信停止時刻出力手段が出力した受信停止時刻の情報を入力する受信停止時刻入力手段と、
前記番組記憶手段に記憶された番組のデータを、前記受信停止時刻入力手段が入力した前記受信停止時刻が示す箇所から再生する再生手段とを含む
ことを特徴とする番組視聴システム。
【請求項２】
前記番組視聴装置は、
ユーザからの放送局の切り替え操作を受け付ける放送局切り替え操作手段と、
前記放送局切り替え操作手段が受け付ける切り替え操作に応じて、前記番組出力手段が番組のデータを受信する放送局を切り替える視聴放送局切り替え手段と、
前記視聴放送局切り替え手段によって切り替えられた後の放送局を特定可能な放送局特定情報と、放送局の切り替えを指示する旨の情報とを前記録画再生装置に送信する放送局切り替え指示送信手段とを含み、
前記録画再生装置は、
前記放送局切り替え指示送信手段が送信した前記放送局特定情報と前記放送局の切り替えを指示する旨の情報とを受信する放送局切り替え指示受信手段と、
前記放送局切り替え指示受信手段が受信した前記放送局の切り替えを指示する旨の情報に応じて、前記録画手段が番組のデータを受信する放送局を、前記放送局特定情報によって特定される放送局に切り替える録画放送局切り替え手段とを含む
請求項１に記載の番組視聴システム。
【請求項３】
前記番組視聴装置は、
前記視聴放送局切り替え手段が放送局を切り替えた時刻である切り替え時刻を判定し、当該切り替え時刻の情報を前記録画再生装置に送信する切り替え時刻送信手段を含み、
前記録画再生装置は、
前記切り替え時刻送信手段が送信した前記切り替え時刻の情報を受信する切り替え時刻受信手段と、
前記切り替え時刻受信手段が受信した前記切り替え時刻の情報に基づいて、前記録画手段が前記番組記憶手段に記憶させたデータのうち、前記切り替え時刻が示す箇所に、再生開始箇所の候補であることを示すインデックス情報を付加するインデックス情報付加手段と、
インデックス情報が付加された箇所のうちの一つを指定される再生開始箇所指定手段と、
インデックス情報が付加された箇所のうち、前記再生開始箇所指定手段が指定された箇所から番組のデータを再生する指定箇所再生手段とを含む
請求項２に記載の番組視聴システム。
【請求項４】
前記録画再生装置は、
放送局が放送する各番組の放送時間帯情報を含む番組表データを記憶する番組表データ記憶手段と、
前記録画開始指示受信手段が受信した放送局特定情報と、前記番組表データとに基づいて、録画対象となる番組を判定する番組判定手段と、
前記番組判定手段によって判定された番組の再放送の有無を前記番組表データに基づいて判定する再放送有無判定手段と、
前記再放送有無判定手段によって再放送があると判定された番組の再放送の時間帯の間、前記放送局特定情報によって特定される放送局から放送される番組のデータを受信し、番組のデータを前記番組記憶手段に記憶させることにより再放送される番組の録画を行う再放送録画手段とを含む
請求項１から請求項３のうちのいずれか１項に記載の番組視聴システム。
【請求項５】
前記番組視聴装置および前記録画再生装置それぞれに着脱可能な可搬型の外部記憶媒体を備え、
前記番組視聴装置は、前記外部記憶媒体を装着させる第１の記憶媒体装着手段を含み、
前記録画再生装置は、前記外部記憶媒体を装着させる第２の記憶媒体装着手段を含み、
前記受信停止時刻出力手段は、前記第１の記憶媒体装着手段に装着された前記外部記憶媒体に受信停止時刻の情報を記憶させ、
前記受信停止時刻入力手段は、前記第２の記憶媒体装着手段に装着された前記外部記憶媒体から受信停止時刻の情報を読み込む
請求項１から請求項４のうちのいずれか１項に記載の番組視聴システム。
【請求項６】
前記受信停止時刻出力手段は、通信ネットワークを介して前記録画再生装置に受信停止時刻の情報を送信し、
前記受信停止時刻入力手段は、前記受信停止時刻出力手段が通信ネットワークを介して送信した前記受信停止時刻の情報を受信する
請求項１から請求項４のうちのいずれか１項に記載の番組視聴システム。
【請求項７】
時刻を計時し、計時した時刻の情報を電波によって送信する時刻情報送信手段を備え、
前記番組視聴装置は、
時刻を計時する番組視聴装置タイマと、
前記時刻情報送信手段が送信した時刻の情報を受信する番組視聴装置時刻情報受信手段と、
前記番組視聴装置時刻情報受信手段が受信した時刻の情報に基づいて、前記番組視聴装置タイマが計時する時刻を、前記時刻情報送信手段が計時する時刻にあわせる番組視聴装置時刻調整手段とを含み、
前記受信停止時刻出力手段は、前記番組視聴装置タイマが計時する時刻によって受信停止時刻を判定する
請求項１から請求項６のうちのいずれか１項に記載の番組視聴システム。
【請求項８】
時刻を計時し、計時した時刻の情報を電波によって送信する時刻情報送信手段を備え、
前記録画再生装置は、
時刻を計時する録画再生装置タイマと、
前記時刻情報送信手段が送信した時刻の情報を受信する録画再生装置時刻情報受信手段と、
前記録画再生装置時刻情報受信手段が受信した時刻の情報に基づいて、前記録画再生装置タイマが計時する時刻を、前記時刻情報送信手段が計時する時刻にあわせる録画再生装置時刻調整手段とを含み、
前記録画手段は、前記録画再生装置タイマが計時する時刻の情報とともに番組のデータを前記番組記憶手段に記憶させる
請求項１から請求項７のうちのいずれか１項に記載の番組視聴システム。
【請求項９】
放送される番組を出力する番組視聴装置と、
放送される番組の録画および再生を行う録画再生装置とを備え、
前記番組視聴装置は、
放送局から放送される番組のデータを受信し、受信したデータに基づいて番組を出力する番組出力手段と、
前記番組を放送している放送局を特定可能な放送局特定情報と、録画を指示する旨の情報とを前記録画再生装置に送信する録画指示送信手段と、
前記番組出力手段が番組のデータの受信を停止した時刻である受信停止時刻を判定し、当該受信停止時刻の情報を出力する受信停止時刻出力手段とを含み、
前記録画再生装置は、
前記録画指示送信手段が送信した前記放送局特定情報と前記録画を指示する旨の情報とを受信する録画指示受信手段と、
放送局が放送する各番組の放送時間帯情報を含む番組表データを記憶する番組表データ記憶手段と、
前記録画指示受信手段が受信した前記録画を指示する旨の情報に応じて、前記放送局特定情報と、前記番組表データとに基づいて、前記番組出力手段が出力している番組および当該番組の開始時刻を判定する番組判定手段と、
前記番組判定手段によって判定された番組の再放送の有無を前記番組表データに基づいて判定する再放送有無判定手段と、
録画対象となる番組のデータを記憶する番組記憶手段と、
前記再放送有無判定手段によって再放送があると判定された番組の再放送の時間帯の間、前記放送局特定情報によって特定される放送局から放送される番組のデータを受信し、番組のデータを時刻の情報とともに前記番組記憶手段に記憶させることにより再放送される番組の録画を行う録画手段と、
前記受信停止時刻出力手段が出力した受信停止時刻の情報を入力する受信停止時刻入力手段と、
前記番組判定手段が判定した番組の開始時刻と前記受信停止時刻との差分時間の経過時に対応する箇所から、前記番組記憶手段に記憶された番組のデータを再生する再生手段とを含む
ことを特徴とする番組視聴システム。
【請求項１０】
前記番組視聴装置および前記録画再生装置それぞれに着脱可能な可搬型の外部記憶媒体を備え、
前記番組視聴装置は、前記外部記憶媒体を装着させる第１の記憶媒体装着手段を含み、
前記録画再生装置は、前記外部記憶媒体を装着させる第２の記憶媒体装着手段を含み、
前記受信停止時刻出力手段は、前記第１の記憶媒体装着手段に装着された前記外部記憶媒体に受信停止時刻の情報を記憶させ、
前記受信停止時刻入力手段は、前記第２の記憶媒体装着手段に装着された前記外部記憶媒体から受信停止時刻の情報を読み込む
請求項９に記載の番組視聴システム。
【請求項１１】
前記受信停止時刻出力手段は、通信ネットワークを介して前記録画再生装置に受信停止時刻の情報を送信し、
前記受信停止時刻入力手段は、前記受信停止時刻出力手段が通信ネットワークを介して送信した前記受信停止時刻の情報を受信する
請求項９に記載の番組視聴システム。
【請求項１２】
時刻を計時し、計時した時刻の情報を電波によって送信する時刻情報送信手段を備え、
前記番組視聴装置は、
時刻を計時する番組視聴装置タイマと、
前記時刻情報送信手段が送信した時刻の情報を受信する番組視聴装置時刻情報受信手段と、
前記番組視聴装置時刻情報受信手段が受信した時刻の情報に基づいて、前記番組視聴装置タイマが計時する時刻を、前記時刻情報送信手段が計時する時刻にあわせる番組視聴装置時刻調整手段とを含み、
前記受信停止時刻出力手段は、前記番組視聴装置タイマが計時する時刻によって受信停止時刻を判定する
請求項９から請求項１１のうちのいずれか１項に記載の番組視聴システム。
【請求項１３】
時刻を計時し、計時した時刻の情報を電波によって送信する時刻情報送信手段を備え、
前記録画再生装置は、
時刻を計時する録画再生装置タイマと、
前記時刻情報送信手段が送信した時刻の情報を受信する録画再生装置時刻情報受信手段と、
前記録画再生装置時刻情報受信手段が受信した時刻の情報に基づいて、前記録画再生装置タイマが計時する時刻を、前記時刻情報送信手段が計時する時刻にあわせる録画再生装置時刻調整手段とを含み、
前記録画手段は、前記録画再生装置タイマが計時する時刻の情報とともに番組のデータを前記番組記憶手段に記憶させる
請求項９から請求項１２のうちのいずれか１項に記載の番組視聴システム。
【請求項１４】
録画された番組を再生する第１の番組視聴装置と、
録画された番組を再生する第２の番組視聴装置とを備え、
前記第１の番組視聴装置は、
再生対象となる番組のデータを記憶する番組記憶手段と、
前記番組のデータを再生する第１の再生手段と、
前記番組のデータにおける前記第１の再生手段による再生が停止された再生停止箇所を特定可能な最終再生点情報を生成する第１の最終再生点情報生成手段と、
前記最終再生点情報を前記番組のデータと対応させて前記番組記憶手段に記憶させる最終再生点情報付加手段と、
前記番組のデータを前記第２の番組視聴装置で再生可能なフォーマットに変換する変換手段と、
前記変換手段によって変換された番組のデータおよび当該番組のデータに対応する最終再生点情報を出力する第１の出力手段と、
前記第２の番組視聴装置が出力する最終再生点情報を入力する第１の入力手段とを含み、
前記第２の番組視聴装置は、
前記第１の出力手段が出力した番組のデータおよび当該番組のデータに対応する最終再生点情報を入力する第２の入力手段と、
前記第２の入力手段が入力した前記番組のデータを再生する第２の再生手段と、
前記番組のデータにおける前記第２の再生手段による再生が停止された再生停止箇所を特定可能な最終再生点情報を生成する第２の最終再生点情報生成手段と、
前記第２の最終再生点情報生成手段が生成した最終再生点情報を出力する第２の出力手段とを含み、
前記最終再生点情報付加手段は、前記第１の入力手段が入力した最終再生点情報によって特定される再生停止箇所が、当該最終再生点情報付加手段が番組のデータと対応させて前記番組記憶手段に記憶させた最終再生点情報によって特定される再生停止箇所よりも時間的に後の箇所である場合に、前記第１の入力手段が入力した最終再生点情報を前記番組のデータと対応させて前記番組記憶手段に記憶させる
ことを特徴とする番組視聴システム。
【請求項１５】
前記第１の番組視聴装置および前記第２の番組視聴装置それぞれに着脱可能な可搬型の外部記憶媒体を備え、
前記第１の番組視聴装置は、前記外部記憶媒体を装着させる第１の記憶媒体装着手段を含み、
前記第２の番組視聴装置は、前記外部記憶媒体を装着させる第２の記憶媒体装着手段を含み、
前記第１の出力手段は、前記第１の記憶媒体装着手段に装着された前記外部記憶媒体に、前記変換手段によって変換された番組のデータおよび当該番組のデータに対応する最終再生点情報を記憶させ、
前記第２の入力手段は、前記第２の記憶媒体装着手段に装着された前記外部記憶媒体から、前記番組のデータおよび前記番組のデータに対応する最終再生点情報を読み込み、
前記第２の出力手段は、前記第２の記憶媒体装着手段に装着された前記外部記憶媒体に、前記第２の最終再生点情報生成手段が生成した最終再生点情報を記憶させ、
前記第１の入力手段は、前記第１の記憶媒体装着手段に装着された前記外部記憶媒体から、前記最終再生点情報を読み込む
請求項１４に記載の番組視聴システム。
【請求項１６】
前記第１の出力手段は、前記変換手段によって変換された番組のデータおよび当該番組のデータに対応する最終再生点情報を、通信ネットワークを介して前記第２の番組視聴装置に送信し、
前記第２の入力手段は、前記前記第１の出力手段が通信ネットワークを介して送信した番組のデータおよび当該番組のデータに対応する最終再生点情報を受信し、
前記第２の出力手段は、前記第２の最終再生点情報生成手段が生成した最終再生点情報を、通信ネットワークを介して前記第１の番組視聴装置に送信し、
前記第１の入力手段は、前記第２の出力手段が通信ネットワークを介して送信した最終再生点情報を受信する
請求項１４に記載の番組視聴システム。
【請求項１７】
放送局から放送される番組のデータを受信し、受信したデータに基づいて番組を出力する番組出力手段と、
前記番組を放送している放送局を特定可能な放送局特定情報と、録画開始を指示する旨の情報とを、番組の録画および再生を行う録画再生装置に送信する録画開始指示送信手段と、
前記番組出力手段が番組のデータの受信を停止した時刻である受信停止時刻を判定し、当該受信停止時刻の情報を出力する受信停止時刻出力手段とを備えた
ことを特徴とする番組視聴装置。
【請求項１８】
ユーザからの放送局の切り替え操作を受け付ける放送局切り替え操作手段と、
前記放送局切り替え操作手段が受け付ける切り替え操作に応じて、前記番組出力手段が番組のデータを受信する放送局を切り替える視聴放送局切り替え手段と、
前記視聴放送局切り替え手段によって切り替えられた後の放送局を特定可能な放送局特定情報と、放送局の切り替えを指示する旨の情報とを前記録画再生装置に送信する放送局切り替え指示送信手段とを備えた
請求項１７に記載の番組視聴装置。
【請求項１９】
前記視聴放送局切り替え手段が放送局を切り替えた時刻である切り替え時刻を判定し、当該切り替え時刻の情報を前記録画再生装置に送信する切り替え時刻送信手段を備えた
請求項１８に記載の番組視聴装置。
【請求項２０】
前記番組視聴装置および前記録画再生装置それぞれに着脱可能な可搬型の外部記憶媒体を装着させる記憶媒体装着手段を備え、
前記受信停止時刻出力手段は、前記記憶媒体装着手段に装着された前記外部記憶媒体に受信停止時刻の情報を記憶させる
請求項１７から請求項１９のうちのいずれか１項に記載の番組視聴装置。
【請求項２１】
前記受信停止時刻出力手段は、通信ネットワークを介して前記録画再生装置に受信停止時刻の情報を送信する
請求項１７から請求項１９のうちのいずれか１項に記載の番組視聴装置。
【請求項２２】
計時した時刻の情報を電波によって送信する時刻情報送信手段が送信した時刻の情報を受信する番組視聴装置時刻情報受信手段と、
時刻を計時する番組視聴装置タイマと、
前記番組視聴装置時刻情報受信手段が受信した時刻の情報に基づいて、前記番組視聴装置タイマが計時する時刻を、前記時刻情報送信手段が計時する時刻にあわせる番組視聴装置時刻調整手段とを備え、
前記受信停止時刻出力手段は、前記番組視聴装置タイマが計時する時刻によって受信停止時刻を判定する
請求項１７から請求項２１のうちのいずれか１項に記載の番組視聴装置。
【請求項２３】
録画対象となる番組のデータを記憶する番組記憶手段と、
放送される番組を出力する番組視聴装置から、放送局を特定可能な放送局特定情報と、録画開始を指示する旨の情報とを受信する録画開始指示受信手段と、
前記録画開始指示受信手段が受信した前記録画開始を指示する旨の情報に応じて、前記放送局特定情報によって特定される放送局から放送される番組のデータを受信し、番組のデータを時刻の情報とともに前記番組記憶手段に記憶させることにより録画を行う録画手段と、
前記番組視聴装置が出力した受信停止時刻の情報を入力する受信停止時刻入力手段と、
前記番組記憶手段に記憶された番組のデータを、前記受信停止時刻入力手段が入力した前記受信停止時刻が示す箇所から再生する再生手段とを備えた
ことを特徴とする録画再生装置。
【請求項２４】
前記番組視聴装置から、放送局特定情報と放送局の切り替えを指示する旨の情報とを受信する放送局切り替え指示受信手段と、
前記放送局切り替え指示受信手段が受信した前記放送局の切り替えを指示する旨の情報に応じて、前記録画手段が番組のデータを受信する放送局を、前記放送局特定情報によって特定される放送局に切り替える録画放送局切り替え手段とを備えた
請求項２３に記載の録画再生装置。
【請求項２５】
前記番組視聴装置から、放送局の切り替え時刻の情報を受信する切り替え時刻受信手段と、
前記切り替え時刻受信手段が受信した前記切り替え時刻の情報に基づいて、前記録画手段が前記番組記憶手段に記憶させたデータのうち、前記切り替え時刻が示す箇所に、再生開始箇所の候補であることを示すインデックス情報を付加するインデックス情報付加手段と、
インデックス情報が付加された箇所のうちの一つを指定される再生開始箇所指定手段と、
インデックス情報が付加された箇所のうち、前記再生開始箇所指定手段が指定された箇所から番組のデータを再生する指定箇所再生手段と備えた
請求項２４に記載の録画再生装置。
【請求項２６】
放送局が放送する各番組の放送時間帯情報を含む番組表データを記憶する番組表データ記憶手段と、
前記録画開始指示受信手段が受信した放送局特定情報と、前記番組表データとに基づいて、録画対象となる番組を判定する番組判定手段と、
前記番組判定手段によって判定された番組の再放送の有無を前記番組表データに基づいて判定する再放送有無判定手段と、
前記再放送有無判定手段によって再放送があると判定された番組の再放送の時間帯の間、前記放送局特定情報によって特定される放送局から放送される番組のデータを受信し、番組のデータを前記番組記憶手段に記憶させることにより再放送される番組の録画を行う再放送録画手段とを備えた
請求項２３から請求項２５のうちのいずれか１項に記載の録画再生装置。
【請求項２７】
前記番組視聴装置および前記録画再生装置それぞれに着脱可能な可搬型の外部記憶媒体を装着させる記憶媒体装着手段を備え、
前記受信停止時刻入力手段は、前記記憶媒体装着手段に装着された前記外部記憶媒体から受信停止時刻の情報を読み込む
請求項２３から請求項２６のうちのいずれか１項に記載の録画再生装置。
【請求項２８】
前記受信停止時刻入力手段は、前記番組視聴装置が通信ネットワークを介して送信した受信停止時刻の情報を受信する
請求項２３から請求項２６のうちのいずれか１項に記載の録画再生装置。
【請求項２９】
計時した時刻の情報を電波によって送信する時刻情報送信手段が送信した時刻の情報を受信する録画再生装置時刻情報受信手段と、
時刻を計時する録画再生装置タイマと、
前記録画再生装置時刻情報受信手段が受信した時刻の情報に基づいて、前記録画再生装置タイマが計時する時刻を、前記時刻情報送信手段が計時する時刻にあわせる録画再生装置時刻調整手段とを備え、
前記録画手段は、前記録画再生装置タイマが計時する時刻の情報とともに番組のデータを前記番組記憶手段に記憶させる
請求項２３から請求項２８のうちのいずれか１項に記載の録画再生装置。
【請求項３０】
放送局から放送される番組のデータを受信し、受信したデータに基づいて番組を出力する番組出力手段と、
前記番組を放送している放送局を特定可能な放送局特定情報と、録画を指示する旨の情報とを、番組の録画および再生を行う録画再生装置に送信する録画指示送信手段と、
前記番組出力手段が番組のデータの受信を停止した時刻である受信停止時刻を判定し、当該受信停止時刻の情報を出力する受信停止時刻出力手段とを備えた
ことを特徴とする番組視聴装置。
【請求項３１】
前記番組視聴装置および前記録画再生装置それぞれに着脱可能な可搬型の外部記憶媒体を装着させる記憶媒体装着手段を備え、
前記受信停止時刻出力手段は、前記記憶媒体装着手段に装着された前記外部記憶媒体に受信停止時刻の情報を記憶させる
請求項３０に記載の番組視聴装置。
【請求項３２】
前記受信停止時刻出力手段は、通信ネットワークを介して前記録画再生装置に受信停止時刻の情報を送信する
請求項３０に記載の番組視聴装置。
【請求項３３】
計時した時刻の情報を電波によって送信する時刻情報送信手段が送信した時刻の情報を受信する番組視聴装置時刻情報受信手段と、
時刻を計時する番組視聴装置タイマと、
前記番組視聴装置時刻情報受信手段が受信した時刻の情報に基づいて、前記番組視聴装置タイマが計時する時刻を、前記時刻情報送信手段が計時する時刻にあわせる番組視聴装置時刻調整手段とを備え、
前記受信停止時刻出力手段は、前記番組視聴装置タイマが計時する時刻によって受信停止時刻を判定する
請求項３０から請求項３２のうちのいずれか１項に記載の番組視聴装置。
【請求項３４】
放送局が放送する各番組の放送時間帯情報を含む番組表データを記憶する番組表データ記憶手段と、
放送される番組を出力する番組視聴装置から、放送局を特定可能な放送局特定情報と、録画を指示する旨の情報とを受信する録画指示受信手段と、
前記録画指示受信手段が受信した前記録画を指示する旨の情報に応じて、前記放送局特定情報と、前記番組表データとに基づいて、前記番組視聴装置が出力している番組および当該番組の開始時刻を判定する番組判定手段と、
前記番組判定手段によって判定された番組の再放送の有無を前記番組表データに基づいて判定する再放送有無判定手段と、
録画対象となる番組のデータを記憶する番組記憶手段と、
前記再放送有無判定手段によって再放送があると判定された番組の再放送の時間帯の間、前記放送局特定情報によって特定される放送局から放送される番組のデータを受信し、番組のデータを時刻の情報とともに前記番組記憶手段に記憶させることにより再放送される番組の録画を行う録画手段と、
前記番組視聴装置が出力した受信停止時刻の情報を入力する受信停止時刻入力手段と、
前記番組判定手段が判定した番組の開始時刻と前記受信停止時刻との差分時間の経過時に対応する箇所から、前記番組記憶手段に記憶された番組のデータを再生する再生手段とを備えた
ことを特徴とする録画再生装置。
【請求項３５】
前記番組視聴装置および前記録画再生装置それぞれに着脱可能な可搬型の外部記憶媒体を装着させる記憶媒体装着手段を備え、
前記受信停止時刻入力手段は、前記記憶媒体装着手段に装着された前記外部記憶媒体から受信停止時刻の情報を読み込む
請求項３４に記載の録画再生装置。
【請求項３６】
前記受信停止時刻入力手段は、前記番組視聴装置が通信ネットワークを介して送信した受信停止時刻の情報を受信する
請求項３４に記載の録画再生装置。
【請求項３７】
計時した時刻の情報を電波によって送信する時刻情報送信手段が送信した時刻の情報を受信する録画再生装置時刻情報受信手段と、
時刻を計時する録画再生装置タイマと、
前記録画再生装置時刻情報受信手段が受信した時刻の情報に基づいて、前記録画再生装置タイマが計時する時刻を、前記時刻情報送信手段が計時する時刻にあわせる録画再生装置時刻調整手段とを備え、
前記録画手段は、前記録画再生装置タイマが計時する時刻の情報とともに番組のデータを前記番組記憶手段に記憶させる
請求項３４から請求項３６のうちのいずれか１項に記載の録画再生装置。
【請求項３８】
再生対象となる番組のデータを記憶する番組記憶手段と、
前記番組のデータを再生する再生手段と、
前記番組のデータにおける前記再生手段による再生が停止された再生停止箇所を特定可能な最終再生点情報を生成する最終再生点情報生成手段と、
前記最終再生点情報を前記番組のデータと対応させて前記番組記憶手段に記憶させる最終再生点情報付加手段と、
前記番組のデータを他の番組視聴装置で再生可能なフォーマットに変換する変換手段と、
前記変換手段によって変換された番組のデータおよび当該番組のデータに対応する最終再生点情報を出力する出力手段と、
前記他の番組視聴装置が出力する最終再生点情報を入力する入力手段とを備え、
前記最終再生点情報付加手段は、前記入力手段が入力した最終再生点情報によって特定される再生停止箇所が、当該最終再生点情報付加手段が番組のデータと対応させて前記番組記憶手段に記憶させた最終再生点情報によって特定される再生停止箇所よりも時間的に後の箇所である場合に、前記入力手段が入力した最終再生点情報を前記番組のデータと対応させて前記番組記憶手段に記憶させる
ことを特徴とする番組視聴装置。
【請求項３９】
当該番組視聴装置と前記他の番組視聴装置それぞれに着脱可能な可搬型の外部記憶媒体を装着させる記憶媒体装着手段を備え、
前記出力手段は、前記記憶媒体装着手段に装着された前記外部記憶媒体に、前記変換手段によって変換された番組のデータおよび当該番組のデータに対応する最終再生点情報を記憶させ、
前記入力手段は、前記記憶媒体装着手段に装着された前記外部記憶媒体から、前記他の番組視聴装置が出力した最終再生点情報を読み込む
請求項３８に記載の番組視聴装置。
【請求項４０】
前記出力手段は、前記変換手段によって変換された番組のデータおよび当該番組のデータに対応する最終再生点情報を、通信ネットワークを介して前記他の番組視聴装置に送信し、
前記入力手段は、前記他の番組視聴装置が通信ネットワークを介して送信した最終再生点情報を受信する
請求項３８に記載の番組視聴装置。
【請求項４１】
他の番組視聴装置が出力した番組のデータおよび当該番組のデータにおける再生停止箇所を特定可能な最終再生点情報を入力する入力手段と、
前記入力手段が入力した前記番組のデータを再生する再生手段と、
前記番組のデータにおける前記再生手段による再生が停止された再生停止箇所を特定可能な最終再生点情報を生成する最終再生点情報生成手段と、
前記最終再生点情報生成手段が生成した最終再生点情報を出力する出力手段とを備えた
ことを特徴とする番組視聴装置。
【請求項４２】
当該番組視聴装置と前記他の番組視聴装置それぞれに着脱可能な可搬型の外部記憶媒体を装着させる記憶媒体装着手段を備え、
前記入力手段は、前記記憶媒体装着手段に装着された前記外部記憶媒体から、前記他の番組視聴装置が出力した番組のデータおよび最終再生点情報を読み込み、
前記出力手段は、前記記憶媒体装着手段に装着された前記外部記憶媒体に、前記最終再生点情報生成手段が生成した最終再生点情報を記憶させる
請求項４１に記載の番組視聴装置。
【請求項４３】
前記入力手段は、前記他の番組視聴装置が通信ネットワークを介して送信した番組のデータおよび最終再生点情報を受信し、
前記出力手段は、前記最終再生点情報生成手段が生成した最終再生点情報を、通信ネットワークを介して前記他の番組視聴装置に送信する
請求項４１に記載の番組視聴装置。
【請求項４４】
放送される番組を出力する番組視聴装置と、録画対象となる番組のデータを記憶する番組記憶手段を備えた録画再生装置と用いた番組再生方法であって、
前記番組視聴装置の番組出力手段が、放送局から放送される番組のデータを受信し、受信したデータに基づいて番組を出力し、
前記番組視聴装置の録画開始指示送信手段が、前記番組出力手段が番組の出力を開始したときに、前記番組を放送している放送局を特定可能な放送局特定情報と、録画開始を指示する旨の情報とを前記録画再生装置に送信し、
前記番組視聴装置の受信停止時刻出力手段が、前記番組出力手段が番組のデータの受信を停止したときに、前記番組出力手段が番組のデータの受信を停止した時刻である受信停止時刻を判定し、当該受信停止時刻の情報を出力し、
前記録画再生装置の録画開始指示受信手段が、前記録画開始指示送信手段が送信した前記放送局特定情報と前記録画開始を指示する旨の情報とを受信し、
前記録画再生装置の録画手段が、前記録画開始指示受信手段が前記放送局特定情報と前記録画開始を指示する旨の情報とを受信したときに、前記放送局特定情報によって特定される放送局から放送される番組のデータを受信し、番組のデータを時刻の情報とともに前記番組記憶手段に記憶させることにより録画を行い、
前記録画再生装置の受信停止時刻入力手段が、前記受信停止時刻出力手段が出力した受信停止時刻の情報を入力し、
前記録画再生装置の再生手段が、前記番組記憶手段に記憶された番組のデータを、前記受信停止時刻入力手段が入力した前記受信停止時刻が示す箇所から再生する
ことを特徴とする番組再生方法。
【請求項４５】
録画対象となる番組のデータを記憶する番組記憶手段と、放送局が放送する各番組の放送時間帯情報を含む番組表データを記憶する番組表データ記憶手段とを備えた録画再生装置と、放送される番組を出力する番組視聴装置とを用いた番組再生方法であって、
前記番組視聴装置の番組出力手段が、放送局から放送される番組のデータを受信し、受信したデータに基づいて番組を出力し、
前記番組視聴装置の録画指示送信手段が、前記番組出力手段が番組の出力を開始したときに、前記番組を放送している放送局を特定可能な放送局特定情報と、録画を指示する旨の情報とを前記録画再生装置に送信し、
前記番組視聴装置の受信停止時刻出力手段が、前記番組出力手段が番組のデータの受信を停止したときに、前記番組出力手段が番組のデータの受信を停止した時刻である受信停止時刻を判定し、当該受信停止時刻の情報を出力し、
前記録画再生装置の録画指示受信手段が、前記録画指示送信手段が送信した前記放送局特定情報と前記録画を指示する旨の情報とを受信し、
前記録画再生装置の番組判定手段が、前記録画指示受信手段が前記放送局特定情報と前記録画を指示する旨の情報とを受信したときに、前記放送局特定情報と、前記番組表データとに基づいて、前記番組出力手段が出力している番組および当該番組の開始時刻を判定し、
前記録画再生装置の再放送有無判定手段が、前記番組判定手段によって判定された番組の再放送の有無を前記番組表データに基づいて判定し、
前記録画再生装置の録画手段が、前記再放送有無判定手段によって再放送があると判定された番組の再放送の時間帯の間、前記放送局特定情報によって特定される放送局から放送される番組のデータを受信し、番組のデータを時刻の情報とともに前記番組記憶手段に記憶させることにより再放送される番組の録画を行い、
前記録画再生装置の受信停止時刻入力手段が、前記受信停止時刻出力手段が出力した受信停止時刻の情報を入力し、
前記録画再生装置の再生手段が、前記番組判定手段が判定した番組の開始時刻と前記受信停止時刻との差分時間の経過時に対応する箇所から、前記番組記憶手段に記憶された番組のデータを再生する
ことを特徴とする番組再生方法。
【請求項４６】
再生対象となる番組のデータを記憶する番組記憶手段を備え、録画された番組を再生する第１の番組視聴装置と、録画された番組を再生する第２の番組視聴装置とを用いた番組再生方法であって、
前記第１の番組視聴装置の第１の再生手段が、前記番組記憶手段に記憶された番組のデータを再生し、
前記第１の番組視聴装置の第１の最終再生点情報生成手段が、前記第１の再生手段が前記番組のデータの再生を停止したときに、前記番組のデータのうちの再生停止箇所を特定可能な最終再生点情報を生成し、
前記第１の番組視聴装置の最終再生点情報付加手段が、前記最終再生点情報を前記番組のデータと対応させて前記番組記憶手段に記憶させ、
前記第１の番組視聴装置の変換手段が、前記番組のデータを前記第２の番組視聴装置で再生可能なフォーマットに変換し、
前記第１の番組視聴装置の第１の出力手段が、前記変換手段によって変換された番組のデータおよび当該番組のデータに対応する最終再生点情報を出力し、
前記第２の番組視聴装置の第２の入力手段が、前記第１の出力手段が出力した番組のデータおよび当該番組のデータに対応する最終再生点情報を入力し、
前記第２の番組視聴装置の第２の再生手段が、前記第２の入力手段が入力した前記番組のデータを再生し、
前記第２の番組視聴装置の第２の最終再生点情報生成手段が、前記第２の再生手段が前記番組のデータの再生を停止したときに、前記番組のデータのうちの再生停止箇所を特定可能な最終再生点情報を生成し、
前記第２の番組視聴装置の第２の出力手段が、前記第２の最終再生点情報生成手段が生成した最終再生点情報を出力し、
前記第１の番組視聴装置の第１の入力手段が、前記第２の出力手段が出力する最終再生点情報を入力し、
前記最終再生点情報付加手段が、前記第１の入力手段が入力した最終再生点情報によって特定される再生停止箇所が、当該最終再生点情報付加手段が番組のデータと対応させて前記番組記憶手段に記憶させた最終再生点情報によって特定される再生停止箇所よりも時間的に後の箇所である場合に、前記第１の入力手段が入力した最終再生点情報を前記番組のデータと対応させて前記番組記憶手段に記憶させる
ことを特徴とする番組再生方法。
【請求項４７】
コンピュータに、
放送局から放送される番組のデータを受信し、受信したデータに基づいて番組を出力する処理、
前記番組を放送している放送局を特定可能な放送局特定情報と、録画開始を指示する旨の情報とを、番組の録画および再生を行う録画再生装置に送信する処理、および
番組のデータの受信を停止した時刻である受信停止時刻を判定し、当該受信停止時刻の情報を出力する処理
を実行させるための番組視聴プログラム。
【請求項４８】
録画対象となる番組のデータを記憶する番組記憶手段を備えたコンピュータに搭載される録画再生プログラムであって、
前記コンピュータに、
放送される番組を出力する番組視聴装置から、放送局を特定可能な放送局特定情報と、録画開始を指示する旨の情報とを受信する処理、
受信した前記録画開始を指示する旨の情報に応じて、前記放送局特定情報によって特定される放送局から放送される番組のデータを受信し、番組のデータを時刻の情報とともに前記番組記憶手段に記憶させることにより録画を行う処理、
前記番組視聴装置が出力した受信停止時刻の情報を入力する処理、および
番組記憶手段に記憶された番組のデータを、前記受信停止時刻が示す箇所から再生する処理
を実行させるための録画再生プログラム。
【請求項４９】
コンピュータに、
放送局から放送される番組のデータを受信し、受信したデータに基づいて番組を出力する処理、
前記番組を放送している放送局を特定可能な放送局特定情報と、録画を指示する旨の情報とを、番組の録画および再生を行う録画再生装置に送信する処理、および
番組のデータの受信を停止した時刻である受信停止時刻を判定し、当該受信停止時刻の情報を出力する処理
を実行させるための番組視聴プログラム。
【請求項５０】
放送局が放送する各番組の放送時間帯情報を含む番組表データを記憶する番組表データ記憶手段と、録画対象となる番組のデータを記憶する番組記憶手段とを備えたコンピュータに搭載される録画再生プログラムであって、
前記コンピュータに、
放送される番組を出力する番組視聴装置から、放送局を特定可能な放送局特定情報と、録画を指示する旨の情報とを受信する処理、
受信した前記録画を指示する旨の情報に応じて、前記放送局特定情報と、前記番組表データとに基づいて、前記番組視聴装置が出力している番組および当該番組の開始時刻を判定する処理、
判定された番組の再放送の有無を前記番組表データに基づいて判定する処理、
再放送があると判定された番組の再放送の時間帯の間、前記放送局特定情報によって特定される放送局から放送される番組のデータを受信し、番組のデータを時刻の情報とともに前記番組記憶手段に記憶させることにより再放送される番組の録画を行う処理、
前記番組視聴装置が出力した受信停止時刻の情報を入力する処理、および
前記開始時刻と前記受信停止時刻との差分時間の経過時に対応する箇所から、前記番組記憶手段に記憶された番組のデータを再生する処理
を実行させるための録画再生プログラム。
【請求項５１】
再生対象となる番組のデータを記憶する番組記憶手段を備えたコンピュータに搭載される番組視聴プログラムであって、
前記コンピュータに、
前記番組のデータを再生する処理、
前記番組のデータにおける再生が停止された再生停止箇所を特定可能な最終再生点情報を生成する処理、
前記最終再生点情報を前記番組のデータと対応させて前記番組記憶手段に記憶させる処理、
前記番組のデータを他の番組視聴装置で再生可能なフォーマットに変換する処理、
変換された番組のデータおよび当該番組のデータに対応する最終再生点情報を出力する処理、
前記他の番組視聴装置が出力する最終再生点情報を入力する処理、および
入力した最終再生点情報によって特定される再生停止箇所が、番組のデータと対応させて前記番組記憶手段に記憶させた最終再生点情報によって特定される再生停止箇所よりも時間的に後の箇所である場合に、入力した最終再生点情報を前記番組のデータと対応させて前記番組記憶手段に記憶させる処理
を実行させるための番組視聴プログラム。
【請求項５２】
コンピュータに、
他の番組視聴装置が出力した番組のデータおよび当該番組のデータにおける再生停止箇所を特定可能な最終再生点情報を入力する処理、
前記番組のデータを再生する処理、
前記番組のデータにおける再生が停止された再生停止箇所を特定可能な最終再生点情報を生成する処理、および
生成した最終再生点情報を出力する処理
を実行させるための番組視聴プログラム。
【発明の詳細な説明】
【技術分野】
【０００１】
本発明は、放送される番組を視聴者が閲覧することができる番組視聴システム、番組再生方法、番組視聴システムおよび番組再生方法に適用される番組視聴装置、録画再生装置、番組視聴プログラムおよび録画再生プログラムに関する。
【背景技術】
【０００２】
近年、テレビジョン放送受信機能を有する機器の種類が増加した。例えば、テレビジョン受像機だけでなく、パーソナルコンピュータ（以下、パソコンと記す。）や携帯電話機等、様々な機器でテレビジョン放送を受信できるようになった。
【０００３】
この結果、視聴者は、様々な場所でテレビジョン放送の番組を視聴できるようになった。例えば、携帯電話機を携帯している視聴者は、外出しているときでもテレビジョン放送の番組を視聴できる。ここで、「番組」は、コンテンツを意味する。
【０００４】
また、番組を記録装置に録画し、録画した番組を再生して視聴する場合もある。そして、テレビジョン放送を受信して視聴者に番組を視聴させつつメモリカードに録画を行い、視聴者が視聴を中断するときには、視聴者がどこまで視聴したかを示すマーク情報をメモリカードに記録する携帯型視聴装置が提案されている（例えば、特許文献１参照）。特許文献１に記載された携帯型視聴装置は、後に番組を再生するときには、マーク情報に基づいて、未視聴箇所から再生する。
【０００５】
【特許文献１】特開２００３−１０１９２１号公報（段落００２６−００２８、図４）
【発明の開示】
【発明が解決しようとする課題】
【０００６】
上述のように、視聴者は、様々な場所でテレビジョン放送の番組を視聴できるようになった。しかし、場所的な制約や、時間的な制約により、視聴を中断しなければならない場合がある。例えば、外出先で携帯電話機を用いて番組を視聴しているときに、電車に乗るために視聴を中断しなければならないことがある。また、例えば、自宅のパソコンで番組を視聴しているときに外出予定時刻となり、視聴を中断しなければならないことがある。
【０００７】
このような場合、視聴を中断した箇所から番組の視聴を再開できることが好ましい。特許文献１に記載された携帯型視聴装置では、視聴中断時にマーク情報をメモリカードに記録し、後に視聴を再開するときには、マーク情報に基づいて未視聴箇所から再生する。従って、中断した箇所の続きから番組を視聴することができる。
【０００８】
しかし、特許文献１に記載された携帯型視聴装置では、視聴中断後に再度番組の続きを視聴する場合にも、それまで番組を視聴していた携帯型視聴装置を使用しなければならないという制約があった。すなわち、番組の視聴を中断して再度番組を視聴するときに、異なる視聴装置で番組を視聴することができなかった。
【０００９】
例えば、外出先で携帯型視聴装置を用いて番組を視聴している場合に視聴を中断し、自宅で番組の続きを視聴するものとする。この場合、視聴者は、自宅では携帯型視聴装置よりも大きな画面を有する視聴装置（例えば、パソコン等）で視聴することを望むと考えられる。しかし、特許文献１に記載された携帯型視聴装置では、このように異なる視聴装置で番組を視聴することができなかった。
【００１０】
また、自宅のパソコンで番組を視聴しているときに外出予定時刻となり、外出先で番組の続きを視聴したいと考える場合がある。この場合、外出先では、パソコンではなく、携帯型視聴装置を用いて番組を視聴する必要がある。特許文献１に記載された携帯型視聴装置では、このような場合にも対応できなかった。
【００１１】
また、録画した番組を再生して視聴する場合にも、視聴を終了した箇所の続きから、異なる装置で視聴を迅速に再開できることが好ましい。例えば、自宅のパソコンで番組を再生して視聴しているときに外出予定時刻となり、外出先で別の装置を用いてその続きを視聴したいと考える場合がある。さらに、帰宅後に再びパソコンでその続きを視聴したいと考える場合がある。
【００１２】
そこで、本発明は、番組の視聴を中断した後に、それまで番組を視聴していた装置とは異なる装置を用いて、中断した箇所から番組の視聴を迅速に再開することができる番組視聴システム、番組再生方法と、その番組視聴システムおよび番組再生方法に適用される番組視聴装置、録画再生装置、番組視聴プログラムおよび録画再生プログラムを提供することを目的とする。
【課題を解決するための手段】
【００１３】
本発明による番組視聴システムは、放送される番組を出力する番組視聴装置と、放送される番組の録画および再生を行う録画再生装置とを備え、前記番組視聴装置が、放送局から放送される番組のデータを受信し、受信したデータに基づいて番組を出力する番組出力手段と、前記番組を放送している放送局を特定可能な放送局特定情報と、録画開始を指示する旨の情報とを前記録画再生装置に送信する録画開始指示送信手段と、前記番組出力手段が番組のデータの受信を停止した時刻である受信停止時刻を判定し、当該受信停止時刻の情報を出力する受信停止時刻出力手段とを含み、前記録画再生装置が、録画対象となる番組のデータを記憶する番組記憶手段と、前記録画開始指示送信手段が送信した前記放送局特定情報と前記録画開始を指示する旨の情報とを受信する録画開始指示受信手段と、前記録画開始指示受信手段が受信した前記録画開始を指示する旨の情報に応じて、前記放送局特定情報によって特定される放送局から放送される番組のデータを受信し、番組のデータを時刻の情報とともに前記番組記憶手段に記憶させることにより録画を行う録画手段と、前記受信停止時刻出力手段が出力した受信停止時刻の情報を入力する受信停止時刻入力手段と、前記番組記憶手段に記憶された番組のデータを、前記受信停止時刻入力手段が入力した前記受信停止時刻が示す箇所から再生する再生手段とを含むことを特徴とする。なお、既に説明したように、「番組」は、コンテンツを意味する。従って、放送される番組とは、放送されるコンテンツのことを指す。
【００１４】
前記番組視聴装置が、ユーザからの放送局の切り替え操作を受け付ける放送局切り替え操作手段と、前記放送局切り替え操作手段が受け付ける切り替え操作に応じて、前記番組出力手段が番組のデータを受信する放送局を切り替える視聴放送局切り替え手段と、前記視聴放送局切り替え手段によって切り替えられた後の放送局を特定可能な放送局特定情報と、放送局の切り替えを指示する旨の情報とを前記録画再生装置に送信する放送局切り替え指示送信手段とを含み、前記録画再生装置が、前記放送局切り替え指示送信手段が送信した前記放送局特定情報と前記放送局の切り替えを指示する旨の情報とを受信する放送局切り替え指示受信手段と、前記放送局切り替え指示受信手段が受信した前記放送局の切り替えを指示する旨の情報に応じて、前記録画手段が番組のデータを受信する放送局を、前記放送局特定情報によって特定される放送局に切り替える録画放送局切り替え手段とを含む構成であってもよい。そのような構成によれば、番組視聴装置が、放送局の切り替え操作に応じて、番組のデータを受信する放送局を切り替えたとしても、録画再生装置は、番組視聴装置において切り替えられた放送局の番組を録画することができる。
【００１５】
前記番組視聴装置が、前記視聴放送局切り替え手段が放送局を切り替えた時刻である切り替え時刻を判定し、当該切り替え時刻の情報を前記録画再生装置に送信する切り替え時刻送信手段を含み、前記録画再生装置が、前記切り替え時刻送信手段が送信した前記切り替え時刻の情報を受信する切り替え時刻受信手段と、前記切り替え時刻受信手段が受信した前記切り替え時刻の情報に基づいて、前記録画手段が前記番組記憶手段に記憶させたデータのうち、前記切り替え時刻が示す箇所に、再生開始箇所の候補であることを示すインデックス情報を付加するインデックス情報付加手段と、インデックス情報が付加された箇所のうちの一つを指定される再生開始箇所指定手段と、インデックス情報が付加された箇所のうち、前記再生開始箇所指定手段が指定された箇所から番組のデータを再生する指定箇所再生手段とを含む構成であってもよい。そのような構成によれば、ユーザが放送局を切り替えたタイミングからの再生も迅速に行うことができる。
【００１６】
前記録画再生装置が、放送局が放送する各番組の放送時間帯情報を含む番組表データを記憶する番組表データ記憶手段と、前記録画開始指示受信手段が受信した放送局特定情報と、前記番組表データとに基づいて、録画対象となる番組を判定する番組判定手段と、前記番組判定手段によって判定された番組の再放送の有無を前記番組表データに基づいて判定する再放送有無判定手段と、前記再放送有無判定手段によって再放送があると判定された番組の再放送の時間帯の間、前記放送局特定情報によって特定される放送局から放送される番組のデータを受信し、番組のデータを前記番組記憶手段に記憶させることにより再放送される番組の録画を行う再放送録画手段とを含む構成であってもよい。そのような構成によれば、ユーザが視聴を開始した番組全体を録画しておくことができる。
【００１７】
前記番組視聴装置および前記録画再生装置それぞれに着脱可能な可搬型の外部記憶媒体を備え、前記番組視聴装置が、前記外部記憶媒体を装着させる第１の記憶媒体装着手段を含み、前記録画再生装置が、前記外部記憶媒体を装着させる第２の記憶媒体装着手段を含み、前記受信停止時刻出力手段が、前記第１の記憶媒体装着手段に装着された前記外部記憶媒体に受信停止時刻の情報を記憶させ、前記受信停止時刻入力手段が、前記第２の記憶媒体装着手段に装着された前記外部記憶媒体から受信停止時刻の情報を読み込むように構成されていてもよい。
【００１８】
前記受信停止時刻出力手段が、通信ネットワークを介して前記録画再生装置に受信停止時刻の情報を送信し、前記受信停止時刻入力手段が、前記受信停止時刻出力手段が通信ネットワークを介して送信した前記受信停止時刻の情報を受信するように構成されていてもよい。
【００１９】
時刻を計時し、計時した時刻の情報を電波によって送信する時刻情報送信手段を備え、前記番組視聴装置が、時刻を計時する番組視聴装置タイマと、前記時刻情報送信手段が送信した時刻の情報を受信する番組視聴装置時刻情報受信手段と、前記番組視聴装置時刻情報受信手段が受信した時刻の情報に基づいて、前記番組視聴装置タイマが計時する時刻を、前記時刻情報送信手段が計時する時刻にあわせる番組視聴装置時刻調整手段とを含み、前記受信停止時刻出力手段は、前記番組視聴装置タイマが計時する時刻によって受信停止時刻を判定するように構成されていてもよい。そのような構成によれば、番組視聴装置タイマに誤差が生じた場合であっても、その誤差を修正することができ、正確に受信停止時刻を判定できる。
【００２０】
時刻を計時し、計時した時刻の情報を電波によって送信する時刻情報送信手段を備え、前記録画再生装置が、時刻を計時する録画再生装置タイマと、前記時刻情報送信手段が送信した時刻の情報を受信する録画再生装置時刻情報受信手段と、前記録画再生装置時刻情報受信手段が受信した時刻の情報に基づいて、前記録画再生装置タイマが計時する時刻を、前記時刻情報送信手段が計時する時刻にあわせる録画再生装置時刻調整手段とを含み、前記録画手段は、前記録画再生装置タイマが計時する時刻の情報とともに番組のデータを前記番組記憶手段に記憶させるように構成されていてもよい。そのような構成によれば、録画再生装置タイマに誤差が生じた場合であっても、その誤差を修正することができ、正確な時刻の情報を記憶させることができる。
【００２１】
また、本発明による番組視聴システムは、放送される番組を出力する番組視聴装置と、放送される番組の録画および再生を行う録画再生装置とを備え、前記番組視聴装置が、放送局から放送される番組のデータを受信し、受信したデータに基づいて番組を出力する番組出力手段と、前記番組を放送している放送局を特定可能な放送局特定情報と、録画を指示する旨の情報とを前記録画再生装置に送信する録画指示送信手段と、前記番組出力手段が番組のデータの受信を停止した時刻である受信停止時刻を判定し、当該受信停止時刻の情報を出力する受信停止時刻出力手段とを含み、前記録画再生装置が、前記録画指示送信手段が送信した前記放送局特定情報と前記録画を指示する旨の情報とを受信する録画指示受信手段と、放送局が放送する各番組の放送時間帯情報を含む番組表データを記憶する番組表データ記憶手段と、前記録画指示受信手段が受信した前記録画を指示する旨の情報に応じて、前記放送局特定情報と、前記番組表データとに基づいて、前記番組出力手段が出力している番組および当該番組の開始時刻を判定する番組判定手段と、前記番組判定手段によって判定された番組の再放送の有無を前記番組表データに基づいて判定する再放送有無判定手段と、録画対象となる番組のデータを記憶する番組記憶手段と、前記再放送有無判定手段によって再放送があると判定された番組の再放送の時間帯の間、前記放送局特定情報によって特定される放送局から放送される番組のデータを受信し、番組のデータを時刻の情報とともに前記番組記憶手段に記憶させることにより再放送される番組の録画を行う録画手段と、前記受信停止時刻出力手段が出力した受信停止時刻の情報を入力する受信停止時刻入力手段と、前記番組判定手段が判定した番組の開始時刻と前記受信停止時刻との差分時間の経過時に対応する箇所から、前記番組記憶手段に記憶された番組のデータを再生する再生手段とを含むことを特徴とする。
【００２２】
前記番組視聴装置および前記録画再生装置それぞれに着脱可能な可搬型の外部記憶媒体を備え、前記番組視聴装置が、前記外部記憶媒体を装着させる第１の記憶媒体装着手段を含み、前記録画再生装置が、前記外部記憶媒体を装着させる第２の記憶媒体装着手段を含み、前記受信停止時刻出力手段が、前記第１の記憶媒体装着手段に装着された前記外部記憶媒体に受信停止時刻の情報を記憶させ、前記受信停止時刻入力手段が、前記第２の記憶媒体装着手段に装着された前記外部記憶媒体から受信停止時刻の情報を読み込むように構成されていてもよい。
【００２３】
前記受信停止時刻出力手段が、通信ネットワークを介して前記録画再生装置に受信停止時刻の情報を送信し、前記受信停止時刻入力手段が、前記受信停止時刻出力手段が通信ネットワークを介して送信した前記受信停止時刻の情報を受信するように構成されていてもよい。
【００２４】
時刻を計時し、計時した時刻の情報を電波によって送信する時刻情報送信手段を備え、前記番組視聴装置が、時刻を計時する番組視聴装置タイマと、前記時刻情報送信手段が送信した時刻の情報を受信する番組視聴装置時刻情報受信手段と、前記番組視聴装置時刻情報受信手段が受信した時刻の情報に基づいて、前記番組視聴装置タイマが計時する時刻を、前記時刻情報送信手段が計時する時刻にあわせる番組視聴装置時刻調整手段とを含み、前記受信停止時刻出力手段は、前記番組視聴装置タイマが計時する時刻によって受信停止時刻を判定するように構成されていてもよい。そのような構成によれば、番組視聴装置タイマに誤差が生じた場合であっても、その誤差を修正することができ、正確に受信停止時刻を判定できる。
【００２５】
時刻を計時し、計時した時刻の情報を電波によって送信する時刻情報送信手段を備え、前記録画再生装置が、時刻を計時する録画再生装置タイマと、前記時刻情報送信手段が送信した時刻の情報を受信する録画再生装置時刻情報受信手段と、前記録画再生装置時刻情報受信手段が受信した時刻の情報に基づいて、前記録画再生装置タイマが計時する時刻を、前記時刻情報送信手段が計時する時刻にあわせる録画再生装置時刻調整手段とを含み、前記録画手段は、前記録画再生装置タイマが計時する時刻の情報とともに番組のデータを前記番組記憶手段に記憶させるように構成されていてもよい。そのような構成によれば、録画再生装置タイマに誤差が生じた場合であっても、その誤差を修正することができ、正確な時刻の情報を記憶させることができる。
【００２６】
また、本発明による番組視聴システムは、録画された番組を再生する第１の番組視聴装置と、録画された番組を再生する第２の番組視聴装置とを備え、前記第１の番組視聴装置が、再生対象となる番組のデータを記憶する番組記憶手段と、前記番組のデータを再生する第１の再生手段と、前記番組のデータにおける前記第１の再生手段による再生が停止された再生停止箇所を特定可能な最終再生点情報を生成する第１の最終再生点情報生成手段と、前記最終再生点情報を前記番組のデータと対応させて前記番組記憶手段に記憶させる最終再生点情報付加手段と、前記番組のデータを前記第２の番組視聴装置で再生可能なフォーマットに変換する変換手段と、前記変換手段によって変換された番組のデータおよび当該番組のデータに対応する最終再生点情報を出力する第１の出力手段と、前記第２の番組視聴装置が出力する最終再生点情報を入力する第１の入力手段とを含み、前記第２の番組視聴装置が、前記第１の出力手段が出力した番組のデータおよび当該番組のデータに対応する最終再生点情報を入力する第２の入力手段と、前記第２の入力手段が入力した前記番組のデータを再生する第２の再生手段と、前記番組のデータにおける前記第２の再生手段による再生が停止された再生停止箇所を特定可能な最終再生点情報を生成する第２の最終再生点情報生成手段と、前記第２の最終再生点情報生成手段が生成した最終再生点情報を出力する第２の出力手段とを含み、前記最終再生点情報付加手段が、前記第１の入力手段が入力した最終再生点情報によって特定される再生停止箇所が、当該最終再生点情報付加手段が番組のデータと対応させて前記番組記憶手段に記憶させた最終再生点情報によって特定される再生停止箇所よりも時間的に後の箇所である場合に、前記第１の入力手段が入力した最終再生点情報を前記番組のデータと対応させて前記番組記憶手段に記憶させることを特徴とする。
【００２７】
前記第１の番組視聴装置および前記第２の番組視聴装置それぞれに着脱可能な可搬型の外部記憶媒体を備え、前記第１の番組視聴装置が、前記外部記憶媒体を装着させる第１の記憶媒体装着手段を含み、前記第２の番組視聴装置が、前記外部記憶媒体を装着させる第２の記憶媒体装着手段を含み、前記第１の出力手段が、前記第１の記憶媒体装着手段に装着された前記外部記憶媒体に、前記変換手段によって変換された番組のデータおよび当該番組のデータに対応する最終再生点情報を記憶させ、前記第２の入力手段が、前記第２の記憶媒体装着手段に装着された前記外部記憶媒体から、前記番組のデータおよび前記番組のデータに対応する最終再生点情報を読み込み、前記第２の出力手段が、前記第２の記憶媒体装着手段に装着された前記外部記憶媒体に、前記第２の最終再生点情報生成手段が生成した最終再生点情報を記憶させ、前記第１の入力手段が、前記第１の記憶媒体装着手段に装着された前記外部記憶媒体から、前記最終再生点情報を読み込むように構成されていてもよい。
【００２８】
前記第１の出力手段が、前記変換手段によって変換された番組のデータおよび当該番組のデータに対応する最終再生点情報を、通信ネットワークを介して前記第２の番組視聴装置に送信し、前記第２の入力手段が、前記前記第１の出力手段が通信ネットワークを介して送信した番組のデータおよび当該番組のデータに対応する最終再生点情報を受信し、前記第２の出力手段が、前記第２の最終再生点情報生成手段が生成した最終再生点情報を、通信ネットワークを介して前記第１の番組視聴装置に送信し、前記第１の入力手段は、前記第２の出力手段が通信ネットワークを介して送信した最終再生点情報を受信するように構成されていてもよい。
【００２９】
また、本発明による番組視聴装置は、放送局から放送される番組のデータを受信し、受信したデータに基づいて番組を出力する番組出力手段と、前記番組を放送している放送局を特定可能な放送局特定情報と、録画開始を指示する旨の情報とを、番組の録画および再生を行う録画再生装置に送信する録画開始指示送信手段と、前記番組出力手段が番組のデータの受信を停止した時刻である受信停止時刻を判定し、当該受信停止時刻の情報を出力する受信停止時刻出力手段とを備えたことを特徴とする。
【００３０】
ユーザからの放送局の切り替え操作を受け付ける放送局切り替え操作手段と、前記放送局切り替え操作手段が受け付ける切り替え操作に応じて、前記番組出力手段が番組のデータを受信する放送局を切り替える視聴放送局切り替え手段と、前記視聴放送局切り替え手段によって切り替えられた後の放送局を特定可能な放送局特定情報と、放送局の切り替えを指示する旨の情報とを前記録画再生装置に送信する放送局切り替え指示送信手段とを備えた構成であってもよい。
【００３１】
前記視聴放送局切り替え手段が放送局を切り替えた時刻である切り替え時刻を判定し、当該切り替え時刻の情報を前記録画再生装置に送信する切り替え時刻送信手段を備えた構成であってもよい。
【００３２】
前記番組視聴装置および前記録画再生装置それぞれに着脱可能な可搬型の外部記憶媒体を装着させる記憶媒体装着手段を備え、前記受信停止時刻出力手段が、前記記憶媒体装着手段に装着された前記外部記憶媒体に受信停止時刻の情報を記憶させるように構成されていてもよい。
【００３３】
前記受信停止時刻出力手段が、通信ネットワークを介して前記録画再生装置に受信停止時刻の情報を送信するように構成されていてもよい。
【００３４】
計時した時刻の情報を電波によって送信する時刻情報送信手段が送信した時刻の情報を受信する番組視聴装置時刻情報受信手段と、時刻を計時する番組視聴装置タイマと、前記番組視聴装置時刻情報受信手段が受信した時刻の情報に基づいて、前記番組視聴装置タイマが計時する時刻を、前記時刻情報送信手段が計時する時刻にあわせる番組視聴装置時刻調整手段とを備え、前記受信停止時刻出力手段が、前記番組視聴装置タイマが計時する時刻によって受信停止時刻を判定するように構成されていてもよい。そのような構成によれば、番組視聴装置タイマに誤差が生じた場合であっても、その誤差を修正することができ、正確に受信停止時刻を判定できる。
【００３５】
また、本発明による録画再生装置は、録画対象となる番組のデータを記憶する番組記憶手段と、放送される番組を出力する番組視聴装置から、放送局を特定可能な放送局特定情報と、録画開始を指示する旨の情報とを受信する録画開始指示受信手段と、前記録画開始指示受信手段が受信した前記録画開始を指示する旨の情報に応じて、前記放送局特定情報によって特定される放送局から放送される番組のデータを受信し、番組のデータを時刻の情報とともに前記番組記憶手段に記憶させることにより録画を行う録画手段と、前記番組視聴装置が出力した受信停止時刻の情報を入力する受信停止時刻入力手段と、前記番組記憶手段に記憶された番組のデータを、前記受信停止時刻入力手段が入力した前記受信停止時刻が示す箇所から再生する再生手段とを備えたことを特徴とする。
【００３６】
前記番組視聴装置から、放送局特定情報と放送局の切り替えを指示する旨の情報とを受信する放送局切り替え指示受信手段と、前記放送局切り替え指示受信手段が受信した前記放送局の切り替えを指示する旨の情報に応じて、前記録画手段が番組のデータを受信する放送局を、前記放送局特定情報によって特定される放送局に切り替える録画放送局切り替え手段とを備えた構成であってもよい。
【００３７】
前記番組視聴装置から、放送局の切り替え時刻の情報を受信する切り替え時刻受信手段と、前記切り替え時刻受信手段が受信した前記切り替え時刻の情報に基づいて、前記録画手段が前記番組記憶手段に記憶させたデータのうち、前記切り替え時刻が示す箇所に、再生開始箇所の候補であることを示すインデックス情報を付加するインデックス情報付加手段と、インデックス情報が付加された箇所のうちの一つを指定される再生開始箇所指定手段と、インデックス情報が付加された箇所のうち、前記再生開始箇所指定手段が指定された箇所から番組のデータを再生する指定箇所再生手段と備えた構成であってもよい。
【００３８】
放送局が放送する各番組の放送時間帯情報を含む番組表データを記憶する番組表データ記憶手段と、前記録画開始指示受信手段が受信した放送局特定情報と、前記番組表データとに基づいて、録画対象となる番組を判定する番組判定手段と、前記番組判定手段によって判定された番組の再放送の有無を前記番組表データに基づいて判定する再放送有無判定手段と、前記再放送有無判定手段によって再放送があると判定された番組の再放送の時間帯の間、前記放送局特定情報によって特定される放送局から放送される番組のデータを受信し、番組のデータを前記番組記憶手段に記憶させることにより再放送される番組の録画を行う再放送録画手段とを備えた構成であってもよい。
【００３９】
前記番組視聴装置および前記録画再生装置それぞれに着脱可能な可搬型の外部記憶媒体を装着させる記憶媒体装着手段を備え、前記受信停止時刻入力手段が、前記記憶媒体装着手段に装着された前記外部記憶媒体から受信停止時刻の情報を読み込むように構成されていてもよい。
【００４０】
前記受信停止時刻入力手段が、前記番組視聴装置が通信ネットワークを介して送信した受信停止時刻の情報を受信するように構成されていてもよい。
【００４１】
計時した時刻の情報を電波によって送信する時刻情報送信手段が送信した時刻の情報を受信する録画再生装置時刻情報受信手段と、時刻を計時する録画再生装置タイマと、前記録画再生装置時刻情報受信手段が受信した時刻の情報に基づいて、前記録画再生装置タイマが計時する時刻を、前記時刻情報送信手段が計時する時刻にあわせる録画再生装置時刻調整手段とを備え、前記録画手段が、前記録画再生装置タイマが計時する時刻の情報とともに番組のデータを前記番組記憶手段に記憶させるように構成されていてもよい。そのような構成によれば、録画再生装置タイマに誤差が生じた場合であっても、その誤差を修正することができ、正確な時刻の情報を記憶させることができる。
【００４２】
また、本発明による番組視聴装置は、放送局から放送される番組のデータを受信し、受信したデータに基づいて番組を出力する番組出力手段と、前記番組を放送している放送局を特定可能な放送局特定情報と、録画を指示する旨の情報とを、番組の録画および再生を行う録画再生装置に送信する録画指示送信手段と、前記番組出力手段が番組のデータの受信を停止した時刻である受信停止時刻を判定し、当該受信停止時刻の情報を出力する受信停止時刻出力手段とを備えたことを特徴とする。
【００４３】
前記番組視聴装置および前記録画再生装置それぞれに着脱可能な可搬型の外部記憶媒体を装着させる記憶媒体装着手段を備え、前記受信停止時刻出力手段が、前記記憶媒体装着手段に装着された前記外部記憶媒体に受信停止時刻の情報を記憶させるように構成されていてもよい。
【００４４】
前記受信停止時刻出力手段が、通信ネットワークを介して前記録画再生装置に受信停止時刻の情報を送信するように構成されていてもよい。
【００４５】
計時した時刻の情報を電波によって送信する時刻情報送信手段が送信した時刻の情報を受信する番組視聴装置時刻情報受信手段と、時刻を計時する番組視聴装置タイマと、前記番組視聴装置時刻情報受信手段が受信した時刻の情報に基づいて、前記番組視聴装置タイマが計時する時刻を、前記時刻情報送信手段が計時する時刻にあわせる番組視聴装置時刻調整手段とを備え、前記受信停止時刻出力手段が、前記番組視聴装置タイマが計時する時刻によって受信停止時刻を判定するように構成されていてもよい。そのような構成によれば、番組視聴装置タイマに誤差が生じた場合であっても、その誤差を修正することができ、正確に受信停止時刻を判定できる。
【００４６】
また、本発明による録画再生装置は、放送局が放送する各番組の放送時間帯情報を含む番組表データを記憶する番組表データ記憶手段と、放送される番組を出力する番組視聴装置から、放送局を特定可能な放送局特定情報と、録画を指示する旨の情報とを受信する録画指示受信手段と、前記録画指示受信手段が受信した前記録画を指示する旨の情報に応じて、前記放送局特定情報と、前記番組表データとに基づいて、前記番組視聴装置が出力している番組および当該番組の開始時刻を判定する番組判定手段と、前記番組判定手段によって判定された番組の再放送の有無を前記番組表データに基づいて判定する再放送有無判定手段と、録画対象となる番組のデータを記憶する番組記憶手段と、前記再放送有無判定手段によって再放送があると判定された番組の再放送の時間帯の間、前記放送局特定情報によって特定される放送局から放送される番組のデータを受信し、番組のデータを時刻の情報とともに前記番組記憶手段に記憶させることにより再放送される番組の録画を行う録画手段と、前記番組視聴装置が出力した受信停止時刻の情報を入力する受信停止時刻入力手段と、前記番組判定手段が判定した番組の開始時刻と前記受信停止時刻との差分時間の経過時に対応する箇所から、前記番組記憶手段に記憶された番組のデータを再生する再生手段とを備えたことを特徴とする。
【００４７】
前記番組視聴装置および前記録画再生装置それぞれに着脱可能な可搬型の外部記憶媒体を装着させる記憶媒体装着手段を備え、前記受信停止時刻入力手段が、前記記憶媒体装着手段に装着された前記外部記憶媒体から受信停止時刻の情報を読み込むように構成されていてもよい。
【００４８】
前記受信停止時刻入力手段が、前記番組視聴装置が通信ネットワークを介して送信した受信停止時刻の情報を受信するように構成されていてもよい。
【００４９】
計時した時刻の情報を電波によって送信する時刻情報送信手段が送信した時刻の情報を受信する録画再生装置時刻情報受信手段と、時刻を計時する録画再生装置タイマと、前記録画再生装置時刻情報受信手段が受信した時刻の情報に基づいて、前記録画再生装置タイマが計時する時刻を、前記時刻情報送信手段が計時する時刻にあわせる録画再生装置時刻調整手段とを備え、前記録画手段が、前記録画再生装置タイマが計時する時刻の情報とともに番組のデータを前記番組記憶手段に記憶させるように構成されていてもよい。そのような構成によれば、録画再生装置タイマに誤差が生じた場合であっても、その誤差を修正することができ、正確な時刻の情報を記憶させることができる。
【００５０】
また、本発明による番組視聴装置は、再生対象となる番組のデータを記憶する番組記憶手段と、前記番組のデータを再生する再生手段と、前記番組のデータにおける前記再生手段による再生が停止された再生停止箇所を特定可能な最終再生点情報を生成する最終再生点情報生成手段と、前記最終再生点情報を前記番組のデータと対応させて前記番組記憶手段に記憶させる最終再生点情報付加手段と、前記番組のデータを他の番組視聴装置で再生可能なフォーマットに変換する変換手段と、前記変換手段によって変換された番組のデータおよび当該番組のデータに対応する最終再生点情報を出力する出力手段と、前記他の番組視聴装置が出力する最終再生点情報を入力する入力手段とを備え、前記最終再生点情報付加手段が、前記入力手段が入力した最終再生点情報によって特定される再生停止箇所が、当該最終再生点情報付加手段が番組のデータと対応させて前記番組記憶手段に記憶させた最終再生点情報によって特定される再生停止箇所よりも時間的に後の箇所である場合に、前記入力手段が入力した最終再生点情報を前記番組のデータと対応させて前記番組記憶手段に記憶させることを特徴とする。
【００５１】
当該番組視聴装置と前記他の番組視聴装置それぞれに着脱可能な可搬型の外部記憶媒体を装着させる記憶媒体装着手段を備え、前記出力手段が、前記記憶媒体装着手段に装着された前記外部記憶媒体に、前記変換手段によって変換された番組のデータおよび当該番組のデータに対応する最終再生点情報を記憶させ、前記入力手段が、前記記憶媒体装着手段に装着された前記外部記憶媒体から、前記他の番組視聴装置が出力した最終再生点情報を読み込むように構成されていてもよい。
【００５２】
前記出力手段が、前記変換手段によって変換された番組のデータおよび当該番組のデータに対応する最終再生点情報を、通信ネットワークを介して前記他の番組視聴装置に送信し、前記入力手段が、前記他の番組視聴装置が通信ネットワークを介して送信した最終再生点情報を受信するように構成されていてもよい。
【００５３】
また、本発明による番組視聴装置は、他の番組視聴装置が出力した番組のデータおよび当該番組のデータにおける再生停止箇所を特定可能な最終再生点情報を入力する入力手段と、前記入力手段が入力した前記番組のデータを再生する再生手段と、前記番組のデータにおける前記再生手段による再生が停止された再生停止箇所を特定可能な最終再生点情報を生成する最終再生点情報生成手段と、前記最終再生点情報生成手段が生成した最終再生点情報を出力する出力手段とを備えたことを特徴とする。
【００５４】
当該番組視聴装置と前記他の番組視聴装置それぞれに着脱可能な可搬型の外部記憶媒体を装着させる記憶媒体装着手段を備え、前記入力手段は、前記記憶媒体装着手段に装着された前記外部記憶媒体から、前記他の番組視聴装置が出力した番組のデータおよび最終再生点情報を読み込み、前記出力手段は、前記記憶媒体装着手段に装着された前記外部記憶媒体に、前記最終再生点情報生成手段が生成した最終再生点情報を記憶させるように構成されていてもよい。
【００５５】
前記入力手段は、前記他の番組視聴装置が通信ネットワークを介して送信した番組のデータおよび最終再生点情報を受信し、前記出力手段は、前記最終再生点情報生成手段が生成した最終再生点情報を、通信ネットワークを介して前記他の番組視聴装置に送信するように構成されていてもよい。
【００５６】
また、本発明による番組再生方法は、放送される番組を出力する番組視聴装置と、録画対象となる番組のデータを記憶する番組記憶手段を備えた録画再生装置と用いた番組再生方法であって、前記番組視聴装置の番組出力手段が、放送局から放送される番組のデータを受信し、受信したデータに基づいて番組を出力し、前記番組視聴装置の録画開始指示送信手段が、前記番組出力手段が番組の出力を開始したときに、前記番組を放送している放送局を特定可能な放送局特定情報と、録画開始を指示する旨の情報とを前記録画再生装置に送信し、前記番組視聴装置の受信停止時刻出力手段が、前記番組出力手段が番組のデータの受信を停止したときに、前記番組出力手段が番組のデータの受信を停止した時刻である受信停止時刻を判定し、当該受信停止時刻の情報を出力し、前記録画再生装置の録画開始指示受信手段が、前記録画開始指示送信手段が送信した前記放送局特定情報と前記録画開始を指示する旨の情報とを受信し、前記録画再生装置の録画手段が、前記録画開始指示受信手段が前記放送局特定情報と前記録画開始を指示する旨の情報とを受信したときに、前記放送局特定情報によって特定される放送局から放送される番組のデータを受信し、番組のデータを時刻の情報とともに前記番組記憶手段に記憶させることにより録画を行い、前記録画再生装置の受信停止時刻入力手段が、前記受信停止時刻出力手段が出力した受信停止時刻の情報を入力し、前記録画再生装置の再生手段が、前記番組記憶手段に記憶された番組のデータを、前記受信停止時刻入力手段が入力した前記受信停止時刻が示す箇所から再生することを特徴とする。
【００５７】
また、本発明による番組再生方法は、録画対象となる番組のデータを記憶する番組記憶手段と、放送局が放送する各番組の放送時間帯情報を含む番組表データを記憶する番組表データ記憶手段とを備えた録画再生装置と、放送される番組を出力する番組視聴装置とを用いた番組再生方法であって、前記番組視聴装置の番組出力手段が、放送局から放送される番組のデータを受信し、受信したデータに基づいて番組を出力し、前記番組視聴装置の録画指示送信手段が、前記番組出力手段が番組の出力を開始したときに、前記番組を放送している放送局を特定可能な放送局特定情報と、録画を指示する旨の情報とを前記録画再生装置に送信し、前記番組視聴装置の受信停止時刻出力手段が、前記番組出力手段が番組のデータの受信を停止したときに、前記番組出力手段が番組のデータの受信を停止した時刻である受信停止時刻を判定し、当該受信停止時刻の情報を出力し、前記録画再生装置の録画指示受信手段が、前記録画指示送信手段が送信した前記放送局特定情報と前記録画を指示する旨の情報とを受信し、前記録画再生装置の番組判定手段が、前記録画指示受信手段が前記放送局特定情報と前記録画を指示する旨の情報とを受信したときに、前記放送局特定情報と、前記番組表データとに基づいて、前記番組出力手段が出力している番組および当該番組の開始時刻を判定し、前記録画再生装置の再放送有無判定手段が、前記番組判定手段によって判定された番組の再放送の有無を前記番組表データに基づいて判定し、前記録画再生装置の録画手段が、前記再放送有無判定手段によって再放送があると判定された番組の再放送の時間帯の間、前記放送局特定情報によって特定される放送局から放送される番組のデータを受信し、番組のデータを時刻の情報とともに前記番組記憶手段に記憶させることにより再放送される番組の録画を行い、前記録画再生装置の受信停止時刻入力手段が、前記受信停止時刻出力手段が出力した受信停止時刻の情報を入力し、前記録画再生装置の再生手段が、前記番組判定手段が判定した番組の開始時刻と前記受信停止時刻との差分時間の経過時に対応する箇所から、前記番組記憶手段に記憶された番組のデータを再生することを特徴とする。
【００５８】
また、本発明による番組再生方法は、再生対象となる番組のデータを記憶する番組記憶手段を備え、録画された番組を再生する第１の番組視聴装置と、録画された番組を再生する第２の番組視聴装置とを用いた番組再生方法であって、前記第１の番組視聴装置の第１の再生手段が、前記番組記憶手段に記憶された番組のデータを再生し、前記第１の番組視聴装置の第１の最終再生点情報生成手段が、前記第１の再生手段が前記番組のデータの再生を停止したときに、前記番組のデータのうちの再生停止箇所を特定可能な最終再生点情報を生成し、前記第１の番組視聴装置の最終再生点情報付加手段が、前記最終再生点情報を前記番組のデータと対応させて前記番組記憶手段に記憶させ、前記第１の番組視聴装置の変換手段が、前記番組のデータを前記第２の番組視聴装置で再生可能なフォーマットに変換し、前記第１の番組視聴装置の第１の出力手段が、前記変換手段によって変換された番組のデータおよび当該番組のデータに対応する最終再生点情報を出力し、前記第２の番組視聴装置の第２の入力手段が、前記第１の出力手段が出力した番組のデータおよび当該番組のデータに対応する最終再生点情報を入力し、前記第２の番組視聴装置の第２の再生手段が、前記第２の入力手段が入力した前記番組のデータを再生し、前記第２の番組視聴装置の第２の最終再生点情報生成手段が、前記第２の再生手段が前記番組のデータの再生を停止したときに、前記番組のデータのうちの再生停止箇所を特定可能な最終再生点情報を生成し、前記第２の番組視聴装置の第２の出力手段が、前記第２の最終再生点情報生成手段が生成した最終再生点情報を出力し、前記第１の番組視聴装置の第１の入力手段が、前記第２の出力手段が出力する最終再生点情報を入力し、前記最終再生点情報付加手段が、前記第１の入力手段が入力した最終再生点情報によって特定される再生停止箇所が、当該最終再生点情報付加手段が番組のデータと対応させて前記番組記憶手段に記憶させた最終再生点情報によって特定される再生停止箇所よりも時間的に後の箇所である場合に、前記第１の入力手段が入力した最終再生点情報を前記番組のデータと対応させて前記番組記憶手段に記憶させることを特徴とする。
【００５９】
また、本発明による番組視聴プログラムは、コンピュータに、放送局から放送される番組のデータを受信し、受信したデータに基づいて番組を出力する処理、前記番組を放送している放送局を特定可能な放送局特定情報と、録画開始を指示する旨の情報とを、番組の録画および再生を行う録画再生装置に送信する処理、および番組のデータの受信を停止した時刻である受信停止時刻を判定し、当該受信停止時刻の情報を出力する処理を実行させることを特徴とする。
【００６０】
また、本発明による録画再生プログラムは、録画対象となる番組のデータを記憶する番組記憶手段を備えたコンピュータに搭載される録画再生プログラムであって、前記コンピュータに、放送される番組を出力する番組視聴装置から、放送局を特定可能な放送局特定情報と、録画開始を指示する旨の情報とを受信する処理、受信した前記録画開始を指示する旨の情報に応じて、前記放送局特定情報によって特定される放送局から放送される番組のデータを受信し、番組のデータを時刻の情報とともに前記番組記憶手段に記憶させることにより録画を行う処理、前記番組視聴装置が出力した受信停止時刻の情報を入力する処理、および番組記憶手段に記憶された番組のデータを、前記受信停止時刻が示す箇所から再生する処理を実行させることを特徴とする。
【００６１】
また、本発明による番組視聴プログラムは、コンピュータに、放送局から放送される番組のデータを受信し、受信したデータに基づいて番組を出力する処理、前記番組を放送している放送局を特定可能な放送局特定情報と、録画を指示する旨の情報とを、番組の録画および再生を行う録画再生装置に送信する処理、および番組のデータの受信を停止した時刻である受信停止時刻を判定し、当該受信停止時刻の情報を出力する処理を実行させることを特徴とする。
【００６２】
また、本発明による録画再生プログラムは、放送局が放送する各番組の放送時間帯情報を含む番組表データを記憶する番組表データ記憶手段と、録画対象となる番組のデータを記憶する番組記憶手段とを備えたコンピュータに搭載される録画再生プログラムであって、前記コンピュータに、放送される番組を出力する番組視聴装置から、放送局を特定可能な放送局特定情報と、録画を指示する旨の情報とを受信する処理、受信した前記録画を指示する旨の情報に応じて、前記放送局特定情報と、前記番組表データとに基づいて、前記番組視聴装置が出力している番組および当該番組の開始時刻を判定する処理、判定された番組の再放送の有無を前記番組表データに基づいて判定する処理、再放送があると判定された番組の再放送の時間帯の間、前記放送局特定情報によって特定される放送局から放送される番組のデータを受信し、番組のデータを時刻の情報とともに前記番組記憶手段に記憶させることにより再放送される番組の録画を行う処理、前記番組視聴装置が出力した受信停止時刻の情報を入力する処理、および前記開始時刻と前記受信停止時刻との差分時間の経過時に対応する箇所から、前記番組記憶手段に記憶された番組のデータを再生する処理を実行させることを特徴とする。
【００６３】
また、本発明による番組視聴プログラムは、再生対象となる番組のデータを記憶する番組記憶手段を備えたコンピュータに搭載される番組視聴プログラムであって、前記コンピュータに、前記番組のデータを再生する処理、前記番組のデータにおける再生が停止された再生停止箇所を特定可能な最終再生点情報を生成する処理、前記最終再生点情報を前記番組のデータと対応させて前記番組記憶手段に記憶させる処理、前記番組のデータを他の番組視聴装置で再生可能なフォーマットに変換する処理、変換された番組のデータおよび当該番組のデータに対応する最終再生点情報を出力する処理、前記他の番組視聴装置が出力する最終再生点情報を入力する処理、および入力した最終再生点情報によって特定される再生停止箇所が、番組のデータと対応させて前記番組記憶手段に記憶させた最終再生点情報によって特定される再生停止箇所よりも時間的に後の箇所である場合に、入力した最終再生点情報を前記番組のデータと対応させて前記番組記憶手段に記憶させる処理を実行させることを特徴とする。
【００６４】
また、本発明による番組視聴プログラムは、コンピュータに、他の番組視聴装置が出力した番組のデータおよび当該番組のデータにおける再生停止箇所を特定可能な最終再生点情報を入力する処理、前記番組のデータを再生する処理、前記番組のデータにおける再生が停止された再生停止箇所を特定可能な最終再生点情報を生成する処理、および生成した最終再生点情報を出力する処理を実行させることを特徴とする。
【発明の効果】
【００６５】
本発明によれば、番組の視聴を中断した後に、それまで番組を視聴していた装置とは異なる装置を用いて、中断した箇所から番組の視聴を迅速に再開することができる。
【発明を実施するための最良の形態】
【００６６】
以下、本発明を実施するための最良の形態を、図面を参照して説明する。
【００６７】
実施の形態１．
図１は、本発明の第１の実施の形態の例を示すブロック図である。本発明による番組視聴システムは、２つの番組視聴装置１０，３０と、この２つの番組視聴装置１０，３０それぞれに着脱可能な可搬型の外部記憶媒体５０とを備える。また、図１に示す番組視聴装置１０，３０は、それぞれ番組を録画および再生する録画再生装置としての役割も果たす。本実施の形態では、一方の番組視聴装置が、テレビジョン放送の受信機能を有する携帯電話機であり、他方の番組視聴装置が、テレビジョン放送の受信機能を有するパソコン（パーソナルコンピュータ）である場合を例にして説明する。携帯電話機１０と、パソコン３０とは、通信ネットワーク６０を介して接続される。通信ネットワーク６０は、例えば、インターネットや公衆電話網である。なお、パソコン３０は、例えば、番組視聴システムの使用者の自宅等に設置される。携帯電話機１０は、その使用者によって携帯される。
【００６８】
携帯電話機１０には、外部記憶媒体５０が装着される。そして、携帯電話機１０は、視聴者の操作に従って、テレビジョン放送の番組の出力（映像出力および音声出力）を開始すると、その番組を放送する放送局を特定可能な情報を、通信ネットワーク６０を介してパソコン３０に送信する。以下、放送局を特定可能な情報を放送局特定情報と記す。放送局特定情報として、例えば、視聴者が視聴している受信チャンネルの情報、あるいは携帯電話機１０が受信している放送の受信周波数の情報等を用いることができる。本実施の形態では、携帯電話機１０が電子メールによって放送局特定情報を送信する場合を例にして説明する。
【００６９】
ただし、携帯電話機１０とパソコン３０との距離が離れた場合には、視聴者が視聴している番組の受信チャンネルや受信周波数を放送局特定情報として使用できない場合がある。例えば、パソコン３０が東京の自宅に設置され、携帯電話機１０を携帯している視聴者が九州にいるとする。同一番組であっても、東京と九州とでは異なる受信チャンネルや異なる周波数で放送される。このような場合、携帯電話機１０は、予め、各地域における各受信チャンネル（あるいは各受信周波数）と、パソコン３０が設置された地域における各受信チャンネル（あるいは各受信周波数）との対応関係を示す情報を保持しておけばよい。さらに、携帯電話機１０は、ＧＰＳ信号を受信するＧＰＳアンテナと、ＧＰＳ信号に基づいて現在位置を算出する位置算出手段とを備え、位置算出手段によって携帯電話機１０がどの地域に存在しているのかを判定すればよい。そして、携帯電話機１０は、携帯電話機１０が存在する地域において視聴者に選択されている受信チャンネルの情報（あるいは携帯電話機１０が受信している受信周波数の情報）を、パソコン３０が設置された地域における対応する受信チャンネル（または受信周波数）に変換し、変換後の情報を放送局特定情報として送信すればよい。
【００７０】
パソコン３０は、携帯電話機１０から放送局特定情報を受信すると、放送局特定情報に基づいて放送局を特定し、その放送局が放送している番組の録画を開始する。
【００７１】
また、携帯電話機１０は、携帯電話機１０は、視聴者の操作に従って受信チャンネルを切り替えた場合、受信チャンネル切り替え後における放送局特定情報をパソコン３０に送信する。パソコン３０は、その放送局特定情報に基づいて放送局を特定し、録画対象の番組をその放送局が放送している番組に切り替える。
【００７２】
携帯電話機１０は、視聴者の操作に従って、テレビジョン放送の受信および番組の出力を停止した場合、その停止時刻の情報を外部記憶媒体５０に記憶させる。このとき、パソコン３０は、番組の録画を継続する。パソコン３０は、視聴者（携帯電話機１０の使用者）による操作によって録画を停止する。パソコン３０は、視聴者によって直接操作されて録画を停止してもよい。あるいは、遠隔操作されて録画を停止してもよい。
【００７３】
携帯電話機１０で番組を視聴していた視聴者が番組の続きをパソコン３０で視聴しようとする場合、携帯電話機１０に装着されていた外部記憶装置５０が取り外され、パソコン３０に装着される。パソコン３０は、外部記憶装置５０が記憶している停止時刻の情報を読み取り、その停止時刻に対応する箇所から、録画した番組の再生を行う。
【００７４】
外部記憶媒体５０としは、例えば、ＳＤメモリカード等を用いることができる。ただし、ここで挙げたＳＤメモリカードは例示であり、外部記憶媒体５０は、２つの番組視聴装置１０，３０それぞれに装着可能な記憶媒体であれば、ＳＤメモリカードでなくてもよい。
【００７５】
図２は、携帯電話機１０の構成例を示すブロック図である。制御部１１は、記憶装置１２が記憶するプログラムに従って携帯電話機１０を制御し、番組の出力処理、パソコン３０への放送局特定情報送信処理、外部記憶媒体５０への停止時刻情報書込処理等を実行する。
【００７６】
アンテナ１３は、通信ネットワーク６０との間で情報を送受信するアンテナである。送受信回路１４は、アンテナ１３を介して通信ネットワーク６０への情報送信（例えば、電子メール送信）および通信ネットワーク６０からの情報受信（例えば、電子メール受信）を行う。
【００７７】
受信アンテナ１５は、テレビジョン放送を受信する放送受信用のアンテナである。放送受信部１６は、受信アンテナ１５を介して、テレビジョン放送の番組の映像データおよび音声データを受信する。
【００７８】
記録媒体装着部２０は、携帯電話機１０とパソコン３０それぞれに装着可能な外部記憶媒体５０が装着される装着部である。記録媒体装着部２０は、制御部１１の制御により、外部記憶媒体５０に対するデータの書き込みや、外部記憶媒体５０からのデータの読み込みを行う。
【００７９】
表示装置１７は、例えば、液晶表示装置等の表示装置である。表示装置１７は、制御部１１に従って画像を表示する。例えば、放送受信部１６が受信した映像データに基づく映像を制御部１１に従って表示する。スピーカ１８は、音声を出力する音声出力装置である。スピーカ１８は、制御部１１に従って音声を出力する。例えば、放送受信部１６が受信した音声データに基づく音声を制御部１１に従って出力する。操作部２１は、例えば、キーボードやテンキー等であり、携帯電話機１０の使用者からの指示を受け付ける。
【００８０】
番組記録部１９は、携帯電話機１０が受信した番組を録画する際に、録画対象となる番組の映像データおよび音声データを記録する記録装置である。また、番組記録部１９は、番組を録画するための記憶媒体が装着され、その記憶媒体に録画対象となる番組の映像データおよび音声データを記録する構成であってもよい。
【００８１】
また、携帯電話機１０は、時刻を計時するタイマ（図示せず）を備える。
【００８２】
図３は、パソコン３０の構成例を示すブロック図である。制御部３１は、記憶装置３２が記憶するプログラムに従ってパソコン３０を制御し、電子メールの受信処理、録画の開始処理、外部記憶媒体５０に書き込まれた停止時刻情報の読み取り処理、その停止時刻に対応する箇所からの番組再生処理等を実行する。
【００８３】
放送受信部３６は、パソコン３０の外部に設けられたテレビジョン放送受信用アンテナ（図示せず）を介して、テレビジョン放送の番組の映像データおよび音声データを受信する。
【００８４】
ネットワークインタフェース部３３は、通信ネットワーク６０とのインタフェースであり、通信ネットワーク６０からの情報受信（例えば、電子メール受信）や通信ネットワーク６０への情報送信（例えば、電子メール送信）を行う。
【００８５】
記録媒体装着部４０は、携帯電話機１０とパソコン３０それぞれに装着可能な外部記憶媒体５０が装着される装着部である。記録媒体装着部４０は、制御部３１の制御により、外部記憶媒体５０に対するデータの書き込みや、外部記憶媒体５０からのデータの読み込みを行う。
【００８６】
表示装置３７は、例えば、液晶表示装置等の表示装置である。表示装置３７は、制御部３１に従って画像を表示する。例えば、録画された映像データに基づく映像を制御部３１に従って表示する。スピーカ３８は、音声を出力する音声出力装置である。スピーカ３８は、制御部３１に従って音声を出力する。例えば、録画された音声データに基づく音声を制御部３１に従って出力する。操作部４１は、例えば、キーボードやマウス等の入力装置であり、パソコン３０の使用者からの指示を受け付ける。
【００８７】
番組記録部３９は、放送受信部３６が受信した番組を録画する際に、録画対象となる番組の映像データおよび音声データを記録する記録装置である。例えば、番組記録部３９として、ハードディスク装置を用いることができる。また、番組記録部３９は、番組を録画するための記憶媒体が装着され、その記憶媒体に録画対象となる番組の映像データおよび音声データを記録する構成であってもよい。例えば、番組記録部３９は、ＤＶＤ（Digital Versatile Disk）を記録媒体として装着し、そのＤＶＤに番組の映像データおよび音声データを記録するＤＶＤ記録装置であってもよい。
【００８８】
また、パソコン３０は、時刻を計時するタイマ（図示せず）を備える。
【００８９】
次に、動作について説明する。
図４は、携帯電話機１０が使用されたときにパソコン３０が番組の録画処理を実行する処理を示すフローチャートである。視聴者が携帯電話機１０を用いて番組を視聴し始める前に、携帯電話機１０の記憶媒体装着部２０には外部記憶媒体５０が装着される。図４に示す処理は、記憶媒体装着部２０に外部記憶媒体５０が装着された状態で開始される。
【００９０】
携帯電話機１０の制御部１１は、操作部２１を介して視聴者からの指示（放送される番組を受信して出力する旨の指示）を入力される。また、制御部１１は、操作部２１を介して、番組の受信チャンネルの情報も入力される。そして、制御部１１は、その指示に応じて、指定された受信チャンネルにおけるテレビジョン放送の番組受信を開始し、受信した番組の出力を開始する（ステップＳ１ａ）。ステップＳ１ａにおいて、制御部１１は、受信アンテナ１５および放送受信部１６を介して、指定された受信チャンネルの番組の映像データおよび音声データを受信する。そして、映像データに基づいて映像を表示装置１７に表示させ、音声データに基づいて音声をスピーカ１８から出力する処理を開始する。
【００９１】
ステップＳ１ａに続いて、制御部１１は、記憶媒体装着部２０に装着されている外部記憶媒体５０に放送局特定情報を記憶させる（ステップＳ２ａ）。本実施の形態では、携帯電話機１０の使用者（視聴者）によって指定された受信チャンネルの情報を放送局特定情報として用いる場合を例に説明する。ステップＳ２ａでは、制御部１１は、視聴者によって指定された受信チャンネルの情報を放送局特定情報として、外部記憶媒体５０に記憶させる。なお、既に説明したように、視聴者によって指定された受信チャンネルを、パソコン３０が設置された地域における対応する受信チャンネルに変換し、変換後の受信チャンネルを放送局特定情報として外部記憶媒体５０に記憶させてもよい。
【００９２】
また、制御部１１は、放送局特定情報を記載した電子メールを、送受信回路１４、アンテナ１３、通信ネットワーク６０を介してパソコン３０に送信する（ステップＳ３ａ）。また、ステップＳ３ａにおいて、制御部１１は、録画開始を指示する旨の情報を所定の書式で電子メールに含める。例えば、「録画開始指示」等の所定の文字列を電子メールのタイトルにする。あるいは、「録画開始指示」等の所定の文字列を電子メール本文の所定の箇所（例えば、先頭行）に記載してもよい。録画開始を指示する旨の情報は、パソコン３０が認識できるように、予め定められた所定の書式で電子メールに含まれていればよい。
【００９３】
また、制御部１１は、録画開始を指示する旨の情報を含む電子メールを作成するときには、携帯電話機１０の使用者のユーザ情報も電子メールに記載する。ユーザ情報は、テレビジョン放送の視聴者を他の者から識別するための情報である。制御部１１は、予め、使用者が定めたユーザ情報を操作部２１から入力され、そのユーザ情報を記憶装置１２に記憶させておけばよい。そして、記憶装置１２に記憶させたユーザ情報を電子メールに記載すればよい。また、使用者がユーザ情報を定めるのではなく、携帯電話機１０に対して予め付与されている固有の情報（例えば、電話番号等）をユーザ情報として用いてもよい。
【００９４】
なお、ステップＳ３ａにおいて送信先となる電子メールアドレスは、操作部２１を介して使用者から入力され、記憶装置１２に記憶しておけばよい。そして、ステップＳ３ａにおいて、制御部１１は、その電子メールアドレスを用いて電子メールを送信すればよい。
【００９５】
ステップＳ２ａとステップＳ３ａの処理順序は逆であってもよい。すなわち、制御部１１は、放送局特定情報等を記載した電子メールを送信後に、放送局特定情報を外部記憶媒体５０に記憶させてもよい。
【００９６】
パソコン３０の制御部３１は、携帯電話機１０がステップＳ３ａで送信した電子メールを、ネットワークインタフェース部３３を介して受信する（ステップＳ４ａ）。ステップＳ４ａの具体的な処理内容は以下のようになる。
【００９７】
携帯電話機１０が送信した電子メールは、メールサーバ（図示せず）に送信される。パソコン３０は、電子メールを受信しているか否かの問い合わせをメールサーバに対して行う（以下、この処理をメール受信確認処理と記す。）。そして、メールサーバが電子メールを受信しているのであれば、その電子メールをメールサーバからネットワークインタフェース部３３を介して受信する。パソコン３０の制御部３１は、携帯電話機１０が電子メールを送信する時刻と、パソコン３０がその電子メールを受信する時刻との時間差が大きくならないように、所定時間毎にメール受信確認処理を実行する。この所定時間としては、例えば、１分を設定しておけばよい。メール受信確認処理の間隔を１分とした場合、パソコン３０の制御部３１は、携帯電話機１０による電子メール送信後、１分以内にその電子メールを受信できる。
【００９８】
また、パソコン３０は、携帯電話機１０が送信した電子メールのみを受信するとは限らない。従って、パソコン３０の制御部３１は、ステップＳ４ａにおいて、受信した各電子メールの中に、録画開始を指示する旨の情報、または後述する「受信チャンネル切り替えを指示する旨の情報」を含む電子メールがあるか否かを判定する。既に説明したように、録画開始を指示する旨の情報は、予め定められた所定の書式で電子メールに含まれているので、制御部３１は、録画開始を指示する旨の情報を含む電子メールの有無を判定することができる。
【００９９】
なお、後述する「受信チャンネル切り替えを指示する旨の情報」も予め定められた所定の書式で電子メールに含まれるので、制御部３１はその情報を含む電子メールの有無も判定することができる。
【０１００】
録画開始を指示する旨の情報を含む電子メールを受信したならば、パソコン３０の制御部３１は、その電子メールに記載されている放送局特定情報を読み込む。制御部３１は、放送局特定情報によって特定される放送局が放送している番組の映像データおよび音声データを放送受信部３６から受信し、その番組の映像データおよび音声データを番組記録部３９に記録する処理（すなわち、録画処理）を開始する（ステップＳ５ａ）。制御部３１は、録画対象番組のデータを記録するとき、その記録時刻の情報とともに番組のデータを記録する。パソコン３０は、タイマ（図示せず）を備えているので、時刻の情報を得ることができる。
【０１０１】
制御部３１は、番組のデータの記録（録画）を開始するときに、その番組のデータと対応させて、受信した電子メールに記載されているユーザ情報も番組記録部３９に記録する。また、制御部３１は、録画する番組のデータと対応させて、受信した電子メールに記憶されている放送局特定情報も番組記録部３９に記録する。
【０１０２】
また、携帯電話機１０の制御部１１は、ステップ１ａ以降、受信した番組の出力を継続している。制御部１１は、番組の出力を継続しているときに、操作部２１を介して受信チャンネルの切り替え指示が入力されたならば（ステップＳ６ａのＹ）、受信チャンネルを切り替える（ステップＳ７ａ）。この結果、制御部１１は、切り替え後の受信チャンネルの番組の映像データおよび音声データを、受信アンテナ１５および放送受信部１６を介して受信する。そして、映像データに基づいて映像を表示装置１７に表示させ、音声データに基づいて音声をスピーカ１８から出力することにより、切り替え後の受信チャンネルの番組を視聴者に視聴させる。
【０１０３】
その後、ステップＳ２ａに移行する。すなわち、制御部１１は、記憶媒体装着部２０に装着されている外部記憶媒体５０に放送局特定情報を記憶させる。ただし、受信チャンネルを切り替えてステップＳ２ａに移行した場合、制御部１１は、切り替え後の受信チャンネルに対応する放送局特定情報を外部記憶媒体５０に記憶させる。従って、受信チャネルが切り替えられる度に、外部記憶媒体５０に放送局特定情報の履歴が記憶されていくことになる。本実施の形態では、受信チャンネルの情報を放送局特定情報として用いるので、切り替え後の受信チャンネルの情報を外部記憶媒体５０に記憶させればよい。
【０１０４】
その後、ステップＳ３ａに移行し、制御部１１は、放送局特定情報を記載した電子メールを、送受信回路１４およびアンテナ１３を介してパソコン３０に送信する。ただし、受信チャンネルを切り替えてステップＳ３ａに移行した場合、制御部１１は、切り替え後の受信チャンネルに対応する放送局特定情報（本実施の形態では切り替え後の受信チャンネルの情報）を記載した電子メールを送信する。また、受信チャンネルを切り替えてステップＳ３ａに移行した場合、制御部１１は、「録画開始を指示する旨の情報」ではなく「受信チャンネル切り替えを指示する旨の情報」を所定の書式で電子メールに含める。例えば、「受信チャンネル切り替え指示」等の所定の文字列を電子メールのタイトルにする。あるいは、「受信チャンネル切り替え指示」等の所定の文字列を電子メール本文の所定の箇所（例えば、先頭行）に記載してもよい。受信チャンネル切りかえを指示する旨の情報は、パソコン３０が認識できるように、予め定められた所定の書式で電子メールに含まれていればよい。
【０１０５】
パソコン３０の制御部３１は、受信チャンネル切り替え後に携帯電話機１０が送信した電子メールをネットワークインタフェース部３３を介して受信する（ステップＳ４ａ）。既に説明したように、パソコン３０の制御部３１は、所定期間毎（例えば１分毎）にメール受信確認処理を行い、メールサーバが電子メールを受信しているのであれば、その電子メールをメールサーバから受信する。そして、受信した電子メールの中に、録画開始を指示する旨の情報、または受信チャンネル切り替えを指示する旨の情報を含む電子メールがあるか否かを判定する。
【０１０６】
受信チャンネル切り替えを指示する旨の情報を含む電子メールを受信したならば、パソコン３０の制御部３１は、その電子メールに記載されている放送局特定情報を読み込む。制御部３１は、その放送局特定情報に基づいて、受信チャンネル（放送局）を切り替える（ステップＳ５ａ）。この結果、録画対象の番組を切り替えることになる。制御部３１は、その放送局特定情報によって特定される放送局が放送している番組の映像データおよび音声データを放送受信部３６から受信し、その番組の映像データおよび音声データを番組記録部３９に記録（録画）する。
【０１０７】
制御部３１は、録画開始時と同様に、録画する番組のデータと対応させて、受信した電子メールに記憶されている放送局特定情報を番組記録部３９に記録する。従って、携帯電話機１０において受信チャネルが切り替えられる度に、パソコン３０でも録画対象番組が切り替えられ、また、番組記録部３９には、放送局特定情報の履歴が記憶されていくことになる。
【０１０８】
また、番組の出力を継続しているときに操作部２１を介して受信チャンネルの切り替え指示が入力されず（ステップＳ６ａのＮ）、操作部２１を介してテレビジョン放送の受信停止指示が入力されないならば（ステップＳ８ａのＮ）、携帯電話機１０の制御部１１は、ステップＳ６ａおよびステップＳ８ａを繰り返し、受信チャンネルの切り替え指示またはテレビジョン放送の受信停止指が入力されるまで待機する。この間、制御部１１は、番組の出力を継続する。
【０１０９】
テレビジョン放送の受信停止指が入力されると（ステップＳ８ａのＹ）、制御部１１は、その指示に応じてテレビジョン放送の受信を停止する。そして、制御部１１は、タイマが計時する時刻によってテレビジョン放送の受信停止時刻を判定し、記憶媒体装着部２０を制御して、その受信停止時刻の情報を外部記憶媒体５０に記憶させる（ステップＳ９ａ）。このとき、制御部１１は、受信停止時刻の情報とともに、ユーザ情報も外部記憶媒体５０に記憶させる。
【０１１０】
携帯電話機１０の制御部１１がテレビジョン放送の受信を停止した場合であっても、パソコン３０は録画を継続する。パソコン３０における録画停止の態様として、例えば、以下のような態様がある。
【０１１１】
第１の録画停止態様は、パソコン３０の操作部４１を介して、直接録画停止指示を入力され、制御部１１が、その指示に応じて録画を停止する態様である。例えば、携帯電話機１０の使用者がステップＳ９ａの後、自宅等に戻ったときに、パソコン３０がその使用者によって、操作部４１を介して録画停止指示を入力されたとする。すると、制御部１１は、入力された録画停止指示に応じて録画を停止する。
【０１１２】
第２の録画停止態様は、録画開始を指示する旨の情報を含む電子メールを受信して録画を開始した場合の録画時間を予め設定し、その録画時間が経過したときに録画を停止する態様である。例えば、電子メールを受信して録画を開始した場合における録画時間の情報を予め記憶装置３２に記憶させておく。制御部３１が、録画開始を指示する旨の情報を含む電子メールを受信して録画を開始したときには、記憶している録画時間の情報に基づいて、その録画時間のカウントを開始する。そして、その録画時間が経過したときに、制御部３１は、録画を停止する。第２の録画停止態様では、使用者が録画停止操作を行わなくても、設定した録画時間が経過したときに録画が停止される。
【０１１３】
第３の録画停止態様は、携帯電話機１０からパソコン３０に対して、録画停止を指示する旨の情報を含む電子メールを送信し、パソコン３０がその電子メールを受信したときに録画を停止する態様である。録画停止を指示する旨の情報は、パソコン３０が認識できるように、予め定められた所定の書式で電子メールに含める。例えば、例えば、「録画停止指示」等の所定の文字列を電子メールのタイトルにする。あるいは、「録画停止指示」等の所定の文字列を電子メール本文の所定の箇所（例えば、先頭行）に記載してもよい。携帯電話機１０の制御部１１は、使用者の操作に応じて、録画停止を指示する旨の情報を含む電子メールを作成して、送信すればよい。また、パソコン３０の制御部３１は、定期的なメール受信確認処理を継続し、受信した電子メールの中に、録画停止を指示する旨の情報を含む電子メールがあるか否かを判定すればよい。そして、録画停止を指示する旨の情報を含む電子メールを受信したと判定したときに、制御部３１は録画を停止する。
【０１１４】
第４の録画停止態様は、パソコン３０が番組表データを記憶装置３２に記憶しておき、番組表データを参照して、録画中の番組の終了時刻になったと判定したときに録画を停止する態様である。番組表データには、各放送局が放送する各番組の放送時間帯情報（番組開始時刻と番組終了時刻の情報）が含まれている。従って、制御部３１は、現在録画している番組を放送している放送局（この放送局は放送局特定情報により判定できる。）と、現在時刻と、その放送局が現在放送している番組の放送時間帯を確認し、現在時刻が番組終了時刻になったと判定したときに、録画を停止すればよい。番組表データとして、ＥＰＧ（Electronic Program Guide：電子番組ガイド）で使用される番組表データを利用すればよい。ＥＰＧは、番組表をテレビジョン方法視聴装置上に表示させるシステムである。ＥＰＧで使用される番組表データは、例えば、テレビジョン放送の電波を用いて配信されたり、あるいは番組表を保持するサーバからインターネットを介して配信されている。パソコン３０の制御部３１は、この番組表データを取得して、記憶装置３２に記憶させておけばよい。
【０１１５】
また、第４の停止態様において、録画中の番組の終了時刻になったと判定したとき、パソコン３０の制御部３１は、携帯電話機１０に、録画停止許可を促す電子メールを送信してもよい。そして、録画停止を許可する旨の電子メールが携帯電話機１０から返信されたことを条件に、録画を停止してもよい。例えば、録画中の番組の終了時刻になったとする。このとき、制御部３１は、予め用意された「録画を停止してもよいですか？」等の定形文を記載した電子メールを携帯電話機１０に送信する。携帯電話機１０の制御部１１は、この電子メールを表示装置１７に表示させて、使用者に閲覧させる。制御部１１は、使用者の操作に応じて「録画停止」等の定形文を記載した電子メールを作成し、パソコン３０に送信する。パソコン３０の制御部３１は、「録画を停止してもよいですか？」等の定形文を記載した電子メールを携帯電話機１０に送信した後に、「録画停止」等の定形文を記載した電子メールを受信したと判定したならば、録画を停止する。また、携帯電話機１０の使用者は、まだ録画を続けたいのであれば、電子メールを返信しなければよい。このように、録画停止を許可する旨の電子メールの返信があったときに録画を停止させれば、携帯電話機１０の使用者に録画停止の確認をさせた後に、録画を停止することができ、使用者の意思に反して録画を停止してしまうことを防止できる。なお、ここで示した「録画を停止してもよいですか？」、「録画停止」等の定形文は例示であり、定形文は他の内容であってもよい。
【０１１６】
続いて、ステップＳ１ａ〜Ｓ９ａまでの間に携帯電話機１０で番組を視聴していた視聴者が、パソコン３０で番組の続きを視聴する場合の動作について説明する。図５は、パソコン３０が、番組の視聴者に、ステップＳ９ａにおける受信停止時刻以降の箇所を視聴させる処理を示すフローチャートである。
【０１１７】
ステップ９ａの後、携帯電話機１０の記憶媒体装着部２０（図２参照）に装着されていた外部記憶媒体５０は、記憶媒体装着部２０から取り外される。そして、その外部記憶媒体５０は、パソコン３０の記憶媒体装着部４０（図３参照）に装着される。図５に示す処理は、記憶媒体装着部４０に外部記憶装置５０が装着された状態で開始される。この外部記憶装置５０には、ステップＳ１ａ〜Ｓ９ａにおいて記録された放送局特定情報の履歴、テレビジョン放送の受信停止時刻の情報およびユーザ情報が記憶されている。
【０１１８】
パソコン３０の制御部３１は、記憶媒体装着部４０を制御して、装着された外部記憶媒体５０から放送局特定情報の履歴、テレビジョン放送の受信停止時刻の情報およびユーザ情報を読み込む（ステップＳ１１）。
【０１１９】
続いて、制御部３１は、ステップＳ１ａ〜ステップＳ９ａの間に携帯電話機１０が使用者に視聴させた番組と、制御部３１が録画した番組との間に整合性があるか否かを判定する（ステップＳ１２）。すなわち、携帯電話機１０が使用者に視聴させた番組と、パソコン３０において録画した番組とが対応しているか否かを判定する。また、ステップＳ１２では、携帯電話機１０で番組を視聴していた視聴者と、録画した番組をこれから再生して視聴しようとしている者との間に整合性があるか否かも判定する。すなわち、携帯電話機１０で番組を視聴していた視聴者と、録画した番組をこれから再生して視聴しようとしている者とが一致するか否かも判定する。
【０１２０】
ステップＳ１ａ〜ステップＳ９ａの間に携帯電話機１０が使用者に視聴させた番組の記録は、外部記憶媒体５０が記憶する放送局特定情報の履歴によって表される。また、制御部３１が録画した番組の記録は、制御部３１が番組記録部３９に記憶させた放送局特定情報の履歴によって表される。従って、制御部３１は、外部記憶媒体５０から読み込んだ放送局特定情報の履歴と、番組記録部３９が記憶している放送局特定情報の履歴とが一致しているか否かを判定し、一致していれば、携帯電話機１０が使用者に視聴させた番組と、制御部３１が録画した番組との間に整合性があると判定すればよい。一致していなければ整合性がないと判定すればよい。
【０１２１】
また、携帯電話機１０で番組を視聴していた視聴者と、録画した番組をこれから再生して視聴しようとしている者との間に整合性があるか否かは、ステップＳ１１で外部記憶媒体５０から読み込んだユーザ情報と、録画開始時に録画する番組のデータと対応させて番組記録部３９に記録したユーザ情報とが一致しているか否かによって判定すればよい。２つのユーザ情報が一致していれば、整合性があると判定し、一致していなければ整合性がないと判定すればよい。
【０１２２】
ステップＳ１２における整合性判定の結果、携帯電話機１０が使用者に視聴させた番組と、制御部３１が録画した番組との間に整合性があり、携帯電話機１０で番組を視聴していた視聴者と、録画した番組をこれから再生して視聴しようとしている者との間に整合性があるならば（ステップＳ１３のＹ）、ステップＳ１４に移行する。換言すれば、放送局特定情報の履歴が一致し、ユーザ情報も一致しているならば、ステップＳ１４に移行する。
【０１２３】
携帯電話機１０が使用者に視聴させた番組と、制御部３１が録画した番組との間に整合性がなかったり、あるいは、携帯電話機１０で番組を視聴していた視聴者と、番組をこれから再生して視聴しようとしている者との間に整合性がなかったならば（ステップＳ１３のＮ）、番組の再生を行わずに処理を終了する。換言すれば、放送局特定情報の履歴が一致していなかったり、あるいは、ユーザ情報が一致していなかったならば、処理を終了する。
【０１２４】
ステップＳ１４において、制御部３１は、ステップＳ１１で読み込んだ受信停止時刻に対応する箇所（受信停止時刻に録画された箇所）を特定し、その箇所から番組を再生する。具体的には、制御部３１は、録画したデータのうち、ステップＳ１１で読み込んだ受信停止時刻に対応する箇所を特定し、その時刻以降の映像データおよび音声データに基づいて映像を表示装置３７に表示し、音声をスピーカ３８から出力すればよい。なお、制御部３１は、録画対象番組のデータを記録するときに、その記録時刻の情報とともに番組のデータを記録する。従って、制御部３１は、受信停止時刻に対応する箇所を特定できる。
【０１２５】
この結果、携帯電話機１０での番組視聴を中断した視聴者は、携帯電話機１０とは異なるパソコン３０において、番組の続きを再生して視聴することができる。
【０１２６】
上記の例では、ステップＳ１ａ以降において番組を出力する部分が番組出力手段に相当する。具体的には、ステップＳ１ａ以降では、制御部１１が、受信アンテナ１５および放送受信部１６を介して番組の映像データおよび音声データを受信し、映像データに基づいて映像を表示装置１７に表示させ、音声データに基づいて音声をスピーカ１８から出力する処理を行っており、ここに示した制御部１１、受信アンテナ１５、放送受信部１６、表示装置１７、およびスピーカ１８が、番組出力手段に相当する。ステップＳ３ａにおいて、放送局特定情報および録画開始を指示する旨の情報を送信する部分が録画開始指示送信手段に相当する。具体的には、ステップＳ３ａにおいて、制御部１１が、送受信回路１４、アンテナ１３を介して放送局特定情報および録画開始を指示する旨の情報を送信しており、ここに示した制御部１１、送受信回路１４、およびアンテナ１３が録画開始指示送信手段に相当する。ステップＳ９ａにおいて、受信停止時刻を判定し、その受信停止時刻の情報を外部記憶媒体５０に記憶させている制御部１１および記憶媒体装着部２０が、受信停止時刻出力手段に相当する。録画対象となる番組の映像データおよび音声データを記録する番組記録部３９が、番組記憶手段に相当する。ステップＳ４ａにおいて、放送局特定情報および録画開始を指示する旨の情報を受信する部分が録画開始指示受信手段に相当する。具体的には、ステップＳ４ａにおいて、制御部３１が、ネットワークインタフェース部３３を介して放送局特定情報および録画開始を指示する旨の情報を受信しており、ここに示した制御部３１およびネットワークインタフェース部３３が、録画開始指示受信手段に相当する。ステップＳ５ａにおいて録画処理を行う部分が、録画手段に相当する。具体的には、ステップＳ５ａにおいて、制御部３１が、放送局特定情報によって特定される放送局が放送している番組の映像データおよび音声データを放送受信部３６から受信し、その番組の映像データおよび音声データを記録時刻の情報とともに番組記録部３９に記録しており、ここに示した制御部３１、放送受信部３６および番組記録部３９が録画手段に相当する。ステップＳ１１において、外部記憶媒体５０から受信停止時刻の情報を読み込む制御部３１および記憶媒体装着部４０が、受信停止時刻入力手段に相当する。ステップＳ１４において番組のデータを再生している部分が再生手段に相当する。具体的には、ステップＳ１４において、制御部３１が、受信停止時刻に対応する箇所を特定し、その時刻以降の映像データおよび音声データに基づいて映像を表示装置３７に表示し、音声をスピーカ３８から出力しており、ここに示した制御部３１、表示装置３７およびスピーカ３８が再生手段に相当する。
【０１２７】
また、受信チャンネルの切り替え指示が入力される操作部２１が、放送局切り替え操作手段に相当する。ステップＳ６ａの判定でＹとなったときに、ステップＳ７ａで受信チャンネルを切り替える制御部１１が、視聴放送局切り替え手段に相当する。ステップＳ７ａの後に実行されるステップＳ３ａにおいて、放送局特定情報および受信チャンネル切り替えを指示する旨の情報（放送局の切り替えを指示する旨の情報に相当）を送信する部分が、放送局切り替え指示送信手段に相当する。具体的には、ステップＳ７ａの後に実行されるステップＳ３ａにおいて、制御部１１が、送受信回路１４およびアンテナ１３を介して、放送局特定情報および受信チャンネル切り替えを指示する旨の情報を送信しており、ここに示した制御部１１、送受信回路１４およびアンテナ１３が放送局切り替え指示送信手段に相当する。ステップＳ７ａの後のステップＳ４ａにおいて、放送局特定情報および受信チャンネル切り替えを指示する旨の情報を送信する部分が、放送局切り替え指示受信手段に相当する。具体的には、ステップＳ７ａの後のステップＳ４ａにおいて、制御部３１が、ネットワークインタフェース部３３を介して、放送局特定情報および受信チャンネル切り替えを指示する旨の情報を受信しており、ここに示した制御部３１およびネットワークインタフェース部３３が放送局切替指示受信手段に相当する。ステップＳ７ａの後のステップＳ５ａにおいて、放送局を切り替える制御部３１が、録画放送局切り替え手段に相当する。
【０１２８】
また、外部記憶媒体５０を装着させる携帯電話機１０の記憶媒体装着部２０が、第１の記憶媒体装着手段に相当する。外部記憶媒体５０を装着させるパソコン３０の記憶媒体装着部４０が、第２の記憶媒体装着手段に相当する。携帯電話機１０が備えるタイマが番組視聴装置タイマに相当し、パソコン３０が備えるタイマが録画再生装置タイマに相当する。
【０１２９】
ここでは、携帯電話機１０が視聴者に番組を視聴させ、パソコン３０がその続きを再生する場合を示した。最初にパソコン３０が視聴者に番組を視聴させ、携帯電話機１０がその続きを再生してもよい。以下、この場合について説明する。
【０１３０】
図６は、パソコン３０が使用されたときに携帯電話機１０が番組の録画処理を実行する処理を示すフローチャートである。視聴者がパソコン３０を用いて番組を視聴し始める前に、パソコン３０の記憶媒体装着部４０には外部記憶媒体５０が装着される。図６に示す処理は、記憶媒体装着部４０に外部記憶媒体５０が装着された状態で開始される。
【０１３１】
パソコン３０の制御部３１は、操作部４１を介して視聴者からの指示（放送される番組を受信して出力する旨の指示）を入力される。また、制御部３１は、操作部４１を介して、番組の受信チャンネルの情報も入力される。制御部３１は、その指示に応じて、指定された受信チャンネルにおけるテレビジョン放送の番組受信を開始し、受信した番組の出力を開始する（ステップＳ１ｂ）。ステップＳ１ｂにおいて、制御部３１は、放送受信部３６を介して、指定された受信チャンネルの番組の映像データおよび音声データを受信する。そして、映像データに基づいて映像を表示装置３７に表示させ、音声データに基づいて音声をスピーカ３８から出力する処理を開始する。
【０１３２】
続いて、制御部３１は、記憶媒体装着部４０に装着された外部記憶媒体５０に放送局特定情報（本実施の形態では視聴者によって指定された受信チャンネルの情報）を記憶させる（ステップＳ２ｂ）。
【０１３３】
また、制御部３１は、放送局特定情報を記載した電子メールを、通信ネットワーク６０を介して携帯電話機１０に送信する（ステップＳ３ｂ）。ステップＳ３ｂにおいて、制御部３１は、録画開始を指示する旨の情報を、予め定められた所定の書式で電子メールに含める。
【０１３４】
制御部３１は、録画開始を指示する旨の情報を含む電子メールを作成するときには、パソコン３０の使用者のユーザ情報も電子メールに記載する。制御部３１は、予め、使用者が定めたユーザ情報を操作部４１から入力され、そのユーザ情報を記憶装置３２に記憶させておけばよい。そして、記憶装置３２に記憶させたユーザ情報を電子メールに記載すればよい。
【０１３５】
また、ステップ３ｂにおいて送信先となる電子メールアドレスは、操作部４１を介して使用者から入力され、記憶装置３２に記憶しておけばよい。そして、ステップＳ３ｂにおいて、制御部３１は、その電子メールアドレスを用いて電子メールを送信すればよい。
【０１３６】
ステップＳ２ｂとステップＳ３ｂの処理順序は逆であってもよい。
【０１３７】
携帯電話機１０の制御部１１は、パソコン３０がステップ３ｂで送信した電子メールを受信する（ステップＳ４ｂ）。ただし、携帯電話機１０は、パソコン３０が送信した電子メールのみを受信するとは限らない。従って、制御部１１は、ステップＳ４ｂにおいて、受信した各電子メールの中に、録画開始を指示する旨の情報、または、受信チャンネル切り替えを指示する旨の情報を含む電子メールがあるか否かを判定する。録画開始を指示する旨の情報は、予め定められた所定の書式で電子メールに含まれているので、制御部１１は、録画開始を指示する旨の情報を含む電子メールの有無を判定することができる。
【０１３８】
また、受信チャンネル切り替えを指示する旨の情報も、予め定められた所定の書式で電子メールに含まれるので、制御部１１はその情報を含む電子メールの有無も判定することができる。
【０１３９】
録画開始を指示する旨の情報を含む電子メールを受信したならば、携帯電話装置１０の制御部１１は、その電子メールに記載されている放送局特定情報を読み込む。制御部１１は、放送局特定情報によって特定される放送局が放送している番組の映像データおよび音声データを受信アンテナ１５および放送受信部１６を介して受信する。そして、その番組の映像データおよび音声データを番組記録部１９に記録する録画処理を開始する（ステップＳ５ｂ）。制御部１１は、録画対象番組のデータを記録するときに、その記録時刻の情報とともに番組のデータを記録する。携帯電話機１０は、タイマ（図示せず）を備えているので、時刻の情報を得ることができる。
【０１４０】
制御部１１は、番組のデータの記録（録画）を開始するときに、その番組のデータと対応させて、受信した電子メールに記載されているユーザ情報も番組記録部１９に記録する。また、制御部１１は、録画する番組のデータと対応させて、受信した電子メールに記憶されている放送局特定情報も番組記録部１９に記録する。
【０１４１】
また、パソコン３０の制御部３１は、ステップ１ｂ以降、受信した番組の出力を継続している。制御部３１は、番組の出力を継続しているときに、操作部４１を介して受信チャンネルの切り替え指示が入力されたならば（ステップＳ６ｂのＹ）、受信チャンネルを切り替える（ステップＳ７ｂ）。この結果、制御部３１は、切り替え後の受信チャンネルの番組の映像データおよび音声データを、放送受信部３６を介して受信する。そして、映像データに基づいて映像を表示装置３７に表示させ、音声データに基づいて音声をスピーカ３８から出力することにより、切り替え後の受信チャンネルの番組を視聴者に視聴させる。
【０１４２】
その後、ステップＳ２ｂに移行する。すなわち、制御部３１は、記憶媒体装着部４０に装着されている外部記憶媒体５０に放送局特定情報を記憶させる。ただし、受信チャンネルを切り替えてステップＳ２ｂに移行した場合、制御部１１は、切り替え後の受信チャンネルに対応する放送局特定情報を外部記憶媒体５０に記憶させる。従って、受信チャネルが切り替えられる度に、外部記憶媒体５０に放送局特定情報の履歴が記憶されていくことになる。
【０１４３】
その後、ステップＳ３ｂに移行し、制御部３１は、放送局特定情報を記載した電子メールを携帯電話機１０に送信する。ただし、受信チャンネルを切り替えてステップＳ３ｂに移行した場合、制御部３１は、切り替え後の受信チャンネルに対応する放送局特定情報（本実施の形態では切り替え後の受信チャンネルの情報）を記載した電子メールを送信する。また、受信チャンネルを切り替えてステップＳ３ｂに移行した場合、制御部３１は、「録画開始を指示する旨の情報」ではなく「受信チャンネル切り替えを指示する旨の情報」を予め定められた所定の書式で電子メールに含める。
【０１４４】
携帯電話機１０は、受信チャンネル切り替え後に携帯電話機１０が送信したメールを受信する（ステップＳ４ｂ）。携帯電話機１０の制御部１１は、受信した電子メールの中に、録画開始を指示する旨の情報、または受信チャンネル切り替えを指示する旨の情報を含む電子メールがあるか否かを判定する。
【０１４５】
受信チャンネル切り替えを指示する旨の情報を含む電子メールを受信したならば、携帯電話機１０の制御部１１は、その電子メールに記載されている放送局特定情報を読み込む。制御部１１は、その放送局特定情報に基づいて、録画対象の番組を切り替える（ステップＳ５ｂ）。すなわち、制御部１１は、そのその放送局特定情報によって特定される放送局が放送している番組の映像データおよび音声データを受信アンテナ１５および放送受信部１６から受信し、その番組の映像データおよび音声データを番組記録部１９に記録（録画）する。
【０１４６】
制御部１１は、録画開始時と同様に、録画する番組のデータを対応させて、受信した電子メールに記憶されている放送局特定情報を番組記録部１９に記録する。従って、パソコン３０において受信チャンネルが切り替えられる度に、携帯電話機１０でも録画対象番組が切り替えられ、また、番組記録部１９には、放送局特定情報の履歴が記憶されていくことになる。
【０１４７】
また、番組の出力を継続しているときに操作部４１を介して受信チャンネルの切り替え指示が入力されず（ステップ６ｂのＮ）、操作部４１を介してテレビジョン放送の受信停止指示が入力されないならば（ステップＳ８ｂのＮ）、パソコン３０の制御部３１は、ステップＳ６ｂおよびステップＳ８ｂを繰り返し、受信チャンネルの切り替え指示またはテレビジョン放送の受信停止指示が入力されるまで待機する。この間、制御部３１は、番組の出力を継続する。
【０１４８】
テレビジョン放送の受信停止指が入力されると（ステップＳ８ｂのＹ）、制御部３１は、その指示に応じてテレビジョン放送の受信を停止する。そして、制御部３１は、タイマが計時する時刻によって、テレビジョン放送の受信停止時刻を判定し、その受信停止時刻の情報を外部記憶媒体５０に記憶させる（ステップＳ９ｂ）。このとき、制御部１１は、受信停止時刻の情報とともに、ユーザ情報も外部記憶媒体５０に記憶させる。
【０１４９】
パソコン３０の制御部３１がテレビジョン放送の受信を停止した場合であっても、携帯電話機１０は録画を継続する。
【０１５０】
携帯電話機１０における録画停止の態様は、既に説明したパソコン３０における録画停止の態様と同様である。例えば、操作部２１を介して、使用者から直接録画停止指示を入力されたときに、録画を停止してもよい（第１の録画停止態様）。また、録画開始を指示する旨の情報を含む電子メールを受信して録画を開始した場合の録画時間の情報を予め記憶しておき、その録画時間が経過したときに録画を停止してもよい（第２の録画停止態様）。また、パソコン３０から携帯電話機１０に対して、録画停止を指示する旨の情報を含む電子メールを送信し、携帯電話機１０がその電子メールを受信したときに録画を停止してもよい（第３の録画停止態様）。また、携帯電話機１０が番組表データを記憶装置１２に記憶しておき、番組表データを参照して、録画中の番組の終了時刻になったと判定したときに録画を停止してもよい（第４の録画停止態様）。第４の録画停止態様では、録画中の番組の終了時刻になったと判定したとき、携帯電話機１０の制御部１１が、録画停止許可を促す電子メールをパソコン３０に送信してもよい。そして、録画停止を許可する旨の電子メールがパソコン３０から返信されたことを条件に、録画を停止してもよい。
【０１５１】
ここで説明したステップＳ１ｂ〜Ｓ９ｂの動作は、それぞれ図４に示すステップＳ１ａ〜Ｓ９ａの動作に相当する。
【０１５２】
ステップＳ１ｂ〜Ｓ９ｂの間にパソコン３０で番組を視聴していた視聴者が、携帯電話機１０で番組の続きを視聴する場合の動作について説明する。携帯電話機１０が、番組の視聴者に、ステップＳ９ｂにおける受信停止時刻以降の箇所を視聴させる処理は、図５に示す処理と同様である。
【０１５３】
ステップＳ９ｂの後、パソコン３０の記憶媒体装着部４０（図３参照）に装着されていた外部記憶媒体５０は、取り外される。そして、その外部記憶媒体５０は、携帯電話機１０の記憶媒体装着部２０に装着される。その後、図５に示す処理が開始される。
【０１５４】
携帯電話機１０の制御部１１は、装着された外部記憶媒体５０から放送局特定情報の履歴、テレビジョン放送の受信停止時刻の情報およびユーザ情報を読み込む（ステップＳ１１）。
【０１５５】
続いて、制御部１１は、ステップＳ１ｂ〜ステップＳ９ｂの間にパソコン３０が使用者に視聴させた番組と、制御部１１が録画した番組との間に整合性があるか否かを判定する（ステップＳ１２）。制御部１１は、外部記憶媒体５０から読み込んだ放送局特定情報の履歴と、番組記録部１９が記憶している放送局特定情報の履歴とが一致しているか否かを判定し、一致していれば、パソコン３０が使用者に視聴させた番組と、制御部１１が録画した番組との間に整合性があると判定すればよい。一致していなければ整合性がないと判定すればよい。また、ステップＳ１２では、パソコン３０で番組を視聴していた視聴者と、録画した番組をこれから再生して視聴しようとしている者との間に整合性があるか否かについても判定する。具体的には、制御部１１は、外部記憶媒体５０から読み込んだユーザ情報と、録画開始時に録画対象番組のデータと対応させて番組記録部１９に記録したユーザ情報とが一致しているか否かによって判定すればよい。２つのユーザ情報が一致していれば、整合性があると判定し、一致していなければ整合性がないと判定すればよい。
【０１５６】
ステップＳ１２における整合性判定の結果、パソコン３０が使用者に視聴させた番組と、制御部１１が録画した番組との間に整合性があり、パソコン３０で番組を視聴していた視聴者と、録画した番組をこれから再生して視聴しようとしている者との間に整合性があるならば（ステップＳ１３のＹ）、ステップＳ１４に移行する。換言すれば、放送局特定情報の履歴が一致し、ユーザ情報も一致しているならば、ステップＳ１４に移行する。
【０１５７】
パソコン３０が使用者に視聴させた番組と、制御部１１が録画した番組との間に整合性がなかったり、あるいは、パソコン３０で番組を視聴していた視聴者と、番組をこれから再生して視聴しようとしている者との間に整合性がなかったならば（ステップＳ１３のＮ）、番組の再生を行わずに処理を終了する。換言すれば、放送局特定情報の履歴が一致していなかったり、あるいは、ユーザ情報が一致していなかったならば、処理を終了する。
【０１５８】
ステップＳ１４において、制御部１１は、ステップＳ１１で読み込んだ受信停止時刻に対応する箇所（受信停止時刻に録画された箇所）を特定し、その箇所から番組を再生する。具体的には、制御部１１は、録画したデータのうち、ステップＳ１１で読み込んだ受信停止時刻に対応する箇所を特定し、その時刻以降の映像データおよび音声データに基づいて映像を表示し、音声を出力すればよい。なお、制御部１１は、録画対象番組のデータを記録するときに、その記録時刻の情報とともに番組のデータを記録する。従って、制御部１１は、受信停止時刻に対応する箇所を特定できる。
【０１５９】
この結果、パソコン３０での番組視聴を中断した視聴者は、パソコン３０とは異なる携帯電話機１０において、番組の続きを再生して視聴することができる。
【０１６０】
以上のように、第１の実施の形態によれば、視聴者は、番組の視聴を中断した後に、それまで番組を視聴していた装置とは異なる装置を用いて、中断した箇所から番組の視聴を迅速に再開することができる。また、視聴者が番組の視聴中に放送局を切り替えた場合、録画を行っている装置においても、放送局を切り替えて番組を録画する。従って、視聴者が放送局の切り替え操作を行ったときにも、視聴者が視聴している番組と同一の番組を録画することができる。
【０１６１】
なお、本実施形態では、ステップＳ１２（図５参照）において、携帯電話機１０（またはパソコン３０）は、外部記録媒体５０に記録されたユーザ情報と、番組記録部１９（または番組記録部３９）に記録したユーザ情報とが一致しているか否かを判定している。ステップＳ１２では、視聴者にユーザ情報の入力を促す画面を表示し、その結果入力されるユーザ情報と、番組記録部１９（または番組記録部３９）に記録したユーザ情報とが一致しているか否かを判定してもよい。この場合、ステップＳ９ａ，Ｓ９ｂにおいて、外部記憶媒体５０にユーザ情報を記憶させなくてもよい。
【０１６２】
実施の形態２．
第１の実施の形態では、番組視聴システムが外部記憶媒体５０を備える場合を示した。第２の実施の形態では、外部記憶媒体５０を備えない場合について説明する。第２の実施の形態における携帯電話機１０は、記憶媒体装着部２０を備えていなくてよい。また、第２の実施の形態におけるパソコン３０も、記憶媒体装着部４０を備えていなくてよい。携帯電話機１０およびパソコン３０の構成は、記憶媒体装着部を備えていなくてもよい点以外は、第１の実施の形態と同様である。
【０１６３】
次に、第２の実施の形態における動作について説明する。図７は、携帯電話機１０が使用されたときにパソコン３０が番組の録画処理を実行する処理を示すフローチャートである。
【０１６４】
携帯電話機１０の制御部１１は、操作部２１を介して視聴者からの指示（放送される番組を受信して出力する旨の指示）を入力される。また、制御部１１は、操作部２１を介して、番組の受信チャンネルの情報も入力される。そして、制御部１１は、その指示に応じて、指定された受信チャンネルにおけるテレビジョン放送の番組受信を開始し、受信した番組の出力を開始する（ステップＳ２１）。ステップＳ２１の処理は、ステップＳ１ａと同様である。
【０１６５】
続いて、制御部１１は、記憶装置１２に放送局特定情報（本実施の形態では、視聴者によって指定された受信チャンネルの情報とする）を記憶させる（ステップＳ２２）。
【０１６６】
また、制御部１１は、放送局特定情報とユーザ情報を記載し、録画開始を指示する旨の情報を所定の書式で含む電子メールをパソコン３０に送信する（ステップＳ２３）。そして、パソコン３０の制御部３１は、この電子メールを受信する（ステップＳ２４）。録画開始を指示する旨の情報を含む電子メールの送受信動作は、第１の実施の形態と同様である。
【０１６７】
なお、ステップＳ２２とステップＳ２３の処理順序は逆であってもよい。
【０１６８】
パソコン３０の制御部３１は、録画開始を指示する旨の情報を含む電子メールを受信したならば、その電子メールに記載されている放送局特定情報を読み込む。そして、制御部３１は、放送局特定情報によって特定される放送局が放送している番組の映像データおよび音声データを放送受信部３６から受信し、その番組の映像データおよび音声データを番組記録部３９に記録する録画処理を開始する（ステップＳ２５）。制御部３１は、録画対象番組のデータを記録するときに、その記録時刻の情報とともに番組のデータを記録する。また、制御部３１は、番組のデータの記録（録画）を開始するときに、その番組のデータと対応させて、受信した電子メールに記載されているユーザ情報も番組記録部３９に記録する。ステップＳ２５の処理は、ステップＳ５ａと同様である。
【０１６９】
また、携帯電話機１０の制御部１１は、ステップ２１以降、受信した番組の出力を継続している。制御部１１は、番組の出力を継続しているときに、操作部２１を介して受信チャンネルの切り替え指示が入力されたならば（ステップＳ２６のＹ）、受信チャンネルを切り替える（ステップＳ２７）。ステップＳ２６からステップＳ２７に移行して受信チャンネルを切り替える動作は、ステップＳ６ａからステップＳ７ａに移行して受信チャンネルを切り替える動作と同様である。
【０１７０】
その後、ステップ２２に移行する。すなわち、制御部１１は、記憶装置１２に放送局特定情報を記憶させる。ただし、受信チャンネルを切り替えてステップＳ２２に移行した場合、制御部１１は、切り替え後の受信チャンネルに対応する放送局特定情報を記憶装置１２に記憶させる。従って、受信チャネルが切り替えられる度に、記憶装置１２に放送局特定情報の履歴が記憶されていくことになる。本実施の形態では、受信チャンネルの情報を放送局特定情報として用いるので、切り替え後の受信チャンネルの情報を記憶装置１２に記憶させればよい。
【０１７１】
その後、ステップＳ２３に移行し、制御部１１は、放送局特定情報を記載し、受信チャンネル切り替えを指示する旨の情報を所定の書式で含む電子メールを送信する。パソコン３０の制御部３１は、受信チャンネル切り替え後に携帯電話機１０が送信した電子メールを受信する（ステップＳ２４）。受信チャンネル切り替えを指示する旨の情報を含む電子メールの送受信動作は、第１の実施の形態と同様である。
【０１７２】
受信チャンネル切り替えを指示する旨の情報を含む電子メールを受信したならば、パソコン３０の制御部３１は、その電子メールに記載されている放送局特定情報を読み込む。制御部３１は、その放送局特定情報に基づいて、録画対象の番組を切り替える（ステップＳ２５）。録画対象の番組を切り替える動作は、第１の実施の形態と同様である。
【０１７３】
制御部３１は、録画開始時と同様に、録画する番組のデータと対応させて、受信した電子メールに記憶されている放送局特定情報を番組記録部３９に記録する。従って、携帯電話機１０において受信チャネルが切り替えられる度に、パソコン３０でも録画対象番組が切り替えられ、また、番組記録部３９には、放送局特定情報の履歴が記憶されていくことになる。
【０１７４】
また、番組の出力を継続しているときに操作部２１を介して受信チャンネルの切り替え指示が入力されず（ステップＳ２６のＮ）、操作部２１を介してテレビジョン放送の受信停止指示が入力されないならば（ステップＳ２８のＮ）、携帯電話機１０の制御部１１は、ステップＳ２６およびステップＳ２８を繰り返し、受信チャンネルの切り替え指示またはテレビジョン放送の受信停止指が入力されるまで待機する。この間、制御部１１は、番組の出力を継続する。
【０１７５】
テレビジョン放送の受信停止指が入力されると、制御部１１は、その指示に応じてテレビジョン放送の受信を停止する。そして、制御部１１は、タイマが計時する時刻によって、テレビジョン放送の受信停止時刻を判定する。そして、制御部１１は、その受信停止時刻の情報と、記憶装置１２が記憶している放送局特定情報の履歴とを電子メールでパソコン３０に送信する（ステップＳ２９）。このとき、制御部１１は、送受信回路１４およびアンテナ１３を介して電子メールを送信する。制御部１１は、携帯電話機１０におけるテレビジョン放送の受信停止時刻を記載した電子メールである旨を所定の書式で、電子メールに含めておく。例えば、例えば、「受信停止時刻送信」等の所定の文字列を電子メールのタイトルにする。あるいは、「受信停止時刻送信」等の所定の文字列を電子メール本文の所定の箇所（例えば、先頭行）に記載してもよい。受信停止時刻を記載した電子メールである旨の情報を所定の書式で含めておくことにより、パソコン３０は、受信停止時刻を記載した電子メールを、他の電子メールと区別して認識することができる。
【０１７６】
パソコン３０の制御部３１は、受信停止時刻と、放送局特定情報の履歴を記載した電子メールを、ネットワークインタフェース部３３を介して受信する（ステップＳ３０）。具体的には、第１の実施の形態で説明したように、パソコン３０の制御部３１は、所定期間毎（例えば１分毎）にメール受信確認処理を行い、メールサーバが電子メールを受信しているのであれば、その電子メールをメールサーバから受信する。そして、受信した電子メールの中に、受信停止時刻を記載した電子メールがあるか否かを判定する。受信停止時刻を記載した電子メールを受信したならば、その電子メールに記載されている受信停止時刻の情報と、放送局特定情報の履歴とを記憶装置３２に記憶させる。
【０１７７】
なお、パソコン３０における録画を停止させる場合には、例えば、第１の実施の形態で説明した録画停止態様で停止させればよい。
【０１７８】
次に、ステップＳ２１〜Ｓ２９の間に携帯電話機１０で番組を視聴していた視聴者が、パソコン３０で番組を視聴する場合の動作について説明する。図８は、パソコン３０が番組の視聴者に、ステップＳ２９における受信停止時刻以降の箇所を視聴させる処理を示すフローチャートである。
【０１７９】
パソコン３０の制御部３１は、パソコン３０が携帯電話機１０からの開始指示に応じて録画した番組の再生する操作を操作部４１において受け付ける。この操作を受け付けると、制御部３１は、番組を再生しようとする視聴者に対して、ユーザ情報の入力を要求する。例えば、ユーザ情報の入力を促す画面を表示装置３７に表示する。そして、制御部２１は、視聴者によってユーザ情報を入力される（ステップＳ４１）。
【０１８０】
続いて、制御部３１は、ステップＳ２１〜Ｓ２９の間に携帯電話機１０が使用者に視聴させた番組と、制御部３１が録画した番組との間に整合性があるか否かを判定する（ステップＳ４２）。制御部３１は、録画中に番組記録部３９に記録した放送局特定情報の履歴と、ステップＳ３０で受信した電子メールに記載されている放送局特定情報の履歴とが一致しているか否かを判定し、一致していれば、携帯電話機１０が使用者に視聴させた番組と、制御部３１が録画した番組との間に整合性があると判定すればよい。一致していなければ整合性がないと判定すればよい。なお、ステップＳ３０で受信した電子メールに記載されている放送局特定情報の履歴は、記憶装置３２に記憶させたので、記憶装置３２から読み込めばよい。また、ステップＳ４２では、携帯電話機１０で番組を視聴していた視聴者と、録画した番組をこれから再生して視聴しようとしている者との間に整合性があるか否かについても判定する。具体的には、制御部３１は、ステップＳ４１で入力されたユーザ情報と、録画開始時に録画対象番組のデータと対応させて番組記録部３９に記録したユーザ情報とが一致しているか否かによって判定すればよい。２つのユーザ情報が一致していれば、整合性があると判定し、一致していなければ整合性がないと判定すればよい。
【０１８１】
ステップＳ４２における整合性判定において、放送局特定情報の履歴が一致し、ユーザ情報も一致しているならば（ステップＳ４３のＹ）、ステップＳ４４に移行する。また、放送局特定情報の履歴が一致していなかったり、あるいは、ユーザ情報が一致していなかったならば（ステップＳ４３のＮ）、処理を終了する。
【０１８２】
ステップＳ４４において、制御部３１は、ステップＳ３０で受信した電子メールに記載されている受信停止時刻を参照する。この受信停止時刻は、記憶装置３２に記憶させたので、記憶装置３２から受信停止時刻の情報を読み込めばよい。制御部３１は、録画したデータのうち、その受信停止時刻に対応する箇所を特定し、その時刻以降の映像データおよび音声データに基づいて映像を表示し、音声を出力すればよい。なお、制御部３１は、録画対象番組のデータを記録するときに、その記録時刻の情報とともに番組のデータを記録する。従って、制御部３１は、受信停止時刻に対応する箇所を特定できる。
【０１８３】
上記の例では、ステップＳ２９において、受信停止時刻を判定し、その受信停止時刻の情報を送信している部分が受信停止時刻出力手段に相当する。具体的には、ステップＳ２９において、制御部１１が受信停止時刻を判定し、送受信回路１４およびアンテナ１３を介してその受信停止時刻の情報を送信しており、ここに示した制御部１１、送受信回路１４およびアンテナ１３が受信停止時刻出力手段に相当する。また、ステップＳ３０において、受信停止時刻の情報を受信している部分が受信停止時刻入力手段に相当する。具体的には、ステップＳ３０において、制御部３１がネットワークインタフェース部３３を介して受信停止時刻の情報を受信しており、ここに示した制御部３１およびネットワークインタフェース部３３が受信停止時刻入力手段に相当する。
【０１８４】
ここでは、携帯電話機１０が視聴者に番組を視聴させ、パソコン３０がその続きを再生する場合を説明したが、最初にパソコン３０が視聴者に番組を視聴させ、携帯電話機１０がその続きを再生する場合の処理の流れも同様である。
【０１８５】
第２の実施の形態においても、視聴者は、番組の視聴を中断した後に、それまで番組を視聴していた装置とは異なる装置を用いて、中断した箇所から番組の視聴を迅速に再開することができる。また、外部記憶媒体を用いる必要がない。
【０１８６】
次に、第１の実施の形態および第２の実施の形態の変形例について説明する。以下に示す変形例の説明では、携帯電話機１０が放送中の番組を使用者に視聴させ、パソコン３０が録画処理を行う場合を例に説明する。ただし、パソコン３０が放送中の番組を使用者に視聴させ、携帯電話機１０が録画処理を行う場合の動作も同様である。
【０１８７】
携帯電話機１０の制御部１１が、切り替え後の受信チャンネルに対応する放送局特定情報を記載した電子メールを送信するとき（ステップＳ７ａ後におけるステップＳ３ａ、ステップＳ２７後におけるステップＳ２３）、制御部１１が、受信チャンネルを切り替えた時刻を判定し、その受信チャンネル切り替え時刻の情報も電子メールに記載し、その電子メールを録画処理を行っているパソコン３０に送信してもよい。切り替えた時刻の情報は、受信チャンネル切り替え時にタイマが計時した時刻によって特定することができる。パソコン３０の制御部３１は、切り替え後の受信チャンネルに対応する放送局特定情報および受信チャンネル切り替え時刻の情報を記載した電子メールを受信した場合（ステップＳ７ａ後におけるステップＳ４ａ、ステップＳ２７後におけるステップＳ２４）、受信チャンネル切り替え情報に基づいて、録画している番組のデータのうち、受信チャンネル切り替え時刻に対応する箇所にインデックス情報（再生開始箇所の候補であることを示す情報）を付加する。そして、操作部４１は、インデックス情報が付加された箇所のうち一つを指定される操作を受け付ける。制御部３１は、番組を再生するときに、インデックス情報が付加された箇所のうち、操作部４１において指定された箇所から番組を再生してもよい。この場合、視聴者は、視聴を中断した箇所から番組の視聴を迅速に再開することができるだけでなく、受信チャンネルを切り替えたタイミングからの再生も迅速に行うことができる。
【０１８８】
上記の変形例では、ステップＳ７ａ後におけるステップＳ３ａ等において、受信チャンネル切り替え時刻（放送局を切り替えた時刻に相当）を判定し、その受信チャンネル切り替え時刻の情報を送信する部分が、切り替え時刻送信手段に相当する。具体的には、ステップＳ７ａ後におけるステップＳ３ａ等において、制御部１１が受信チャンネルを切り替えた時刻を判定し、その切り替え時刻の情報を、送受信回路１４およびアンテナ１３を介して送信しており、ここで示した制御部１１、送受信回路１４およびアンテナ１３が切り替え時刻送信手段に相当する。また、ステップＳ７ａ後におけるステップＳ４ａ等において、切り替え時刻の情報を受信する部分が切り替え時刻受信手段に相当する。具体的には、ステップＳ７ａ後におけるステップＳ４ａ等において、制御部３１がネットワークインタフェース部３３を介して切り替え時刻の情報を受信しており、ここに示した制御部３１およびネットワークインタフェース部３３が切り替え時刻受信手段に相当する。また、受信チャンネル切り替え情報に基づいて、録画している番組のデータのうち、受信チャンネル切り替え時刻に対応する箇所にインデックス情報を付加する制御部３１が、インデックス情報付加手段に相当する。インデックス情報が付加された箇所のうち一つを指定される操作を受け付ける操作部４１が、再生開始箇所指定手段に相当する。インデックス情報が付加された箇所のうち、操作部４１において指定された箇所から番組を再生する制御部１１が、指定箇所再生手段に相当する。
【０１８９】
また、携帯電話機１０の制御部１１が、切り替え後の受信チャンネルに対応する放送局特定情報を記載した電子メールを送信するとき（ステップＳ７ａ後におけるステップＳ３ａ、ステップＳ２７後におけるステップＳ２３）では、制御部１１は、電子メールを送信するか否かの決定を視聴者に促し、視聴者が電子メールを送信することを指示した場合に、切り替え後の受信チャンネルに対応する放送局特定情報を記載した電子メールを送信してもよい。例えば、制御部１１は、電子メールを送信するか否かの選択ボタンを有する画面を表示し、送信指示に対応する選択ボタンが押下された場合に、電子メールを送信すればよい。この場合、携帯電話機１０で受信チャンネルを切り替えた場合であっても、パソコン３０では、切り替え前の受信チャネルの番組の録画を継続することができる。なお、この場合、切り替え後の受信チャンネルに対応する放送局特定情報を記載した電子メールを送信した場合のみ、その放送局特定情報を外部記憶媒体５０（あるいは記憶装置１２）に記憶させるようにする。切り替え後の受信チャンネルに対応する放送局特定情報を外部記憶媒体５０等に記憶させたが、その放送局特定情報を送信しなかったという状態を防止するためである。
【０１９０】
また、パソコン３０は、携帯電話機１０から最初に電子メールを受信する以前から、視聴者の操作に応じて録画を開始していてもよい。例えば、制御部３１は、操作部４１を介して直接録画指示が入力された場合、電子メールを受信していなくても録画を開始してよい。そして、携帯電話機１０が視聴者の操作に応じてテレビジョン放送の受信および番組の出力を開始した後に、携帯電話機１０の制御部１１が最初に電子メールを送信する場合には、放送局特定情報、ユーザ情報の他に、携帯電話機１０がテレビジョン放送の受信を開始した時刻の情報を記載した電子メールをパソコン３０に送信してもよい。なお、この電子メールには、録画開始を指示する旨の情報が含まれるが、パソコン３０は、既に録画を開始しているので、録画を継続する。パソコン３０の制御部３１は、受信開始時刻を記載した電子メールを携帯電話機１０から受信した場合、録画している番組のデータのうち、受信開始時刻に対応する箇所にインデックス情報を付加する。そして、制御部３１は、番組を再生するときに、視聴者の操作に応じて、そのインデックス情報が付加された箇所から番組を再生してもよい。この場合、視聴者は、視聴を中断した箇所から番組の視聴を迅速に再開することができるだけでなく、携帯電話機１０において番組の視聴を開始した箇所からの再生も迅速に行うことができる。
【０１９１】
また、パソコン３０は、予め番組表データを記憶装置３２に記憶しておき、録画開始を指示する旨の情報を含む電子メールを受信したときに以下のように動作してもよい。パソコン３０の制御部３１は、その電子メールに記載された放送局特定情報によって特定される放送局が放送している番組の録画処理を開始する。この録画開始処理は、ステップ５ａやステップＳ２５の動作と同様である。また、パソコン３０の制御部３１は、録画処理を開始した時刻と、放送局特定情報と、各放送局が放送する各番組の放送時間帯情報（番組表データに含まれる）とに基づいて、録画処理を開始した番組を判定する。さらに、制御部３１は、番組表データを参照して、その番組の再放送があるか否かを判定する。再放送があるならば、制御部３１は、第１から第４の録画停止態様等で録画を停止した後、その番組の再放送開始時に、電子メールに記載された放送局特定情報によって特定される放送局が放送している番組のデータを、放送受信部３６を介して受信し、その番組のデータを番組記録部３９に記録する録画処理を開始してもよい。そして、制御部３１は、例えば、番組表データに基づいて再放送される番組の終了時に録画処理を停止する。パソコン３０がこのような動作を行えば、視聴者は、視聴を中断した箇所から番組の視聴を迅速に再開することができるだけでなく、携帯電話機１０で視聴を開始した番組全体を録画しておくことができる。例えば、携帯電話機１０で番組Ａの途中から視聴を開始し、その後視聴を中断したとする。そして、番組Ａが、繰り返し再放送されるとする。すると、パソコン３０が上述の動作を行うことによって、視聴者は視聴を中断した箇所から番組を再生することができ、さらに、番組Ａ全体を再生して視聴することもできる。なお、既に説明したように、パソコン３０の制御部３１は、テレビジョン放送の電波を用いて配信されたりインターネットを介して配信されている番組表データを取得し、その番組表データを記憶装置３２に記憶させておけばよい。
【０１９２】
上記の変形例では、番組表データを記憶する記憶装置３２が番組表データ記憶手段に相当する。放送局特定情報と、番組表データに含まれている各放送局が放送する各番組の放送時間帯情報とに基づいて録画処理を開始した番組を判定する制御部３１が、番組判定手段に相当する。番組表データを参照して、録画処理を開始した番組の再放送があるか否かを判定する制御部３１が、再放送有無判定手段に相当する。また、再放送される番組を録画する処理を行う部分が、再放送録画手段に相当する。具体的には、制御部３１が、番組の再放送開始時に、電子メールに記載された放送局特定情報によって特定される放送局が放送している番組のデータを放送受信部３６を介して受信し、その番組のデータを番組記録部３９に記録する録画処理を開始し、再放送される番組の終了時に録画処理を停止するので、ここに示した制御部３１，放送受信部３６および番組記録部３９が再放送録画手段に相当する。
【０１９３】
また、パソコン３０の制御部３１は、携帯電話機１０で番組を視聴している視聴者に、再放送される番組を録画するか否かの決定を促し、その視聴者が再放送される番組の録画を指示した場合にのみ、再放送される番組を録画してもよい。再放送される番組を録画するか否かの決定を促す場合には、例えば、「録画を開始した番組の再放送があります。再放送を録画しますか？」等の定形文を予め記憶装置３２に記憶しておき、そのような定形文を記載した電子メールを携帯電話機１０に送信する。携帯電話機１０の制御部１１は、この電子メールを表示装置１７に表示させて、使用者に閲覧させる。制御部１１は、使用者の操作に応じて「再放送録画指示」等の定形文を記載した電子メールを作成し、パソコン３０に送信する。パソコン３０の制御部３１は、「録画を開始した番組の再放送があります。再放送を録画しますか？」等の定形文を記載した電子メールを携帯電話機１０に送信した後に、「再放送録画指示」等の定形文を記載した電子メールを受信したと判定したならば、再放送される番組を録画する。また、携帯電話機１０の使用者は、再放送を録画する必要がなければ、電子メールを返信しなければよい。なお、上記の定形文は例示であり、定形文は上記の文に限定されない。
【０１９４】
また、上記の第１の実施の形態および第２の実施の形態では、電子メールを用いて各情報を送受信する場合を示したが、電子メールを用いないで情報を送受信してもよい。例えば、電子メールアドレスではなく、ＩＰアドレスを指定して、そのＩＰアドレスを宛先として各情報を送信してもよい。より具体的には、例えば、パソコン３０にＩＰアドレスを割り当てておき、携帯電話機１０は、そのＩＰアドレスを予め記憶しておく。携帯電話機１０の制御部１１は、そのＩＰアドレスを宛先として、放送局特定情報、ユーザ情報および録画開始を指示する旨の情報を送信してもよい。同様に、制御部１１は、そのＩＰアドレスを宛先として、放送局特定情報および受信チャンネル切り替えを指示する旨の情報を送信してもよい。また、同様に、制御部１１は、そのＩＰアドレスを指定して、受信停止時刻の情報と、放送局特定情報の履歴とを送信してもよい。
【０１９５】
また、通信ネットワーク６０に、携帯電話機１０とパソコン３０との情報送受信を中継するサーバを接続させ、携帯電話機１０が各情報をサーバに送信してサーバに記憶させ、パソコン３０がサーバから情報を受信する送受信態様であってもよい。この場合、携帯電話機１０およびパソコン３０は、サーバのＩＰアドレスを予め記憶装置に記憶しておく。携帯電話機１０の制御部１１は、放送局特定情報、ユーザ情報および録画開始を指示する旨の情報を送信する場合には、サーバのＩＰアドレスを宛先として各情報を送信する。サーバは、受信した情報を記憶する。また、パソコン３０の制御部３１は、所定時間毎に、サーバのＩＰアドレスを指定して、サーバに対して情報提供命令を送信する。サーバは、情報提供命令を受信したときに、携帯電話機１０から受信して記憶した情報があるのであれば、その情報をパソコン３０に送信する。なお、サーバには、予め、携帯電話機１０とパソコン３０との組み合わせを登録させておき、パソコン３０に対して使用者の異なる携帯電話機からの情報を送信しないようにする。
【０１９６】
また、視聴者が、これから番組を視聴しようとする装置の他に、録画可能な装置を複数持っている場合、どの装置に録画を開始させるのかを指定できるようにしてもよい。例えば、これから携帯電話機１０で番組を視聴しようとする視聴者が、パソコン３０を複数所有しているとする。この場合、携帯電話機１０は、例えば、各パソコン３０のＩＰアドレスを記憶装置１２に記憶しておく。ステップＳ１ａやステップＳ２１の前に、各パソコンのうちの一つを選択させる画面を表示して、視聴者によって選択されたパソコンのＩＰアドレスに対して、放送局特定情報等を送信すればよい。
【０１９７】
また、第１の実施の形態および第２の実施の形態では、ステップＳ１２やステップＳ４２で、放送局特定情報の履歴が一致し、かつ、ユーザ情報が一致している場合に、受信停止時刻に対応する箇所から再生を行う場合を説明した。ステップＳ１２やステップＳ４２では、ユーザ情報が一致しているか否かを判定し、ユーザ情報が一致していれば再生を行うようにしてもよい。また、ステップＳ１２やステップＳ４２では、放送局特定情報の履歴が一致しているか否かを判定し、放送局特定情報が一致していれば再生を行うようにしてもよい。
【０１９８】
実施の形態３．
第３の実施の形態では、番組を録画する装置が、電子メール等を受信したときに番組録画を開始するのではなく、電子メール受信時以降に番組が再放送されるときに番組全体を録画する。以下の説明では、携帯電話機１０が放送中の番組を使用者に視聴させ、パソコン３０が録画処理を行う場合を例に説明する。ただし、パソコン３０が放送中の番組を使用者に視聴させ、携帯電話機１０が録画処理を行う場合の動作も同様である。
【０１９９】
第３の実施の形態における携帯電話機１０およびパソコン３０の構成は、第１の実施の形態における構成と同様である。ただし、録画を行う装置（本例ではパソコン３０）は、記憶装置に番組表データを予め記憶する。なお、既に説明したように、パソコン３０の制御部３１は、テレビジョン放送の電波を用いて配信されたりインターネットを介して配信されている番組表データを取得し、その番組表データを記憶装置３２に記憶させておけばよい。
【０２００】
以下、本実施の形態における動作について説明する。
図９は、携帯電話機１０が使用者に番組を視聴させ、パソコン３０が録画処理を実行する処理を示すフローチャートである。図９に示す処理は、記憶媒体装着部２０（図２参照）に外部記憶媒体５０が装着された状態で開始される。
【０２０１】
携帯電話機１０の制御部１１は、使用者の操作に応じて、指定された受信チャンネルにおけるテレビジョン放送の番組受信を開始し、受信した番組の出力を開始する（ステップＳ５１）。続いて、制御部１１は、外部記憶媒体５０に放送局特定情報を記憶させる（ステップＳ５２）。ステップＳ５１，Ｓ５２の処理は、ステップＳ１ａ，Ｓ２ａと同様である。
【０２０２】
さらに、制御部１１は、放送局特定情報およびユーザ情報を記載した電子メールを作成し、送受信回路１４およびアンテナ１３を介してパソコン３０に送信する（ステップＳ５３）。また、制御部１１は、録画を指示する旨の情報をこの電子メールに含める。録画を指示する旨の情報は、パソコン３０が認識できるように、予め定められた書式で電子メールに含まれていればよい。例えば、電子メールのタイトルを「録画指示」等の所定の文字列にすればよい。
【０２０３】
パソコン３０の制御部３１は、ステップＳ５３で送信された電子メールを、ネットワークインタフェース部３３を介して受信する（ステップＳ５４）。制御部３１は、第１の実施の形態と同様に電子メールを受信すればよい。録画を指示する旨の情報を含む電子メールを受信したならば、その電子メールから放送局特定情報およびユーザ情報を読み込む。そして、制御部３１は、ユーザ情報を記憶装置３２に記憶させる。また、制御部３１は、タイマを用いて電子メールを受信した時刻を判定する。
【０２０４】
続いて、制御部３１は、読み込んだ放送局特定情報と、電子メールの受信時刻と、番組表データとを参照して、携帯電話機１０が現在、使用者に視聴させている番組を判定する。番組表データには、各放送局が放送する各番組の放送時間帯情報（番組開始時刻と番組終了時刻の情報）が含まれているので、放送局特定情報および電子メールの受信時刻に基づいて番組を判定することができる。さらに、その番組の開始時刻を番組表データから読み取り、その番組の開始時刻も判定する（ステップＳ５６）。
【０２０５】
ステップＳ５６で番組を判定した後、制御部３１は、その番組と同一の番組が再放送されるか否かを番組表データを参照して判定する（ステップＳ５７）。再放送される場合には、制御部３１は、再放送される番組を録画する（ステップＳ５８）。すなわち、携帯電話機１０が使用者に視聴させた番組の再放送開始時間になったら、その番組の録画を開始する。そして、その再放送の終了時間になったら、番組の録画を終了する。再放送開示時間および終了時間は、番組表データを用いて判定すればよい。なお、ステップＳ５８の録画処理において、制御部３１は、ステップＳ５４で受信した放送局特定情報によって特定される放送局が放送している番組の映像データおよび音声データを放送受信部３６から受信し、その番組の映像データおよび音声データを番組記録部３９に記録する。また、制御部３１は、録画対象番組のデータ（映像データおよび音声データ）を番組記録部３９に記録するとき、その記録時刻の情報とともに番組のデータを記録する。また、制御部３１は、録画する番組のデータと対応させて、ステップＳ５４で受信したユーザ情報も番組記録部３９に記録する。なお、ステップＳ５４で受信したユーザ情報は、記憶装置３２に記憶させているので、記憶装置３２からユーザ情報を読み込んで番組記録部３９に記録させればよい。同様に、制御部３１は、ステップＳ５４で受信した放送局特定情報も、録画する番組のデータと対応させて番組記録部３９に記録する。
【０２０６】
再放送されない場合（ステップＳ５７のＮ）、パソコン３０の制御部３１は録画処理を行わない。
【０２０７】
一方、携帯電話機１０の制御部１１は、操作部２１を介して、テレビジョン放送の受信停止指が入力されたならば（ステップＳ５９のＹ）、ステップＳ６０に移行する。テレビジョン放送の受信停止指示が入力されなければ（ステップＳ５９のＮ）、受信した番組の出力を継続する。
【０２０８】
ステップＳ６０では、制御部１１は、タイマが計時する時刻によってテレビジョン放送の受信停止時刻を判定する。そして制御部１１は、記憶媒体装着部２０を制御して、その受信停止時刻の情報を外部記憶媒体５０に記憶させる。このとき、制御部１１は、受信停止時刻の情報とともに、ユーザ情報も外部記憶媒体５０に記憶させる。
【０２０９】
図１０は、パソコン３０が録画した番組を再生する処理を示すフローチャートである。ステップＳ６０の後、携帯電話機１０の記憶媒体装着部２０に装着されていた外部記憶媒体５０は、記憶媒体装着部２０から取り外され、パソコン３０の記憶媒体装着部４０に装着される。図１０に示す処理は、パソコン３０に外部記憶媒体５０が装着された状態で開始される。また、再放送される番組の録画処理（ステップＳ５８）は完了しているものとする。
【０２１０】
パソコン３０の制御部３１は、記憶媒体装着部４０を制御して、装着された外部記憶媒体５０から放送局特定情報、テレビジョン放送の受信停止時刻の情報およびユーザ情報を読み込む（ステップＳ７１）。
【０２１１】
続いて、制御部３１は、ステップＳ５１〜ステップＳ６０の間に携帯電話機１０が使用者に視聴させた番組と、制御部３１が録画した番組との間に整合性があるか否かを判定する。このとき、制御部３１は、外部記憶媒体５０から読み込んだ放送局特定情報と、番組記録部３９が記憶している放送局特定情報とが一致しているか否かを判定する。そして、放送局特定情報が一致していれば、携帯電話機１０が使用者に視聴させた番組と、制御部３１が録画した番組との間に整合性があると判定すればよい。一致していなければ整合性がないと判定すればよい。
【０２１２】
また、制御部３１は、携帯電話機１０で番組を視聴していた視聴者と、録画した番組をこれから再生して視聴しようとしている者との間に整合性があるか否かを判定する。この判定は、外部記憶媒体５０から読み込んだユーザ情報と、番組記録部３９が記憶している放送局特定情報とが一致しているか否かを判定することによって行えばよい。２つのユーザ情報が一致していれば整合性があると判定し、一致していなければ整合性がないと判定する（ステップＳ７２）。
【０２１３】
ステップＳ７２において、放送局特定情報が一致し、ユーザ情報も一致しているならば（ステップＳ７３のＹ）、ステップＳ７４に移行する。また、放送局特定情報の履歴が一致していなかったり、あるいは、ユーザ情報が一致していなかったならば（ステップＳ７３のＮ）、処理を終了する。
【０２１４】
ステップＳ７４において、制御部３１は、ステップＳ５６で判定した番組の開始時刻と、外部記憶媒体５０から読み込んだテレビジョン放送の受信停止時刻との差分時間を算出する。すなわち、視聴者が携帯電話機１０で視聴した番組の開始時刻と、視聴者が番組の視聴を中断した時刻との差分時間を算出する。
【０２１５】
次に、制御部３１は、ステップＳ５８で録画した番組を再生する。ただし、制御部３１は、録画したデータのうち、ステップＳ５８における録画開始時刻から差分時間（ステップＳ７４で算出した差分時間）だけ経過した時刻に対応する箇所を特定する。そして、その箇所から番組を再生する（ステップＳ７５）。すなわち、その箇所以降の映像データおよび音声データに基づいて、映像を表示装置３７に表示し、音声をスピーカ３８から出力する。なお、制御部３１は、録画対象番組のデータを記録するときに、その記録時刻の情報とともに番組のデータを記録する。従って、制御部３１は、録画開始時刻から差分時間だけ経過した時刻に対応する箇所を特定できる。
【０２１６】
この結果、番組の視聴を中断した視聴者は、それまで使用していた視聴装置とは異なる視聴装置を用いて、番組の続きを迅速に再生して視聴することができる。また、再放送時に番組全体を録画するので、番組全体を視聴することもできる。
【０２１７】
上記の例では、ステップＳ１ａと同様の処理であるステップＳ５１以降において番組を出力する部分が番組出力手段に相当する。従って、第１の実施の形態と同様に、制御部１１、受信アンテナ１５、放送受信部１６、表示装置１７およびスピーカ１８が番組出力手段に相当する。ステップＳ５３において、放送局特定情報および録画を指示する旨の情報を送信する部分が録画指示送信手段に相当する。具体的には、ステップＳ５３において、制御部１１が、送受信回路１４およびアンテナ１３を介して、放送局特定情報および録画を指示する旨の情報を送信しており、ここに示した制御部１１、送受信回路１４およびアンテナ１３が録画指示送信手段に相当する。ステップＳ６０において、受信停止時刻を判定し、その受信停止時刻の情報を外部記憶媒体５０に記憶させている制御部１１および記憶媒体装着部２０が、受信停止時刻出力手段に相当する。ステップＳ５４において、放送局特定情報および録画を指示する旨の情報を受信する部分が録画指示受信手段に相当する。具体的には、ステップＳ５４において、制御部３１が、ネットワークインタフェース部３３を介して、放送局特定情報および録画を指示する旨の情報を受信しており、ここに示した制御部１１およびネットワークインタフェース部３３が録画指示受信手段に相当する。番組表データを記憶する記憶装置３２が番組表データ記憶手段に相当する。ステップＳ５６において、携帯電話機１０が出力している番組およびその番組の開始時刻を判定する部分が番組判定手段に相当する。具体的には、ステップＳ５６において、制御部３１が、放送局特定情報と番組表データとを参照して、携帯電話機１０が使用者に視聴させている番組を判定し、さらに、番組の開始時刻を番組表データから読み取り、その番組の開始時刻も判定する。従って、ここに示した制御部３１が番組判定手段に相当する。ステップＳ５７において、ステップＳ５６で判定された番組が再放送されるか否かを判定する部分が再放送有無判定手段に相当する。具体的には、ステップＳ５７において、制御部３１が、ステップＳ５６で判定された番組と同一の番組が再放送されるか否かを番組表データを参照して判定しており、ここに示した制御部３１が再放送有無判定手段に相当する。録画対象となる番組の映像データおよび音声データを記録する番組記録部３９が、番組記憶手段に相当する。ステップＳ５８において、録画処理を行う部分が、録画手段に相当する。具体的には、ステップＳ５８において、再放送開始時から再放送終了時までの間、制御部３１が、ステップＳ５４で受信した放送局特定情報によって特定される放送局が放送している番組の映像データおよび音声データを放送受信部３６から受信し、その番組の映像データおよび音声データを番組記録部３９に記録する。従って、ここに示した制御部３１、放送受信部３６および番組記録部３９が録画手段に相当する。ステップＳ７１において、外部記憶媒体５０から受信停止時刻の情報を読み込む制御部３１および記憶媒体装着部４０が、受信停止時刻入力手段に相当する。ステップＳ７４において差分時間を算出する部分と、ステップＳ７５において、その差分時間の経過時に対応する箇所から再生処理を行う部分が再生手段に相当する。具体的には、ステップＳ７４において、制御部３１が、番組の開始時刻と受信停止時刻との差分時間を算出する。そして、ステップＳ７５において、制御部３１が、録画したデータのうち差分時間だけ経過した時刻に対応する箇所以降の映像データおよび音声データに基づいて、映像を表示装置３７に表示し、音声をスピーカ３８から出力する。従って、ここに示した制御部３１、表示装置３７およびスピーカ３８が再生手段に相当する。
【０２１８】
また、外部記憶媒体５０を装着させる携帯電話機１０の記憶媒体装着部２０が、第１の記憶媒体装着手段に相当する。外部記憶媒体５０を装着させるパソコン３０の記憶媒体装着部４０が、第２の記憶媒体装着手段に相当する。携帯電話機１０が備えるタイマが番組視聴装置タイマに相当し、パソコン３０が備えるタイマが録画再生装置タイマに相当する。
【０２１９】
また、上記の例では、携帯電話機１０とパソコン３０とが外部記憶媒体５０を用いて、放送局特定情報および受信停止時刻を授受する場合を示した。携帯電話機１０とパソコン３０とが外部記憶媒体５０を用いずに、通信ネットワーク６０を介して放送局特定情報および受信停止時刻を送受信してもよい。この場合、携帯電話機１０の制御部１１は、ステップＳ５２において、放送局特定情報を例えば記憶装置１２に記憶させておく。そして、ステップＳ６０において、制御部１１は、受信停止時刻を判定し、放送局特定情報および受信停止時刻の情報を、送受信回路１４およびアンテナ１３を介してパソコン３０に送信すればよい。また、パソコン３０の制御部３１は、ネットワークインタフェース部３３を介して、その放送局特定情報および受信停止時刻の情報を受信すればよい。その後、制御部３１は、ステップＳ４１と同様にユーザ情報を入力され、ユーザ情報を入力された後に、ステップＳ７２以降の動作を行えばよい。ステップＳ７２では、制御部３１は、受信した放送局特定情報を用いて整合性の判定を行えばよい。また、制御部３１は、ステップＳ７４において、受信した受信停止時刻の情報を用いて差分時間を算出すればよい。
【０２２０】
上記の例では、ステップＳ６０において、受信停止時刻を判定し、その受信停止時刻の情報を送信する部分が受信停止時刻出力手段に相当する。具体的には、ステップＳ６０において、制御部１１が受信停止時刻を判定し、その受信停止時刻の情報を、送受信回路１４およびアンテナ１３を介して送信しており、ここに示した制御部１１、送受信回路１４およびアンテナ１３が受信停止時刻出力手段に相当する。また、ステップＳ６０で送信された受信停止時刻の情報を受信する部分が、受信停止時刻出力手段に相当する。具体的には、制御部３１が、ネットワークインタフェース部３３を介して受信停止時刻の情報を受信しており、ここに示した制御部３１およびネットワークインタフェース部３３が受信停止時刻出力手段に相当する。
【０２２１】
実施の形態４．
次に、第４の実施の形態について説明する。第４の実施の形態は、録画した番組を視聴者が異なる装置で視聴する際に、各装置が、再生が終了した箇所から再び再生を行うことによって視聴者に番組の続きを視聴させる形態である。
【０２２２】
第４の実施の形態では、携帯電話機１０は、テレビジョン放送を受信して番組を出力したり録画したりする機能を備えていなくてよい。従って、第４の実施の形態における携帯電話機１０は、図２に示す受信アンテナ１５、放送受信部１６および番組記録部１９を備えていなくてもよい。ただし、第４の実施の形態における携帯電話機１０は、図２に例示する構成と同様に、制御部１１と、記憶装置１２と、アンテナ１３と、送受信回路１４と、表示装置１７と、スピーカ１８と、記憶媒体装着部２０と、操作部２１と、タイマ（図示せず）とを備える。また、上記の各実施の形態と同様に、制御部１１は、記憶装置１２が記憶するプログラムに従って処理を実行する。制御部１１は、録画された番組のデータを記憶している外部記憶媒体５０が記憶媒体装着部２０に装着されているときに、その番組のデータを読み込み、番組の映像を表示装置１７に表示させ、音声をスピーカ１８に出力させる。
【０２２３】
また、第４の実施の形態におけるパソコン３０の構成は、図３に例示する構成と同様の構成である。番組記録部３９は、録画処理が行われた結果、再生対象となる番組のデータを記憶する。本実施の形態において、携帯電話機１０は番組を録画する機能を有していなくてもよいが、パソコン３０は番組を録画する機能を有する。
【０２２４】
以下、第４の実施の形態における動作について説明する。
図１１は、パソコン３０による番組の録画処理および再生処理を示すフローチャートである。パソコン３０の制御部３１（図３参照）は、例えば操作部４１を介して録画開始指示が入力されたならば、放送される番組を録画する（ステップＳ８１）。ステップＳ８１において、制御部３１は、操作部４１を介して指定された放送局が放送している番組を放送受信部３６から受信し、その番組の映像データおよび音声データを番組記録部３９に記録する。制御部３１は、操作部４１を介して録画終了指示が入力されたならば、録画を停止する（ステップＳ８１の処理を停止する）。
【０２２５】
ここで、番組記録部３９に記録するデータ（映像データおよび音声データ）の１単位について説明する。録画開始時から録画停止時までに記録されるデータを１つのデータとしてもよい。また、録画開始時から録画停止時までの間に録画される各番組の開始時から終了時までに記録されるデータを１つのデータとし、番組毎にデータを分けてもよい。例えば、録画開始時から録画停止時までの間に、番組Ａおよび番組Ｂを録画する場合、番組Ａの開始時から終了時までに記録されるデータを１つのデータとし、番組Ｂの開始時から終了時までに記録されるデータを１つのデータとしてもよい。番組毎にデータを分ける場合、パソコン３０は予め番組表データを記憶装置３２に記憶しておき、制御部３１は、番組表データに基づいて各番組の開始時刻および終了時刻を判定すればよい。そして、録画処理中にある番組の開始時刻になったならば、その時点から１つのデータの記録を開始し、その番組の終了時刻になったならば、そのデータの記録を終了すればよい。
【０２２６】
制御部３１は、例えば操作部４１を介して、番組記録部３９に記録されたデータの再生を指示される（ステップＳ８２）。このとき、制御部３１は、再生対象のデータを指定される。
【０２２７】
制御部３１は、データの再生を指示されると、指定された再生対象のデータに最終再生点の情報が関連付けられているか否かを判定する（ステップＳ８３）。最終再生点とは、データの再生を終了した場合における再生終了箇所である。最終再生点の情報は、録画されたデータが再生され、その再生が停止されたときに、その再生停止箇所（最終再生点）を特定可能な情報として生成される。例えば、録画されたデータのうち、再生停止箇所に付加される情報である。あるいは、データの先頭からの累積再生時間を、最終再生点の情報としてもよい。本実施の形態では、録画された各データのデータ構造は、最終再生点の情報を付加可能なデータ構造になっているものとする。
【０２２８】
再生対象のデータに最終再生点の情報が関連付けられていない場合、制御部３１は、そのデータの先頭から再生を行う（ステップＳ８５）。ステップＳ８５では、制御部３１は、再生対象データの先頭以降の映像データおよび音声データに基づいて、映像を表示装置３７に表示させ、音声をスピーカ３８に出力させる。
【０２２９】
また、再生対象のデータに最終再生点の情報が関連付けられている場合、制御部３１は、その最終再生点の情報から最終再生点（再生を停止した箇所）を特定する。そして、最終再生点から再生を行う（ステップＳ８４）。ステップＳ８４では、制御部３１は、最終再生点以降の映像データおよび音声データに基づいて、映像を表示装置３７に表示させ、音声をスピーカ３８に出力させる。
【０２３０】
制御部３１は、操作部４１等を介して再生停止操作が行われたならば（ステップＳ８６のＹ）、再生を停止する。そして、制御部３１は、再生を停止した箇所である最終再生点の情報を作成し、再生していたデータと関連付けて、番組記録部３９に記録する（ステップＳ８７）。このとき、制御部３１は、古い最終再生点の情報に対して新たな最終再生点の情報を上書きして記録する。
【０２３１】
続いて、制御部３１は、再生していたデータを、携帯電話機１０で再生可能なデータフォーマットに変換する。そして、制御部３１は、記憶媒体装着部４０を制御して、変換後のデータおよび最終再生点の情報を、記憶媒体装着部４０に装着されている外部記憶媒体５０に記憶させる（ステップＳ８８）。変換後のデータのデータ構造も、最終再生点の情報を付加可能なデータ構造になっているものとする。ステップＳ８８では、制御部３１は、再生していたデータを携帯電話機１０で再生可能なデータフォーマットに変換し、変換後のデータに最終再生点の情報を付加する。そして、そのデータを外部記憶媒体５０に記憶させる。なお、この変換を行うことで、データのサイズが変更される。
【０２３２】
なお、制御部３１は、それまで再生していたデータは、最終再生点の情報とともに番組記録部３９に残しておく。すなわち、変換前のデータを残し、変換後のデータを外部記憶媒体５０に記録する。また、番組記録部３９に残す変換前のデータと、変換後のデータとの対応関係を認識できるように、対応するデータにそれぞれ識別情報を付加しておく。なお、識別情報を付加せずに、変換前のデータと変換後のデータとの対応関係を管理してもよい。
【０２３３】
ステップＳ８８の処理は、例えば、制御部３１が、外部記憶媒体５０へのデータの記録を、操作部４１を介して指示された場合に実行すればよい。外部記憶媒体５０に複数のデータを記憶するように指示された場合には、指定された各データに対して、ステップＳ８８の処理を実行すればよい。
【０２３４】
なお、制御部３１は、再生停止操作が行われない場合（ステップＳ８６のＮ）、再生停止操作が行われるまで再生を継続する。
【０２３５】
図１２は、ステップＳ８８で外部記憶媒体に記憶されたデータを携帯電話機１０が再生する処理のフローチャートである。なお、ステップＳ８８の後、外部記憶媒体５０は、パソコン３０の記憶媒体装着部４０から取り外され、携帯電話機１０の記憶媒体装着部２０に装着される。その後、図１２に示す処理が実行される。
【０２３６】
携帯電話機１０の制御部１１は、例えば操作部２１を介して、外部記憶媒体５０に記憶されたデータの再生を指示される（ステップＳ９１）。このとき、制御部１１は、再生対象のデータを指定される。
【０２３７】
制御部１１は、データの再生を指示されると、記憶媒体装着部２０を制御して、指定された再生対象のデータに関連付けられている最終再生点の情報を外部記憶媒体５０から読み込む（ステップＳ９２）。続いて、制御部１１は、その最終再生点の情報から最終再生点を特定する。そして、最終再生点から再生を行う（ステップＳ９３）。ステップＳ９３では、制御部１１は、最終再生点以降の映像データおよび音声データを読み込み、その各データに基いて、映像を表示装置１７に表示させ、音声をスピーカ１８に出力させる。なお、外部記憶媒体５０が記憶しているデータは、携帯電話機１０で再生可能なデータフォーマットに変換されているので、制御部１１は、このデータを再生することができる。
【０２３８】
制御部１１は、操作部２１を介して再生停止操作が行われたならば（ステップＳ９４のＹ）、再生を停止する。そして、制御部１１は、新たに最終再生点の情報を作成する。そして、制御部１１は、記憶媒体装着部２０を制御して、再生していたデータと関連付けて最終再生点の情報を外部記憶媒体５０に記憶する（ステップＳ９５）。このとき、制御部１１は、古い最終再生点の情報に対して新たな最終再生点の情報を上書きして記録する。また、制御部１１は、再生停止操作が行われない場合（ステップＳ９４のＮ）、再生停止操作が行われるまで再生を継続する。
【０２３９】
制御部１１は、外部記憶媒体５０が記憶している他のデータの再生を指示された場合にも、ステップＳ９１〜Ｓ９５の処理を実行する。
【０２４０】
図１３は、携帯電話機１０において更新された最終再生点の情報にあわせて、パソコン３０が番組記録部３９内の最終再生点の情報を更新する処理を示すフローチャートである。携帯電話機１０の記憶媒体装着部２０に装着されていた外部記憶媒体５０は、携帯電話機１０から取り外され、パソコン３０の記憶媒体装着部４０に装着される。例えば、携帯電話機１０およびパソコン３０の使用者が、外部記憶媒体５０に記憶させるデータを入れ替える場合に、外部記憶媒体５０は、パソコン３０の記憶媒体装着部４０に装着される。図１３に示す処理は、外部記憶媒体５０が再度パソコン３０に装着された後に実行される。
【０２４１】
パソコン３０の制御部３１は、記憶媒体装着部４０を制御して、外部記憶媒体５０から、各データ（再生の対象となる各データ）に関連付けられている最終再生点の情報を読み込む（ステップＳ１０１）。そして、外部記憶媒体５０に記録されている各データと対応する番組記録部３９内のデータを特定し、そのデータに関連付けられている最終再生点の情報と、ステップＳ１０１で読み込んだ情報とを比較する（ステップＳ１０２）。そして、ステップＳ１０２で読み込んだ情報によって特定される最終再生点が、番組記録部３９内のデータに関連付けられている情報が示す最終再生点よりも時間的に後の箇所であるならば（ステップＳ１０２のＹ）、ステップＳ１０３に移行する。また、ステップＳ１０２で読み込んだ情報によって特定される最終再生点が、番組記録部３９内のデータに関連付けられている情報が示す最終再生点よりも時間的に後の箇所でないならば（ステップＳ１０２のＮ）、携帯電話機１０では最終再生点以降の再生は行われなかったことになる。この場合、制御部３１は、ステップＳ１０３に移行せず、再生の指示が入力されるまで待機する。
【０２４２】
ステップＳ１０３では、制御部３１は、外部記憶媒体５０に記録されているデータと対応する番組記録部３９内のデータに関連付けられている最終再生点の情報を更新する。すなわち、制御部３１は、ステップＳ１０２で読み込んだ情報によって特定される最終再生点を示すように、番組記録部３９内のデータに関連付けられている最終再生点の情報を更新する。この結果、パソコン３０の番組記録部３９内のデータに関連付けられている最終再生点の情報は、携帯電話機１０における再生停止箇所を示すことになる。ステップＳ１０３の処理が完了すると、再生の指示が入力されるまで待機する。
【０２４３】
ステップＳ１０３の後、または、ステップＳ１０２においてＮと判定された後に、パソコン３０が再びデータの再生を指示された場合、制御部３１は、ステップＳ８２以降の動作を行えばよい。ステップＳ１０３の処理を実行していた場合、ステップＳ８４において、携帯電話機１０での再生停止箇所以降の内容が再生される。また、ステップＳ１０２においてＮと判定されステップＳ１０３の処理を実行していない場合には、ステップＳ８４においてパソコン３０での再生停止箇所以降の内容が再生される。
【０２４４】
上記の例では、再生対象となる番組のデータを記憶する番組記録部３９が、番組記憶手段に相当する。ステップＳ８４以降またはステップＳ８５以降において番組のデータを再生している部分が第１の再生手段に相当する。具体的には、ステップＳ８４以降またはステップＳ８５以降において、制御部３１が、再生対象データの映像データおよび音声データに基づいて、映像を表示装置３７に表示させ、音声をスピーカ３８から出力しており、ここに示した制御部３１、表示装置３７およびスピーカ３８が第１の再生手段に相当する。ステップＳ８７において、最終再生点の情報を作成している制御部３１が第１の最終再生点情報生成手段に相当する。ステップＳ８７において、再生していたデータと関連付けて最終再生点の情報を番組記録部３９に記録し、また、ステップＳ１０２でＹと判定された場合にステップＳ１０３で最終再生点の情報を更新する制御部３１が、最終再生点情報付加手段に相当する。ステップＳ８８において、再生していたデータを、携帯電話機１０で再生可能なデータフォーマットに変換する制御部３１が、変換手段に相当する。ステップＳ８８において、変換後の番組のデータおよび最終再生点の情報を外部記憶媒体５０に記憶させている制御部３１および記憶媒体装着部４０が、第１の出力手段に相当する。ステップＳ１０１において、外部記憶媒体５０から最終再生点の情報を読み込む制御部３１および記憶媒体装着部４０が、第１の入力手段に相当する。ステップＳ９２において、外部記憶媒体５０から最終再生点の情報を読み込み、また、ステップＳ９３以降の再生処理において、映像データおよび音声データを読み込む制御部１１および記憶媒体装着部２０が、第２の入力手段に相当する。ステップＳ９３以降において番組のデータを再生している部分が第２の再生手段に相当する。具体的には、ステップＳ９３以降において、制御部１１が、映像データおよび音声データを読み込み、その各データに基いて、映像を表示装置１７に表示させ、音声をスピーカ１８から出力しており、ここに示した制御部１１、表示装置１７およびスピーカ３８が第２の再生手段に相当する。ステップＳ９５において、最終再生点の情報を作成している制御部１１が第２の最終再生点情報生成手段に相当する。ステップＳ９５において、最終再生点の情報を外部記憶媒体５０に記憶させている制御部１１および記憶媒体装着部２０が第２の出力手段に相当する。また、外部記憶媒体５０を装着させるパソコン３０の記憶媒体装着部４０が、第１の記憶媒体装着手段に相当する。外部記憶媒体５０を装着させる携帯電話機１０の記憶媒体装着部２０が、第２の記憶媒体装着手段に相当する。
【０２４５】
本実施の形態によれば、録画した番組を再生して視聴する場合にも、視聴を終了した箇所の続きから、異なる装置で視聴を迅速に再開することができる。
【０２４６】
また、上記の実施の形態４では、携帯電話機１０で番組の続きを再生した後に、外部記憶媒体５０を用いて、携帯電話機１０における最終再生点の情報をパソコン３０に伝達する場合を説明した。携帯電話機１０からパソコン３０に対して、通信ネットワーク６０（図１参照）を介して最終再生点の情報を送信してもよい。この場合、ステップＳ８１〜Ｓ８８（図１１参照）およびステップＳ９１〜Ｓ９４までの動作は、既に説明した動作と同様である。
【０２４７】
携帯電話機１０の制御部１１は、操作部２１を介して再生停止操作が行われたならば（ステップＳ９４のＹ）、再生を停止する。その後、新たに最終再生点の情報を作成し、その最終再生点の情報を、送受信回路１４およびアンテナ１３を用いて、通信ネットワーク６０を介してパソコン３０に送信すればよい。このとき、パソコン３０が、どのデータに関連付けられる最終再生点の情報であるのかを認識できるように、例えば、外部記憶媒体５０に記録されたデータに付加された識別情報とともに最終再生点の情報を送信すればよい。一方、パソコン３０の制御部３１は、受信した識別情報に基づいて番組記録部３９内のデータを特定し、そのデータに関連付けられている最終再生点の情報と、受信した最終再生点の情報とを比較する。そして、受信した情報によって特定される最終再生点が、番組記録部３９内のデータに関連付けられている情報が示す最終再生点よりも時間的に後の箇所であるならば、ステップＳ１０３と同様の処理を行う。ステップＳ１０３と同様の処理の実行後は、再生の指示が入力されるまで待機する。また、受信した情報によって特定される最終再生点が、番組記録部３９内のデータに関連付けられている情報が示す最終再生点よりも時間的に後の箇所でないならば、ステップＳ１０３の処理を行わず、再生の指示が入力されるまで待機する。
【０２４８】
その後、データの再生を指示された場合、パソコン３０の制御部３１は、ステップＳ８２以降の動作を行う。ステップＳ１０３と同様の処理を実行していた場合、携帯電話機１０での再生停止箇所以降の内容が再生される。また、ステップＳ１０３と同様の処理を実行しなかった場合には、パソコン３０での再生停止箇所以降の内容が再生される。
【０２４９】
また、パソコン３０から携帯電話機１０に対して最終再生点の情報を伝達する場合にも、外部記憶媒体５０を用いずに、通信ネットワーク６０を介して情報を送信してもよい。この場合、パソコン３０の制御部３１は、ステップＳ８８において、最終再生点の情報を外部記憶媒体５０に記憶させなくてよい。
【０２５０】
一方、携帯電話機１０の制御部１１は、装着された外部記憶媒体５０に記録されたデータを再生する場合、例えば、そのデータの識別情報をパソコン３０に送信して、その識別情報に応じた最終再生点の情報を要求する。パソコン３０の制御部３１は、この要求を受信すると、受信した識別情報に対応するデータを番組記録部３９に記録されているデータの中から特定し、そのデータに関連付けられている最終再生点の情報を携帯電話機１０に送信する。携帯電話機１０の制御部１１は、パソコン３０から受信した最終再生点の情報と、外部記憶媒体５０に記憶されているデータとに基づいて、ステップＳ９３以降の動作を行えばよい。
【０２５１】
また、再生の対象となるデータ（録画されたデータ）と、最終再生点の情報とをそれぞれ通信ネットワーク６０を介して送受信してもよい。この場合、携帯電話機１０およびパソコン３０は、それぞれ記憶媒体装着部２０、記憶媒体装着部４０を備えていなくてもよい。
【０２５２】
図１４は、パソコン３０がデータを再生した後に、携帯電話機１０が続きを再生し、さらにパソコン３０が最終再生点の情報を更新するときの動作を示すフローチャートである。なお、パソコン３０が番組を録画し、その番組を再生して、その後再生を停止するまでの動作は、既に説明したステップＳ８１〜Ｓ８７の動作と同様である。ステップＳ８７が終了した時点で、番組記録部３９には最終再生点の情報が付加されたデータ（再生の対象となる映像データおよび音声データ）が記録されている。
【０２５３】
携帯電話機１０の制御部１１は、パソコン３０で再生された番組を視聴していた視聴者によって、操作部２１を介して、番組の再生の指示を入力される（ステップＳ１１１）。このとき、制御部１１は、操作部２１を介して、再生対象となるデータを特定する識別情報も入力される。制御部１１は、通信ネットワーク６０を介して、データの識別情報をパソコン３０に送信することによって、再生対象のデータおよびそのデータに関連付けられている最終再生点の情報を要求する（ステップＳ１１２）。
【０２５４】
パソコン３０の制御部３１は、この要求に応じて、番組記録部３９に記録されているデータの中から、受信した識別情報に対応するデータを特定する。そして、そのデータを携帯電話機１０で再生可能なデータフォーマットに変換する。また、特定したデータに関連付けられている最終再生点の情報を変換後のデータに付加する。制御部３１は、ネットワークインタフェース部３３を介して、最終再生点の情報が付加された変換後のデータを携帯電話機１０に送信する（ステップＳ１１３）。
【０２５５】
携帯電話機１０の制御部１１は、アンテナ１３および送受信回路１４を介してこのデータを受信すると、最終再生点の情報から最終再生点を特定する。そして、最終再生点から再生を行う（ステップＳ１１４）。ステップＳ１１４の動作は、ステップＳ９３（図１２参照）の動作と同様である。
【０２５６】
制御部１１は、操作部２１を介して再生停止操作が行われなければ（ステップＳ１１５のＮ）、データの再生を継続する。
【０２５７】
また、操作部２１を介して再生停止操作が行われた場合（ステップＳ１１５のＹ）、再生を停止する。その後、制御部１１は、新たに最終再生点の情報を作成し、その最終再生点の情報を、送受信回路１４およびアンテナ１３、通信ネットワーク６０を介してパソコン３０に送信する（ステップＳ１１６）。ステップＳ１１６では、パソコン３０が、どのデータに関連付けられる最終再生点の情報であるのかを認識できるように、ステップＳ１１１で入力された識別情報とともに最終再生点の情報を送信する。パソコン３０の制御部３１は、ステップＳ１１６で送信された情報を、ネットワークインタフェース部３３を介して受信する。
【０２５８】
パソコン３０の制御部３１は、受信した識別情報に基づいて番組記録部３９内のデータを特定し、そのデータに関連付けられている最終再生点の情報と、受信した最終再生点の情報とを比較する（ステップＳ１１７）。受信した情報によって特定される最終再生点が、番組記録部３９内のデータに関連付けられている情報が示す最終再生点よりも時間的に後の箇所であるならば（ステップＳ１１７のＹ）、受信した情報によって特定される最終再生点を示すように、識別情報から特定したデータに関連付けられている最終再生点の情報を更新する（ステップＳ１１８）。その後、再生の指示が入力されるまで待機する。なお、ステップＳ１１８の処理は、ステップＳ１０３の処理と同様の処理である。受信した情報によって特定される最終再生点が、番組記録部３９内のデータに関連付けられている情報が示す最終再生点よりも時間的に後の箇所でないならば（ステップＳ１１７のＮ）、ステップＳ１１８の処理を行わずに、再生の指示が入力されるまで待機する。
【０２５９】
再生の指示が入力された場合、制御部３１は、ステップＳ８２〜Ｓ８７の動作を行えばよい。
【０２６０】
上記の例において、ステップＳ１１３において、最終再生点の情報が付加された変換後のデータを携帯電話機１０に送信する部分が、第１の出力手段に相当する。具体的には、ステップＳ１１３において、制御部３１が、ネットワークインタフェース部３３を介して、最終再生点の情報が付加された変換後のデータを携帯電話機１０に送信しており、ここに示した制御部３１およびネットワークインタフェース部３３が第１の出力手段に相当する。ステップＳ１１３で送信されたデータを受信する部分が、第２の入力手段に相当する。具体的には、制御部１１が、アンテナ１３および送受信回路１４を介して、ステップＳ１１３で送信されたデータを受信しており、ここに示した制御部１１、アンテナ１３および送受信回路１４が第２の入力手段に相当する。ステップＳ１１６において、最終再生点の情報を送信している部分が第２の出力手段に相当する。具体的には、ステップＳ１１６において、制御部１１が、送受信回路１４およびアンテナ１３を介して最終再生点の情報を送信しており、ここに示した制御部１１、送受信回路１４およびアンテナ１３が第２の出力手段に相当する。ステップＳ１１６で送信された最終再生点の情報を受信する部分が第１の入力手段に相当する。具体的には、制御部３１が、ネットワークインタフェース部３３を介して、ステップＳ１１６で送信された最終再生点の情報を受信しており、ここに示した制御部３１およびネットワークインタフェース部３３が第１の入力手段に相当する。
【０２６１】
なお、第４の実施の形態では、外部記憶媒体５０を用いて情報を授受する場合と、通信ネットワーク６０を介して情報を送受信する場合とを示した。通信ネットワーク６０を介して情報を送受信する場合における情報送受信の態様は、例えば、電子メールで情報を送受信する態様であってもよい。あるいは、ＩＰアドレスを指定して、そのＩＰアドレスを宛先として情報を送信する態様であってもよい。また、通信ネットワーク６０に、携帯電話機１０とパソコン３０との情報送受信を中継するサーバを接続させ、送信側の装置がそのサーバに情報を記憶させ、受信側の装置がそのサーバから情報を受信する態様であってもよい。
【０２６２】
また、第４の実施の形態で用いる外部記憶媒体５０は、ＳＤメモリカードのような汎用的な外部記憶媒体であってもよい。あるいは、再生対象となるデータと、そのデータに関連付けられる最終再生点の情報とを記憶するように特化された専用の外部記憶媒体であってもよい。
【０２６３】
上記の第１の実施の形態から第４の実施の形態において、番組視聴システムは、携帯電話機１０やパソコン３０が備えるタイマより高い精度で時刻を計時するタイマである高精度タイマ（図示せず。）を備えていてもよい。高精度タイマは、携帯電話機１０やパソコン３０とは独立した別個の装置として設けられる。高精度タイマは、高精度タイマが計時している時刻の情報を、例えば、電波により送信する時刻情報送信部（図示せず。）を備える。すなわち、高精度タイマは、計時している時刻の情報を電波によって送信する。また、この場合、各番組視聴装置（上記の各実施の形態では、携帯電話機１０およびパソコン３０）は、高精度タイマが送信する時刻の情報を受信する時刻情報受信用アンテナ（図示せず。）および時刻情報受信機（図示せず。）を備える。携帯電話機１０の制御部１１やパソコン３０の制御部３１は、時刻情報受信用アンテナおよび時刻情報受信機を介して、高精度タイマから時刻の情報を受信すると、携帯電話機１０（またはパソコン３０）自身が備えているタイマの計時時刻を、受信した情報が示す時刻に設定する。この結果、携帯電話機１０やパソコン３０が備えるタイマの計時時刻は、高精度タイマが計時する時刻に揃えられる。一般に、携帯電話機１０やパソコン３０が備えるタイマは、時刻の誤差が生じやすい。しかし、本例のように、高い精度で時刻を計時し、その時刻の情報を送信する高精度タイマを備え、また、携帯電話機１０やパソコン３０が高精度タイマから時刻の情報を受信する時刻情報受信部を備える構成にすれば、携帯電話機１０やパソコン３０のタイマに誤差が生じた場合であっても、その誤差を修正することができる。その結果、携帯電話機１０やパソコン３０は、受信停止時刻等の各種時刻を高精度で判定することができる。高精度タイマが、時刻の情報を送信するタイミングや送信間隔は、限定されない。高精度タイマは、例えば、５分毎に時刻の情報を送信してもよい。また例えば、１日２回特定の時刻に送信してもよい。あるいは、連続的に時刻の情報を送信し続けてもよい。
【０２６４】
上記の実施の形態において、時刻を計時し、計時している時刻の情報を電波によって送信する高精度タイマが、時刻情報送信手段に相当する。また、例えば、携帯電話機１０に備えられ、高精度タイマが送信する時刻の情報を受信する時刻情報受信用アンテナおよび時刻情報受信機が、番組視聴装置時刻情報受信手段に相当する。また、例えば、携帯電話機１０自身が備えているタイマの計時時刻を、携帯電話機１０が備えている時刻情報受信用アンテナおよび時刻情報受信機を介して受信した情報が示す時刻に設定する制御部１１が、番組視聴装置時刻調整手段に相当する。また、例えば、パソコン３０に備えられ、高精度タイマが送信する時刻の情報を受信する時刻情報受信用アンテナおよび時刻情報受信機が、録画再生装置時刻情報受信手段に相当する。また、例えば、パソコン３０自身が備えているタイマの計時時刻を、パソコン３０が備えている時刻情報受信用アンテナおよび時刻情報受信機を介して受信した情報が示す時刻に設定する制御部３１が、録画再生装置時刻調整手段に相当する。
【０２６５】
また、上記の第１の実施の形態から第４の実施の形態では、番組視聴装置１０，３０の例として、携帯電話機およびパソコンを示した。携帯電話機およびパソコンは例示であり、番組視聴装置１０，３０は、他の装置であってもよい、例えば、携帯電話機ではなくＰＤＡ（Personal Digital Assistants ）であってもよい。あるいは、録画機能付きテレビジョン受像機であってもよい。あるいは、録画および再生を行う録画再生装置とテレビジョン受像機との組み合わせを番組視聴装置１０等として使用してもよい。
【０２６６】
また、本発明による録画再生装置は、表示装置やスピーカを備えていない録画再生専用装置であってもよい。この場合、録画再生装置は、表示装置に対して映像信号を出力する映像信号出力端と、スピーカに対して音声信号を出力する音声信号出力端とを備える。そして、映像信号出力端から映像信号を出力して表示装置に映像を表示させ、音声信号出力端から音声信号を出力してスピーカに音声を出力させる。例えば、録画再生装置は、映像信号出力端、音声信号出力端それぞれを介してテレビジョン受像機に接続され、テレビジョン受像機に映像や音声を出力させる。上記の実施の形態では、例えば、制御部３１、表示装置３７およびスピーカ３８が再生手段に相当したが、表示装置やスピーカを備えていない録画再生装置の場合、例えば、制御部３１と、映像信号を出力する映像信号出力端と、音声信号を出力する音声信号出力端とが再生手段に相当する。また、表示装置やスピーカを備えていない録画再生装置は、番組記録部３９としてハードディスク装置を備えていてもよい。あるいは、ＤＶＤ等の記録媒体を装着しその記録媒体に番組の映像データおよび音声データを記録する記録装置を番組記録部３９として備えていてもよい。
【図面の簡単な説明】
【０２６７】
【図１】本発明の第１の実施の形態の例を示すブロック図である。
【図２】携帯電話機の構成例を示すブロック図である。
【図３】パーソナルコンピュータの構成例を示すブロック図である。
【図４】携帯電話機が使用されたときにパソコンが番組の録画処理を実行する処理を示すフローチャートである。
【図５】パソコンが番組の視聴者に受信停止時刻以降の箇所を視聴させる処理を示すフローチャートである。
【図６】パソコンが使用されたときに携帯電話機が番組の録画処理を実行する処理を示すフローチャートである。
【図７】第２の実施の形態において、携帯電話機が使用されたときにパソコンが番組の録画処理を実行する処理を示すフローチャートである。
【図８】第２の実施の形態において、パソコンが番組の視聴者に受信停止時刻以降の箇所を視聴させる処理を示すフローチャートである。
【図９】第３の実施の形態において、携帯電話機１０が使用者に番組を視聴させ、パソコン３０が録画処理を実行する処理を示すフローチャートである。
【図１０】第３の実施の形態において、パソコンが録画した番組を再生する処理を示すフローチャートである。
【図１１】第４の実施の形態でのパソコンによる番組の録画処理および再生処理を示すフローチャートである。
【図１２】第４の実施の形態において、外部記憶媒体に記憶されたデータを携帯電話機が再生する処理のフローチャートである。
【図１３】携帯電話機において更新された最終再生点の情報にあわせて、パソコンが番組記録部内の最終再生点の情報を更新する処理を示すフローチャートである。
【図１４】パソコンがデータを再生した後に、携帯電話機が続きを再生し、さらにパソコンが最終再生点の情報を更新するときの動作を示すフローチャートである。
【符号の説明】
【０２６８】
１０  携帯電話機
１１  制御部
１５  受信アンテナ
１６  放送受信部
１７  表示装置
１８  スピーカ
１９  番組記録部
２０  記憶媒体装着部
３０  パーソナルコンピュータ
３１  制御部
３６  放送受信部
３７  表示装置
３８  スピーカ
３９  番組記録部
４０  記憶媒体装着部
５０  外部記憶媒体
６０  通信ネットワーク
【図１】
2005286761.tif 000003
【図２】
2005286761.tif 000004
【図３】
2005286761.tif 000005
【図４】
2005286761.tif 000006
【図５】
2005286761.tif 000007
【図６】
2005286761.tif 000008
【図７】
2005286761.tif 000009
【図８】
2005286761.tif 000010
【図９】
2005286761.tif 000011
【図１０】
2005286761.tif 000012
【図１１】
2005286761.tif 000013
【図１２】
2005286761.tif 000014
【図１３】
2005286761.tif 000015
【図１４】
2005286761.tif 000016